(57)【要約】【課題】遊技領域における異なる目標位置に対して遊技球を均等に誘導できる遊技機を提供すること。【解決手段】遊技領域を流下する遊技球を受け、その受けた遊技球を第１位置（第１始動口６３ａ）と第２位置（第２始動口６３ｂ）とへ交互に振り分ける振分装置１０００を備える。即ち、かかる第１位置および第２位置を目標位置に設定することで、遊技領域における異なる目標位置に対して遊技球を均等に誘導できる。また、振分装置１０００は、受けた遊技球の重さで動作するので、遊技球を第１位置と第２位置とへ交互に振り分ける動作を機械的な構成により実行でき、かかる動作のための動力や制御を不要とできる。その結果、部品点数や制御コストを削減して、製品コストの削減を図ることができる。【選択図】図４
2014061103.tif 000002
【特許請求の範囲】
【請求項１】
遊技領域を備え、その遊技領域を遊技球が流下する遊技機において、
前記流下する遊技球を受けると共に、その受けた遊技球の重さで動作して、前記遊技球を第１位置と第２位置とへ交互に振り分ける振分部材を備え、
前記振分部材は、
前記遊技領域を流下する遊技球が入球する入球口と、
その入球口に入球した遊技球を受ける第１受け部および第２受け部を有すると共に第１受け部および第２受け部の間を中心として回動可能に軸支される本体部と、
その本体部に配設される案内部と、その案内部により案内されて移動する移動体と、を備え、
前記入球口に入球した遊技球を前記本体部の第１受け部で受けると、その遊技球の重さで、第１受け部が第２受け部よりも下方となる第１角度位置まで前記本体部が回動することで、前記第１受け部で受けた遊技球を第１位置へ排球すると共に、前記入球口から入球した遊技球を受けることが可能な位置に前記第２受け部が配置され、前記入球口に入球した遊技球を前記本体部の第２受け部で受けると、その遊技球の重さで、第２受け部が第１受け部よりも下方となる第２角度位置まで前記本体部が回動することで、前記第２受け部で受けた遊技球を第２位置へ排球すると共に、前記入球口から入球した遊技球を受けることが可能な位置に前記第１受け部が配置され、
前記第１角度位置では、前記案内部が第１受け部側へ下降傾斜して、前記移動体が前記第１受け部側へ移動されると共に、前記第２角度位置では、前記案内部が第２受け部側へ下降傾斜して、前記移動体が前記第２受け部側へ移動されることを特徴とする遊技機。
【請求項２】
前記案内部は、前記第１受け部および第２受け部を繋ぐ方向に沿って延設される棒状に形成され、前記移動体は、前記案内部が挿通される環状に形成されることを特徴とする請求項１記載の遊技機。
【請求項３】
前記移動体は、弾性材料からなる有端の素材を環状に形成したものであることを特徴とする請求項２記載の遊技機。
【請求項４】
前記移動体は、前記有端の素材を巻回し、端部同士が重ね合わされていることを特徴とする請求項３記載の遊技機。
【発明の詳細な説明】
【技術分野】
【０００１】
本発明は、パチンコ機などの遊技機に関するものである。
【背景技術】
【０００２】
パチンコ機などの遊技機は、遊技領域に設けられた始動口へ遊技球が入球することにより、遊技の当否が抽選され、その抽選結果を報知する特別図柄の動的表示が表示装置において実行される。
【０００３】
この構成において、始動口を複数設け、それぞれの始動口への遊技球の入球に応じて、個別に遊技の当否を抽選し、それぞれの始動口に対応した特別図柄を動的表示した後、抽選結果を報知するものが知られている。例えば、特許文献１には、第１始動口に遊技球が入球すると、第１特別図柄の動的表示が実行され、第２始動口に遊技球が入球すると、第２特別図柄の動的表示が実行される遊技機が開示される。
【先行技術文献】
【特許文献】
【０００４】
【特許文献１】特開２００５−３１９２２１号公報
【発明の概要】
【発明が解決しようとする課題】
【０００５】
このように、遊技者は、遊技領域における異なる位置を目標位置（上記例示では、第１始動口および第２始動口）とする場合がある。しかしながら、遊技領域における異なる目標位置に対して、遊技球を均等に誘導する（例えば、第１始動口および第２始動口へ入球させる）ことは困難であり、遊技球が所定の目標位置（例えば、第１始動口のみ）に偏って誘導されるという問題点があった。
【０００６】
本発明は、上記例示した問題点を解決するためになされたものであり、遊技領域における異なる目標位置に対して遊技球を均等に誘導できる遊技機を提供することを目的とする。
【課題を解決するための手段】
【０００７】
この目的を達成するために請求項１記載の遊技機は、遊技領域を備え、その遊技領域を遊技球が流下するものであり、前記流下する遊技球を受けると共に、その受けた遊技球の重さで動作して、前記遊技球を第１位置と第２位置とへ交互に振り分ける振分部材を備え、前記振分部材は、前記遊技領域を流下する遊技球が入球する入球口と、その入球口に入球した遊技球を受ける第１受け部および第２受け部を有すると共に第１受け部および第２受け部の間を中心として回動可能に軸支される本体部と、その本体部に配設される案内部と、その案内部により案内されて移動する移動体と、を備え、前記入球口に入球した遊技球を前記本体部の第１受け部で受けると、その遊技球の重さで、第１受け部が第２受け部よりも下方となる第１角度位置まで前記本体部が回動することで、前記第１受け部で受けた遊技球を第１位置へ排球すると共に、前記入球口から入球した遊技球を受けることが可能な位置に前記第２受け部が配置され、前記入球口に入球した遊技球を前記本体部の第２受け部で受けると、その遊技球の重さで、第２受け部が第１受け部よりも下方となる第２角度位置まで前記本体部が回動することで、前記第２受け部で受けた遊技球を第２位置へ排球すると共に、前記入球口から入球した遊技球を受けることが可能な位置に前記第１受け部が配置され、前記第１角度位置では、前記案内部が第１受け部側へ下降傾斜して、前記移動体が前記第１受け部側へ移動されると共に、前記第２角度位置では、前記案内部が第２受け部側へ下降傾斜して、前記移動体が前記第２受け部側へ移動される。
【０００８】
請求項２記載の遊技機は、請求項１記載の遊技機において、前記案内部は、前記第１受け部および第２受け部を繋ぐ方向に沿って延設される棒状に形成され、前記移動体は、前記案内部が挿通される環状に形成される。
【０００９】
請求項３記載の遊技機は、請求項２記載の遊技機において、前記移動体は、弾性材料からなる有端の素材を環状に形成したものである。
【００１０】
請求項４記載の遊技機は、請求項３記載の遊技機において、前記移動体は、前記有端の素材を巻回し、端部同士が重ね合わされている。
【発明の効果】
【００１１】
請求項１記載の遊技機によれば、遊技領域を流下する遊技球を受け、その受けた遊技球を第１位置と第２位置とへ交互に振り分ける振分部材を備えるので、例えば、第１位置および第２位置を目標位置に設定することで、遊技領域における異なる目標位置に対して遊技球を均等に誘導できる。
【００１２】
また、振分部材は、受けた遊技球の重さで動作するので、遊技球を第１位置と第２位置とへ交互に振り分ける動作を機械的な構成により実行でき、かかる動作のための動力や制御を不要とできる。その結果、部品点数や制御コストを削減して、製品コストの削減を図ることができる。
【００１３】
また、本体部に配設される案内部と、その案内部により案内されて移動する移動体とを備え、第１角度位置では、案内部が第１受け部側へ下降傾斜して、移動体が第１受け部側へ移動されると共に、第２角度位置では、案内部が第２受け部側へ下降傾斜して、移動体が第２受け部側へ移動されるので、移動体の移動に伴う重心位置の変化を利用して、本体部を本来あるべき姿勢（第１角度位置または第２角度位置）に維持することができる。
【００１４】
請求項２記載の遊技機によれば、請求項１記載の遊技機の奏する効果に加え、案内部は、第１受け部および第２受け部を繋ぐ方向に沿って延設される棒状に形成され、移動体は、案内部が挿通される環状に形成されるので、移動体を本体部の回動方向に応じて移動させる機構を、簡素な構造により達成できる。よって、製品コストの削減を図ると共に、安定した動作を可能として、信頼性の向上を図ることができる。
【００１５】
請求項３記載の遊技機によれば、請求項２記載の遊技機の奏する効果に加え、移動体が、弾性材料からなる有端の素材を環状に形成したものであるので、移動体を案内部に装着する作業を容易として、組み立て工数の削減を図ることができる。即ち、移動体を案内部に装着する際には、弾性変形させることで移動体の一部を開口させ、その開口を介して、棒状の案内部を環状の移動体に挿通させることができる。
【００１６】
請求項４記載の遊技機によれば、請求項３記載の遊技機の奏する効果に加え、移動体は端部同士が重ねあわされているので、その分、移動体の一部を開口させるのに必要な弾性変形量が大きくなる。よって、案内部に装着した移動体が脱落することを抑制できる。また、移動体は、素材を巻回して形成されるので、その製造を簡素化して、部品コストの低減を図ることができる。
【図面の簡単な説明】
【００１７】
【図１】第１実施形態におけるパチンコ機の正面図である。
【図２】第１実施形態におけるパチンコ機の遊技盤の正面図である。
【図３】第１実施形態におけるパチンコ機の背面図である。
【図４】（ａ）は、入球した遊技球を第１始動口へ振り分ける動作を説明するために模式的に図示した振分装置の正面透視図であり、（ｂ）は、入球した遊技球を第２始動口へ振り分ける動作を説明するために模式的に図示した振分装置の正面透視図である。
【図５】第３図柄表示装置の表示画面を説明するための図面であり、（ａ）は、表示画面の領域区分設定と有効ライン設定とを模式的に示した図であり、（ｂ）は、実際の表示画面における保留図柄表示の並び替え前と並び替え後を例示した図である。
【図６】パチンコ機の電気的構成を示すブロック図である。
【図７】（ａ）は、振分装置の正面図であり、（ｂ）は、図７（ａ）の矢印ＶＩＩｂ方向視における振分装置の側面図である。
【図８】（ａ）は、基板部材の正面図であり、（ｂ）は、図８（ａ）の矢印ＶＩＩＩｂ方向視における基板部材の側面図であり、（ｃ）は、図８（ａ）の矢印ＶＩＩＩｃ方向視における基板部材の底面図である。
【図９】（ａ）は、前面部材の正面図であり、（ｂ）は、図９（ａ）の矢印ＩＸｂ方向視における前面部材の側面図であり、（ｃ）は、図９（ａ）のＩＸｃ−ＩＸｃ線における前面部材の断面図である。
【図１０】（ａ）は、前面部材の背面図であり、（ｂ）は、図１０（ａ）の矢印Ｘｂ方向視における前面部材の上面図である。
【図１１】図９（ｃ）のＸＩ−ＸＩ線における対面壁部材の断面図である。
【図１２】図１０（ａ）の矢印ＸＩＩ方向視における対面壁部材の内周面を平面に展開して図示した平面展開図である。
【図１３】（ａ）は、円板部材の上面図であり、（ｂ）は、図１３（ａ）の矢印ＸＩＩＩｂ方向視における円板部材の正面図であり、（ｃ）は、図１３（ｂ）の矢印ＸＩＩＩｃ方向視における円板部材の底面図である。
【図１４】左受け部で受けた遊技球を左排球口から排球する動作の遷移を図示する振分装置の部分断面模式図である。
【図１５】左受け部で受けた遊技球を左排球口から排球する動作の遷移を図示する振分装置の部分断面模式図である。
【図１６】左受け部で受けた遊技球を左排球口から排球する動作の遷移を図示する振分装置の部分断面模式図である。
【図１７】右受け部で受けた遊技球を右排球口から排球する動作の遷移を図示する振分装置の部分断面模式図である。
【図１８】右受け部で受けた遊技球を右排球口から排球する動作の遷移を図示する振分装置の部分断面模式図である。
【図１９】第２実施形態における前面部材の断面図である。
【図２０】（ａ）は、前面部材の断面図であり、（ｂ）は、図２０（ａ）の矢印ＸＸｂ方向視における前面部材の平面図である。
【図２１】（ａ）は、制動部材の側面図であり、（ｂ）は、図２１（ａ）の矢印ＸＸＩｂ方向視における制動部材の上面図である。
【図２２】振分装置の部分断面図であり、（ａ）は遊技球により制動部材の突出片が押し下げられる前の状態が、（ｂ）は遊技球により制動部材の突出片が押し下げられた後の状態が、それぞれ図示される。
【図２３】（ａ）は、入球した遊技球を第１始動口へ振り分ける動作が、（ｂ）は、入球した遊技球を第２始動口へ振り分ける動作が、それぞれ模式的に図示される。
【図２４】（ａ）は、振分装置の正面図であり、（ｂ）は、振分装置の側面図である。
【図２５】（ａ）は、基板部材の正面図であり、（ｂ）は、図２５（ａ）の矢印ＸＸＶｂ方向視における基板部材の側面図である。
【図２６】（ａ）は、前面部材の背面図であり、（ｂ）は、図２６（ａ）の矢印ＸＸＶＩｂ方向視における前面部材の側面図である。
【図２７】（ａ）は、支持板部材の正面図であり、（ｂ）は、図２７（ａ）の矢印ＸＸＶＩＩｂ方向視における支持板部材の側面図であり、（ｃ）は、図２７（ａ）の矢印ＸＸＶＩＩｃ方向視における支持板部材の底面図である。
【図２８】（ａ）は、重り部材の正面図であり、（ｂ）は、図２８（ａ）の矢印ＸＸＶＩＩＩｂ方向視における重り部材の側面図である。
【図２９】（ａ）から（ｄ）は、入球された遊技球を受けると共にその遊技球を排球する支持板部材の動作の遷移を図示する支持板部材の正面図である。
【図３０】（ａ）は、第４実施形態における支持板部材の正面図であり、（ｂ）は、第２角度位置に配置された支持板部材の正面図である。
【図３１】（ａ）は、第５実施形態における支持板部材の正面図であり、（ｂ）は、第２角度位置に配置された支持板部材の正面図である。
【図３２】（ａ）は、第６実施形態における重り部材の斜視図であり、（ｂ）は、変形状態における重り部材の斜視図である。
【図３３】（ａ）は、第７実施形態における重り部材の斜視図であり、（ｂ）は、変形状態における重り部材の斜視図である。
【図３４】（ａ）は、第８実施形態における支持板部材の正面図であり、（ｂ）は、図３４（ａ）の矢印ＸＸＸＩＶｂ方向視における支持板部材の側面図であり、（ｃ）は、図３４（ａ）の矢印ＸＸＸＩＶｃ方向視における支持板部材の底面図である。
【図３５】（ａ）は、図３４（ｂ）のＸＸＸＶａ−ＸＸＸＶａ線における支持板部材の断面図であり、（ｂ）は、図３４（ａ）のＸＸＸＶｂ−ＸＸＸＶｂ線における支持板部材の断面図である。
【図３６】（ａ）から（ｄ）は、入球された遊技球を受けると共にその遊技球を排球する支持板部材の動作の遷移を図示する支持板部材の正面図である。
【図３７】（ａ）は、第９実施形態における支持板部材の正面図であり、（ｂ）は、第２角度位置に配置された支持板部材の正面図である。
【図３８】（ａ）は、入球した遊技球を第１始動口へ振り分ける動作が、（ｂ）は、入球した遊技球を第２始動口へ振り分ける動作が、それぞれ模式的に図示される。
【図３９】（ａ）は、基板部材の正面図であり、（ｂ）は、図３９（ａ）の矢印ＸＸＸＩＸｂ方向視における基板部材の側面図である。
【図４０】（ａ）は、支持板部材の正面図であり、（ｂ）は、図４０（ａ）の矢印ＸＬｂ方向視における支持板部材の側面図であり、（ｃ）は、図４０（ａ）の矢印ＸＬｃ方向視における支持板部材の底面図である。
【図４１】（ａ）は、図４０（ｂ）のＸＬＩａ−ＸＬＩａ線における支持板部材の断面図であり、（ｂ）は、第１角度位置に配置された支持板部材の正面図である。
【図４２】（ａ）は、第１角度位置に配置された支持板部材の正面模式図であり、（ｂ）及び（ｃ）は、第１角度位置から第２角度位置へ向けて遷移する状態における支持板部材の正面模式図であり、（ｄ）は、第２角度位置に配置された支持板部材の正面模式図である。
【図４３】（ａ）は、第２角度位置に配置された支持板部材の正面模式図であり、（ｂ）及び（ｃ）は、第２角度位置から第１角度位置へ向けて遷移する状態における支持板部材の正面模式図であり、（ｄ）は、第１角度位置に配置された支持板部材の正面模式図である。
【図４４】（ａ）は、第１１実施形態における支持板部材の正面図であり、（ｂ）は、第１角度位置に配置された支持板部材の正面図であり、（ｃ）は、第２角度位置に配置された支持板部材の正面図である。
【発明を実施するための形態】
【００１８】
以下、本発明の実施形態について、添付図面を参照して説明する。まず、図１から図１８を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１９】
パチンコ機１０は、図１に示すように、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００２０】
内枠１２には、多数の釘や入賞口６３ａ、６３ｂ、６７等を有する遊技盤１３（図２参照）が裏面側から着脱可能に装着される。この遊技盤１３の前面を球が流下することにより弾球遊技が行われる。なお、内枠１２には、球を遊技盤１３の前面領域に発射する球発射ユニット１１２ａ（図６参照）やその球発射ユニット１１２ａから発射された球を遊技盤１３の前面領域まで誘導する発射レール（図示せず）等が取り付けられている。
【００２１】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００２２】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２３】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、後述する第３図柄表示装置８１（図２）で表示される保留図柄表示（Ｄｓ１〜Ｄｓ８）の並び替えを行う場合などに、遊技者により操作される。
【００２４】
前面枠１４には、その周囲（例えばコーナー部分）に各種ランプ等の発光手段が設けられている。これら発光手段は、大当たり時や所定のリーチ時等における遊技状態の変化に応じて、点灯または点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２５】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２６】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２７】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設され、かかる操作ハンドル５１の内部には球発射ユニット１１２ａの駆動を許可するためのタッチセンサ５１ａと、押下操作している期間中には球の発射を停止する押しボタン式の打ち止めスイッチ５１ｂと、操作ハンドル５１の回動操作量を電気抵抗の変化により検出する可変抵抗器（図示せず）とが内蔵されている。操作ハンドル５１が遊技者によって右回りに回転操作されると、タッチセンサ５１ａがオンされると共に可変抵抗器の抵抗値が操作量に対応して変化し、操作ハンドル５１の回動操作量に応じて変化する可変抵抗器の抵抗値に対応した強さで球が発射され、これにより遊技者の操作に対応した飛び量で遊技盤１３の前面へ球が打ち込まれる。また、操作ハンドル５１が遊技者により操作されていない状態においては、タッチセンサ５１ａおよび打ち止めスイッチ５１ｂがオフとなっている。
【００２８】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「ドル箱」と称される）を置いた状態で行われる。下皿５０の右方には、上述したように操作ハンドル５１が配設され、下皿５０の左方には灰皿５３が取り付けられている。
【００２９】
図２に示すように、遊技盤１３は、正面視略正方形状に切削加工した木製のベース板６０に、球案内用の多数の釘や風車およびレール６１，６２、第１始動口６３ａ、第２始動口６３ｂ、第１可変入賞装置６５、可変表示装置ユニット８０等を組み付けて構成され、その周縁部が内枠１２の裏面側に取り付けられる。第１始動口６３ａ、第２始動口６３ｂ、第１可変入賞装置６５、可変表示装置ユニット８０は、ルータ加工によってベース板６０に形成された貫通穴に配設され、遊技盤１３の前面側から木ネジ等により固定されている。また、遊技盤１３の前面中央部分は、前面枠１４の窓部１４ｃ（図１参照）を通じて内枠１２の前面側から視認することができる。以下に、主に図２を参照して、遊技盤１３の構成について説明する。
【００３０】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３１】
２本のレール６１，６２は、球発射ユニット１１２ａ（図６参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３２】
遊技領域の中央下部に、振分装置１０００が設けられている。振分装置１０００には、普通電動役物６４が上部に設けられている。普通電動役物６４は、通常状態では、向かい合った羽根６４ａ，６４ｂが所定間隔（遊技球が約１球分入球可能な間隔（遊技球の直径は約１１ｍｍ））を隔てつつ上方に起立した状態で配置されている。振分装置１０００内に遊技球が入球するルートは、通常状態（羽根６４ａ，６４ｂが上方に起立した状態）では、普通電動役物６４の羽根６４ａ，６４ｂの間を通るルートのみとなっており、遊技者は、まず、その普通電動役物６４の羽根６４ａ，６４ｂの間へ遊技球を通過させるように遊技球を発射する。
【００３３】
振り分け装置６３０内に遊技球が入球すると、入球した遊技球が第１始動口６３ａ及び第２始動口６３ｂに交互に振り分けられる。ここで、図４を参照して、振分装置１０００による遊技球の振り分け動作の概略について説明する。
【００３４】
図４（ａ）は、入球した遊技球を第１始動口６３ａへ振り分ける動作を説明するために模式的に図示した振分装置１０００の正面透視図であり、図４（ｂ）は、入球した遊技球を第２始動口６３ｂへ振り分ける動作を説明するために模式的に図示した振分装置１０００の正面透視図である。
【００３５】
図４（ａ）及び図４（ｂ）に示すように、振分装置１０００には、内部に円板部材１３００が回動可能に内装されると共に、その円板部材１３００の外周面には、左受け部１３１０Ｌ及び右受け部１３１０Ｒが凹設される。
【００３６】
図４（ａ）に示すように、振分装置１０００は、入球した遊技球を左受け部１３１０Ｌが受けると、その遊技球の重さにより（即ち、遊技球の重さの分、円板部材１３００の重心位置が回動中心に対して一側（図４（ａ）右側）へ偏心されることで）、円板部材１３００が、左受け部１３１０Ｌに遊技球を収納しつつ、一方向（図４（ａ）時計回り方向）へ回動される。円板部材１３００の回動により、左受け部１３１０Ｌが下方に到達されると、左受け部１３１０Ｌに収納されていた遊技球が、左誘導通路１１１０Ｌに排球されると共にこの左誘導通路１１１０Ｌにより第１始動口６３ａへ誘導される。
【００３７】
図４（ｂ）に示すように、振分装置１０００は、図４（ａ）に示す遊技球の次に入球した遊技球を、右受け部１３１０Ｒにより受ける。即ち、振分装置１０００は、右受け部１３１０Ｒが左受け部１３１０Ｌと１８０度位相を異ならせて配設され、左受け部１３１０Ｌが下方に位置すると、右受け部１３１０Ｒが上方に位置し、入球した遊技球を交互に受けることができるように構成される。
【００３８】
この場合、振分装置１０００は、次に入球した遊技球を右受け部１３１０Ｒが受けると、左受け部１３１０Ｌが遊技球を受けた場合と同様に、遊技球の重さにより、円板部材１３００が、右受け部１３１０Ｒに遊技球を収納しつつ、一方向（図４（ａ）時計回り方向）へ回動され、右受け部１３１０Ｒが下方に到達される。右受け部１３１０Ｒに収納されていた遊技球は、右誘導通路１１１０Ｒに排球されることで、第２始動口６３ｂへ誘導される。
【００３９】
このように、左受け部１３１０Ｌが遊技球を受けると、円板部材１３００が一方向へ１８０度回動して、遊技球を第１始動口６３ａへ誘導すると共に、右受け部１３１０Ｒが上方に配設され、次に入球した遊技球をこの右受け部１３１０Ｒが受ける。右受け部１３１０Ｒが遊技球を受けると、円板部材１３００が一方向へ１８０度回動して、遊技球を第２始動口６３ｂへ誘導すると共に、左受け部１３１０Ｌが上方に配設され、次に入球した遊技球をこの左受け部１３１０Ｌが受ける。
【００４０】
よって、振分装置１０００は、入球する遊技球を第１始動口６３ａと第２始動口６３ｂとに均等に振り分けて入賞させることができ、その結果、第１始動口６３ａへの入賞に起因する抽選遊技（以下、第１抽選遊技）と第２始動口６３ｂへの入賞に起因する抽選遊技（以下、第２抽選遊技）とを効率良く実行することができる。
【００４１】
図２に戻って説明する。遊技盤１３の中央左側には、普通図柄始動口６７が設けられている。普通図柄始動口６７は、ゲート型で遊技球の通過を検出することができるセンサを有した始動口で構成されている。普通図柄始動口６７を遊技球が通過した場合に、普通図柄（第２図柄）の抽選が行われる。普通図柄始動口６７へ遊技球が通過したことに対して行われる抽選では、普通図柄の当たりか否かの当否判定が行われる。
【００４２】
普通図柄（第２図柄）の抽選が行われると、後述する、可変表示装置ユニット８０に設けられた第２図柄表示部８８において普通図柄の変動表示が開始されて、「○」と「×」の図柄が交互に所定時間（例えば、２０秒）点灯した後に、抽選結果を示す普通図柄（本実施形態では「○」もしくは「×」の図柄）が停止表示（点灯表示）される。第２図柄表示部８８において変動表示が行われている間に普通図柄始動口６７に球が通過すると、その通過回数は、最大４回まで保留され、その保留球数が第１図柄表示装置３７により表示される。
【００４３】
普通図柄の当たりと判定された場合には、第２図柄表示部８８に普通図柄の抽選が当たりであったことを示す図柄である「○」が点灯表示される。当たりである図柄が表示されると、普通電動役物６４が作動し、通常時は上方に起立した状態で維持されている普通電動役物６４の羽根６４ａ，６４ｂが略垂直に起立した状態から略Ｖ字形（逆ハの字形）に可動し、遊技球を羽根６４ａ，６４ｂが誘導することにより、振り分け装置６３０に所定時間（本実施形態では１．２ｓ）遊技球を入球し易い状態になる。一方、普通図柄の外れと判定された場合には、第２図柄表示部８８に普通図柄の抽選が外れであったことを示す図柄である「×」が点灯表示される。
【００４４】
遊技領域の正面視右側上部（図２の右側上部）には、発光手段である複数の発光ダイオード（以下、「ＬＥＤ」と略す）３７ａと７セグメント表示器３７ｂとが設けられた第１図柄表示装置３７が配設されている。第１図柄表示装置３７は、後述する主制御装置１１０で行われる各制御に応じた表示がなされるものであり、主にパチンコ機１０の遊技状態の表示が行われる。複数のＬＥＤ３７ａは、第１始動口６３ａ、第２始動口６３ｂ、普通図柄始動口６７に入賞された球のうち変動表示が未実行である球（保留球）の数である保留球数を点灯状態により示すものである。また、大当たり中のラウンド数やエラー表示もそれに対応する点灯状態により示される。
【００４５】
７セグメント表示器３７ｂは、左右に２つの７セグメントＬＥＤで構成されている。左側の７セグメントＬＥＤは、第１抽選遊技の判定結果を示す第１特別図柄が変動表示（動的表示）される。具体的には、第１始動口６３ａへの入賞に基づいて決定された、変動時間（動的表示時間）が経過するまで変動表示（本実施形態では、７セグメントの中央のセグメントが点滅表示）した後に、判定結果を示す図柄で停止表示される。判定結果が外れの場合には中央の１セグメントが点灯表示する外れを示す図柄「−」が表示される。一方、判定結果が当たりである場合には、当たりに対応した図柄「３」、「７」などの外れを示す図柄とは異なる図柄が表示される。第２抽選遊技についても、第１抽選遊技と同様に構成されている。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００４６】
また、パチンコ機１０における変動パターン（変動態様または動的表示態様）は、後述するが、変動態様毎に変動時間が設定されており、時間情報に関する動的表示態様に該当する。さらには、変動パターンは、リーチとなる変動パターンと非リーチとなる変動パターンとで、変動時間の比較的長い長時間変動パターンと比較的変動時間の短い短時間変動パターンとに分けることもできる。このように、大まかに、時間の一定基準（ここでは、リーチ、非リーチ、または、基準時間（例えば、１０秒より長いか否か））で仕分けた場合に対しても、時間情報に関する動的表示態様に該当する。
【００４７】
また、変動開始時間となるまでの時間情報については、正確な変動開始となる時間も該当するし、上記した、大まかな変動パターンの時間情報（例えば、長時間変動パターンであるか否か等）に基づいて決定される時間情報（例えば、変動開始までに行われる長時間変動パターンの回数等）についての情報も該当する。
【００４８】
なお、本パチンコ機１０では、第１始動口６３ａまたは第２始動口６３ｂへの入賞に対して行われる抽選において、大当たりか否かの当否判定（大当たり抽選）を行うと共に、大当たり種別の判定も行う。ここで判定される大当たり種別としては、１５Ｒ通常大当たり、１５Ｒ確変大当たり、２Ｒ確変大当たりが用意されている。ＬＥＤ３７ｂに表示される大当たり図柄は、その大当たり種別を示す図柄となっている（本実施形態では、１５Ｒ通常大当たりでは「９」、１５Ｒ確変大当たりでは「７」、２Ｒ確変大当たりでは「３」が例えば表示される）。
【００４９】
ここで、「１５Ｒ通常大当たり」とは、最大ラウンド数が１５ラウンドの大当たりであり、大当たり後には、低確率時用の特別図柄大当たり乱数テーブル（図示せず）での遊技が設定される当たりのことである。「１５Ｒ確変大当たり」とは、最大ラウンド数が１５ラウンドの大当たりであり、大当たり後には、後述する、高確率時用の特別図柄大当たり乱数テーブルが設定される当たりのことである。「２Ｒ確変大当たり」とは、最大ラウンド数が２ラウンドの大当たりであり、大当たり後には、高確率時用の特別図柄大当たり乱数テーブル（図示せず）が設定される当たりのことである。
【００５０】
遊技領域には、球が入賞することにより５個から１５個の球が賞球として払い出される複数の一般入賞口７９が配設されている。また、遊技領域の中央部分には、可変表示装置ユニット８０が配設されている。可変表示装置ユニット８０には、第１始動口６３ａまたは第２始動口６３ｂへの入賞（始動入賞）をトリガとして、第１図柄表示装置３７における変動表示と同期させながら、第３図柄（第１特別図柄、第２特別図柄）の変動表示を行う液晶ディスプレイ（以下単に「表示装置」と略す）で構成された第３図柄表示装置８１が設けられている。
【００５１】
第３図柄表示装置８１は８インチサイズの大型の液晶ディスプレイで構成されるものであり、後述する表示制御装置１１４によって表示内容が制御されることにより、左側表示領域Ｄｍ１に第３図柄の一つである第１特別図柄を示す、左、中及び右の３つの図柄列が表示される（図５（ａ）参照）。各図柄列は複数の図柄によって構成され、これらの図柄が図柄列毎に縦スクロールして第３図柄表示装置８１の左側表示領域Ｄｍ１上にて第３図柄（第１特別図柄）が変動表示（動的表示）されるようになっている。本実施形態の第３図柄表示装置８１は、主制御装置１１０の制御に伴った遊技状態の表示が第１図柄表示装置３７で行われるのに対して、その第１図柄表示装置３７の表示に応じた装飾的な表示を行うものである。なお、表示装置に代えて、例えば、リール等を用いて第３図柄表示装置８１を構成するようにしても良い。また、第３図柄の一つである第２特別図柄においても、右側表示領域Ｄｍ２に、第１特別図柄と同様に表示される。
【００５２】
ここで、図５を参照して、第３図柄表示装置８１の表示内容について説明する。図５は、第３図柄表示装置８１の表示画面を説明するための図面であり、図５（ａ）は、表示画面の領域区分設定と有効ライン設定とを模式的に示した図であり、図５（ｂ）は、実際の表示画面における保留図柄表示の並び替え前と並び替え後を例示した図である。
【００５３】
第３図柄（第１特別図柄、第２特別図柄）は、「０」から「９」の数字を付した１０種類の特別図柄によりそれぞれ構成されている。また、本実施形態のパチンコ機１０においては、後述する主制御装置１１０による抽選結果が大当たりであった場合に、同一の主図柄が揃う（例えば「７７７」）変動表示が行われ、その変動表示が終わった後に大当たりが発生するよう構成されている。
【００５４】
図５（ａ）に示すように、第３図柄表示装置８１の表示画面は、主に、上下に分割して、上側の表示領域Ｄｍに第３図柄（第１特別図柄、第２特別図柄）を表示する表示領域と、下側の表示領域Ｄｓに保留図柄（第１抽選遊技と第２抽選遊技の保留個数）を表示する表示領域とで構成されている。上側表示領域Ｄｍは、左側表示領域Ｄｍ１と右側表示領域Ｄｍ２に分割して表示可能に構成されている。主に、左側表示領域Ｄｍ１は、第１始動口６３ａへの入賞に基づく第１抽選遊技の判定結果を示す第１特別図柄が変動表示される。一方、右側表示領域Ｄｍ２は、第２始動口６３ｂへの入賞に基づく第２抽選遊技の判定結果を示す第２特別図柄が変動表示される。
【００５５】
左側表示領域Ｄｍ１は、左・中・右のそれぞれ３つの図柄列Ｌ１，Ｌ２，Ｌ３が表示される。各図柄列Ｌ１〜Ｌ３には、上述した第３図柄が規定の順序で表示される。即ち、各図柄列Ｌ１〜Ｌ３には、数字の昇順または降順に主図柄が配列され、各図柄列Ｌ１〜Ｌ３毎に周期性をもって上から下へとスクロールして変動表示が行われる。特に、左図柄列Ｌ１においては主図柄の数字が降順に現れるように配列され、中図柄列Ｌ２及び右図柄列Ｌ３においては主図柄の数字が昇順に現れるように配列されている。一方、右側表示領域Ｄｍ２には、第２特別図柄が第１特別図柄と同様に、図柄列Ｒ１、Ｒ２、Ｒ３が表示され、同様に変動表示が行われる。
【００５６】
また、左側表示領域Ｄｍ１と右側表示領域Ｄｍ２とには、有効ラインＵ１上に第３図柄が停止表示される。その第３図柄が有効ライン上に大当たり図柄の組合せ（本実施形態では、同一の主図柄の組合せ）で揃って停止されれば、大当たりとして大当たり動画が表示される。
【００５７】
一方、下側表示領域Ｄｓは、上側表示領域Ｄｍよりも横長に設けられており、さらに左右方向に８つの小領域の保留図柄表示エリアＤｓ１〜Ｄｓ８に等区分されている。
【００５８】
実際の表示画面では、図５（ｂ）に示すように、上側表示領域Ｄｍに特別図柄（第３図柄）の主図柄が合計３個、左側表示領域Ｄｍ１と右側表示領域Ｄｍ２とにそれぞれ表示される。
【００５９】
なお、本実施形態においては、第１始動口６３ａまたは第２始動口６３ｂへの入賞は、それぞれ最大４回まで保留される。第１特別図柄が変動表示中に第１始動口６３ａに遊技球が入賞すると、その入賞に基づく第１抽選遊技の開始は保留されて、下側表示領域Ｄｓの保留図柄表示エリア（Ｄｓ１〜Ｄｓ８）の表示領域のうち保留図柄が表示されていないエリアのうち最も若い番号の保留図柄表示エリア（左側の保留図柄表示エリア）に、第１抽選遊技の保留図柄である「○」が表示される。
【００６０】
また、第２特別図柄が変動表示中に第２始動口６３ｂに遊技球が入賞すると、第１始動口６３ａに入賞した場合と同様に、第２抽選遊技の保留図柄である「●」が下側表示領域Ｄｓの保留図柄表示エリア（Ｄｓ１〜Ｄｓ８）に表示される。
【００６１】
図２に戻って説明する。振分装置１０００に遊技球が入球すると、遊技球は、第１始動口６３ａと第２始動口６３ｂとへ順番に（即ち、交互に）振り分けられる。第１特別図柄の変動表示が停止している状態で、さらに第１抽選遊技における保留がない状態で、第１始動口６３ａに入賞した場合には、第２特別図柄が変動表示中か否かに関わらず、第１特別図柄が左側表示領域Ｄｍ１で変動表示された後に停止表示される。一方、第２始動口６３ｂに遊技球が入賞した場合には、第１特別図柄が変動表示中であるか否かに関わらず、第２特別図柄が変動表示される。
【００６２】
本パチンコ機１０では、上記説明したように、第１特別図柄と第２特別図柄とは同時に左側表示領域Ｄｍ１と右側表示領域Ｄｍ２とでそれぞれ同時に変動表示を可能に構成されている。よって、振分装置１０００により、第１始動口６３ａと第２始動口６３ｂとに交互に入賞する遊技球が振り分けられることで、第１抽選遊技と第２抽選遊技とを効率よく実行することができる。第１抽選遊技と第２抽選遊技とは、それぞれで大当たり遊技を実行するか否かの抽選が実行されるので、大当たり遊技の抽選機会が第１抽選遊技のみで実行する場合と比較して抽選回数を多くすることが可能となり、遊技者が大当たりを得られる機会を多くできる。
【００６３】
なお、本実施形態では、第１抽選遊技と第２抽選遊技の２つで構成されたパチンコ機１０について説明するが、これに限らず、３つや４つ、それ以上の抽選遊技とそれに対応する始動口をそれぞれ設けて、同時にそれぞれの抽選結果を変動表示可能に構成するようにしても当然良い。
【００６４】
第１始動口６３ａ、第２始動口６３ｂへ遊技球が入賞すると遊技盤１３の裏面側に設けられる第１始動口スイッチまたは第２始動口スイッチ（図示せず）がオンとなる。その第１始動口スイッチ、第２始動口スイッチのオンに起因して主制御装置１１０で大当たりの抽選がなされ、その抽選結果に応じた表示が第１図柄表示装置３７で示される。また、第１始動口６３ａ、第２始動口６３ｂは、球が入賞すると５個の球が賞球として払い出される入賞口の１つにもなっている。
【００６５】
遊技領域の下方右側には横長矩形状の可変入賞装置６５が配設されている。パチンコ機１０においては、主制御装置１１０での第１抽選遊技または第２抽選遊技の大当たりに関する抽選が大当たりとなると、所定時間（変動時間）が経過した後に、大当たりの停止図柄となるよう第１図柄表示装置３７を点灯させると共に、その大当たりに対応した停止図柄を第３図柄表示装置８１の対応する表示領域（左側表示領域Ｄｍ１または右側表示領域Ｄｍ２）に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００６６】
この特定入賞口６５ａは、所定時間が経過すると閉鎖され、その閉鎖後、再度、その特定入賞口６５ａが所定時間開放される。この可変入賞装置６５の開閉動作は、決定された大当たりの種別によって決定され、例えば、１５Ｒ通常大当たりであれば、最高で１５回（１５ラウンド）繰り返し可能にされている。この開閉動作が行われている状態が、遊技者にとって有利な特典遊技状態の一形態であり、遊技者には、遊技上の価値（遊技価値）の付与として通常時より多量の賞球の払い出しが行われる。
【００６７】
具体的には、可変入賞装置６５は、第１始動口６３ａまたは第２始動口６３ｂに入賞したことに基づいて第１特別図柄または第２特別図柄が当たりを示す図柄で停止表示されると、その大当たり種別に基づいて開閉動作が設定され、特定入賞口６５ａが所定時間、または所定条件が成立すまで（本実施形態では、３０秒経過するまで、或いは、球が１０個入賞するまで）開放される。
【００６８】
可変入賞装置６５は、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６９】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００７０】
更に、遊技盤１３には、アウト口６６が設けられている。いずれの入賞口６３ａ，６３ｂ，６５ａ，７９にも入賞しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００７１】
図３に示すように、パチンコ機１０の背面側には、制御基板ユニット９０、９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７２】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７３】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７４】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７５】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図６参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７６】
また、払出制御装置１１１には状態復帰スイッチ１２０が設けられ、発射制御装置１１２には可変抵抗器の操作つまみ１２１が設けられ、電源装置１１５にはＲＡＭ消去スイッチ（図３、１２２）が設けられている。状態復帰スイッチ１２０は、例えば、払出モータ２１６（図６参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ（図３、１２２）は、パチンコ機１０を初期状態に戻したい場合に電源投入時に操作される。
【００７７】
次に、図６を参照して、本パチンコ機１０の電気的構成について説明する。図６は、パチンコ機１０の電気的構成を示すブロック図である。主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７８】
主制御装置１１０では、大当たり抽選や第１図柄表示装置３７および第３図柄表示装置８１における表示の設定、第２図柄表示部８８における表示結果の抽選といったパチンコ機１０の主要な処理を実行する。ＲＡＭ２０３には、これらの処理を制御するための各種カウンタを格納するカウンタ用バッファ（図示せず）が設けられている。
【００７９】
ＲＡＭ２０３は、図６に図示したカウンタ用バッファのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８０】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理によって電源遮断時に実行され、ＲＡＭ２０３に書き込まれた各値の復帰は電源投入時の立ち上げ処理において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理が即座に実行される。
【００８１】
ＲＡＭ２０３は、第１特別図柄保留球格納エリア２０３ａ、第２特別図柄保留球格納エリア２０３ｂ、第１特別図柄保留球実行エリア２０３ｃ、第２特別図柄保留球実行エリア２０３ｄ、第１特別図柄保留球数カウンタ２０３ｅ、第２特別図柄保留球数カウンタ２０３ｆ、普通図柄保留球数カウンタ２０３ｇ、普通図柄保留球格納エリア２０３ｈ、普通図柄保留球実行エリア２０３ｉ、普通図柄フラグ２０３ｊ、時短カウンタ２０３ｋ、確変フラグ２０３ｍ、第１大当たりフラグ２０３ｏ、第２大当たりフラグ２０３ｐ、第１変動停止フラグ２０３ｑ、第２変動停止フラグ２０３ｒ、第１変動時間記憶エリア２０３ｓ、第２変動時間記憶エリア２０３ｔ、並び替え保留記憶エリア２０３ｕ、その他メモリエリア２０３ｖを少なくとも有している。
【００８２】
第１特別図柄保留球格納エリア２０３ａは、上限個数（本実施形態では、４個）まで、第１始動口６３ａに入賞したことに基づいて取得された各種カウンタ値を記憶するための記憶エリアである。また、第２特別図柄保留球格納エリア２０３ｂは、上限個数（本実施形態では、４個）まで、遊技球が第２始動口６３ｂに入賞したことに基づいて取得された各種カウンタ値を記憶するための記憶エリアである。
【００８３】
第１特別図柄保留球実行エリア２０３ｃは、第１特別図柄を変動表示開始するための各種カウンタ値が格納される記憶エリアであり、第１特別図柄が変動表示停止した場合に、第１特別図柄保留球格納エリア２０３ａに各種カウンタ値が記憶されている場合に、その各種カウンタ値がシフトして記憶される記憶エリアである。第２特別図柄保留球実行エリア２０３ｄは、第２特別図柄を変動表示開始するための各種カウンタ値が格納される記憶エリアであり、詳細については第１特別図柄保留球実行エリア２０３ｃと同様である。
【００８４】
第１特別図柄保留球格納エリア２０３ａ、第２特別図柄保留球格納エリア２０３ｂ、第１特別図柄保留球実行エリア２０３ｃ、第２特別図柄保留球実行エリア２０３ｄは、始動入賞の検出に伴ってカウンタ用バッファより取得した特別当たり乱数カウンタＣ１、特別当たり種別カウンタＣ２、変動パターン判定用カウンタＣ３、変動種別カウンタＣＳ１の各値がそれぞれ記憶される。ＭＰＵ２０１は、タイマ割込処理の中で、球が第１始動口６３ａへ入賞したことを検出すると、カウンタ用バッファから各カウンタＣ１〜Ｃ３，ＣＳ１の値を取得し、第１保留球格納エリア２０３ａの特別当たり乱数カウンタ格納エリア２０３ａ１、特別当たり種別カウンタ格納エリア２０３ａ２、変動パターン判定用カウンタ２０３ａ３、変動種別カウンタ格納エリア２０３ａ４にそれぞれ格納する。一方、球が第２始動口６３ｂへ入賞したことを検出すると、第１特別図柄保留球格納エリア２０３ａと同様に、カウンタ用バッファから各カウンタＣ１〜Ｃ３、ＣＳ１の値を取得し、各対応するエリア（図示せず）にそれぞれ同様に記憶される。
【００８５】
ＭＰＵ２０１は、変動演出の実行開始タイミングであることを検出すると、大当たり抽選や、第１図柄表示装置３７または第３図柄表示装置８１の表示の設定等の処理を実行するために、上述した第１特別図柄保留球格納エリア２０３ａ、第２特別図柄保留球格納エリア２０３ｂに記憶されている各始動入賞に対応するデータ（カウンタＣ１〜Ｃ３，ＣＳ１の各値）のうち、一の始動入賞に対応するデータを、この特別図柄保留球実行エリア２０３ｃへシフトする。なお、本実施形態におけるシフトとは、一の領域に記憶されているデータを別の領域へ移動させることを示す。
【００８６】
第１特別図柄保留球数カウンタ２０３ｅ、第２特別図柄保留球数カウンタ２０３ｆは、２ミリ秒毎に定期的に実行されるタイマ割込処理の中で検出される第１始動口６３ａまたは第２始動口６３ｂへの入賞に基づいて、第１図柄表示装置３７で行われる変動表示演出（第３図柄表示装置８１で行われる変動表示演出）の保留球数（待機回数）をそれぞれ最大４回まで計数するカウンタである。第１特別図柄保留球数カウンタ２０３ｅ、第２特別図柄保留球数カウンタ２０３ｆは、電源投入後のＲＡＭ２０３の初期設定処理によって、初期値としてゼロが設定される。そして、始動入賞が検出されて変動表示の保留球数が増加する毎に、それぞれ最大値４まで１加算される。一方、第１特別図柄保留球数カウンタ２０３ａ、第２特別図柄保留球数カウンタ２０３ｂは、変動表示演出が実行される毎に１減算される。
【００８７】
また、第１特別図柄保留球数カウンタ２０３ｅの値（即ち、保留球数）は、第１始動口６３ａに遊技球が入賞したことに基づいて、第１特別図柄保留球格納エリア２０３ａにカウンタ値が格納された場合に、主制御装置１１０から出力される第１特別図柄保留球数コマンドによって音声ランプ制御装置１１３に通知される。第１特別図柄保留球数コマンドは、始動入賞が検出されて第１特別図柄保留球数カウンタ２０３ｅが１加算される毎に、主制御装置１１０から音声ランプ制御装置１１３に対して送信されるコマンドである。
【００８８】
また、第２特別図柄保留球数カウンタ２０３ｆの値（即ち、保留球数）は、第２始動口６３ｂに遊技球が入賞したことに基づいて、第２特別図柄保留球格納エリア２０３ｂにカウンタ値が格納されるた場合に、主制御装置１１０から出力される第２特別図柄保留球数コマンドによって音声ランプ制御装置１１３に通知される。第２特別図柄保留球数コマンドは、始動入賞が検出されて第２特別図柄保留球数カウンタ２０３ｆが１加算される毎に、主制御装置１１０から音声ランプ制御装置１１３に対して送信されるコマンドである。
【００８９】
ＭＰＵ２０１は、第１特別図柄保留球実行エリア２０３ｃまたは第２特別図柄保留球実行エリア２０３ｄにカウンタ用バッファから取得される上記カウンタＣ１〜Ｃ３、ＣＳ１の各値がそれぞれ記憶された場合には、第１特別図柄保留球実行エリア２０３ｃまたは第２特別図柄保留球実行エリア２０３ｄに格納されたデータを、第１変動開始処理または第２変動開始処理において参照し、その参照データに基づいて大当たり抽選を行うと共に、その抽選結果に対応する変動パターン及び停止種別を決定する。第１図柄表示装置３７では、主制御装置１１０の制御により、この決定された変動パターンおよび停止種別に基づいて、変動表示演出が行われる。
【００９０】
また、ここで決定された変動パターン及び停止種別は、第１または第２変動パターンコマンドおよび停止種別コマンドによって、音声ランプ制御装置１１３や表示制御装置１１４へ通知される。そして、表示制御装置１１４の制御によって、第３図柄表示装置８１では、変動パターンコマンドおよび停止種別コマンドにより通知された変動パターンおよび停止種別に基づいて、変動表示演出が行われる。
【００９１】
普通図柄保留球数カウンタ２０３ｇは、２ミリ秒毎に定期的に実行されるタイマ割込処理の中で検出される普通図柄始動口６７を遊技球が通過（以下「始動入賞」と称す）したことに基づいて、第１図柄表示装置３７で行われる変動表示演出（第３図柄表示装置８１の第２図柄表示部８８、第２図柄表示装置８８で行われる変動表示演出）の保留球数（待機回数）をそれぞれ最大４回まで計数するカウンタである。この普通図柄保留球数カウンタ２０３ｇは、普通図柄始動口６７を遊技球が通過したことに基づいて記憶される保留球数の合計を記憶するカウンタである。電源投入後のＲＡＭ２０３の初期設定処理によって、初期値としてゼロが設定される。そして、始動入賞が検出されて変動表示の保留球数が増加する毎に、最大値４まで１加算される。一方、普通図柄保留球数カウンタ２０３ｇは、変動表示演出が実行される毎に１減算される。
【００９２】
普通図柄保留球格納エリア２０３ｈは、普通図柄始動口６７への始動入賞の検出に伴ってカウンタ用バッファより取得した普通当たり乱数カウンタＣ４が記憶される記憶エリアである。主制御装置１１０のＭＰＵ２０１は、タイマ割込処理の中で、球が普通図柄始動口６７へ通過（始動入賞）したことを検出すると、カウンタ用バッファから普通当たり乱数カウンタＣ４の値を取得し、普通図柄保留球格納エリア２０３ｈの普通当たり乱数カウンタ格納エリア２０３ｈ１に格納する。普通図柄フラグ２０３ｊを普通図柄フラグ格納エリア２０３ｈ２にオンに設定して格納（記憶）する。普通図柄保留球格納エリア２０３ｈは、一の始動入賞に対応するデータ（カウンタＣ４の値、普通図柄フラグ２０３ｊ）が、最大４回分まで記憶（保留）できるように、４つの保留エリアを有している。普通図柄保留球格納エリア２０３ｈには、普通図柄始動口６７へ通過（始動入賞）した順に保留球のデータが、データが空いている保留エリアの内、消化される順序の早い保留エリアから順に記憶される。
【００９３】
また、普通図柄保留球実行エリア２０３ｉは、始動入賞に基づいて、普通図柄の変動表示演出の実行開始タイミングであることを検出すると、各カウンタ値が格納され、普通図柄の当たり抽選や、第１図柄表示装置３７または第３図柄表示装置８１の表示（変動パターン）の設定等の処理において参照すべきデータ（カウンタＣ４の値）を記憶するためのメモリである。
【００９４】
なお、ＭＰＵ２０１は、普通図柄の変動表示演出の実行開始タイミングであることを検出すると、当たり抽選や、第２図柄表示部８８または第２図柄表示装置８８の表示の設定等の処理を実行するために、上述した普通図柄保留球格納エリア２０３ｈに記憶されている各始動入賞に対応するデータ（普通当たり乱数カウンタＣ４の値）のうち、一の始動入賞に対応するデータを、この普通図柄保留球実行エリア２０３ｉへシフトする。なお、本実施形態におけるシフトとは、一の領域に記憶されているデータを別の領域へ移動させることを示す。
【００９５】
普通図柄フラグ２０３ｊは、普通当たり乱数カウンタＣ４のデータが記憶されており、保留されていることを示すフラグであり、また、普通図柄が変動表示中であることを示すフラグである。普通図柄保留球実行エリア２０３ｉまたは普通図柄保留球格納エリア２０３ｈに普通当たり乱数カウンタＣ４の値が格納されるとオンに設定される。また、普通当たりカウンタＣ４の値が次の保留エリア（保留が消化され、一つ保留個数を減らした保留個数に対応する保留エリア）にシフトされた場合には、シフトされる前の保留エリアの普通図柄フラグ２０３ｊはオフに設定され、一方シフトされて記憶された保留エリアの普通図柄フラグ２０３ｊはオンに設定される。また、普通図柄の変動表示が変動停止処理されると普通図柄フラグ２０３ｊはオフに設定される。
【００９６】
時短カウンタ２０３ｋは、１５Ｒ通常大当たり遊技が実行された後に、時短回数１００が設定されるカウンタエリアである。時短回数が設定されると、時短回数が０に設定されるまでの間、普通図柄当たり乱数テーブル２０２ｃにおいて高確率時用の普通図柄当たり乱数テーブルが設定される。また、普通図柄の当たりを示す図柄「○」が第２図柄表示部８８に表示された場合に、普通電動役物６４の羽根６４ａ，６４ｂが通常遊技状態よりも長い開放時間（本実施形態では、１ｓ）開放する動作を２回繰り返される。この遊技状態を以下、時短遊技状態とする。
【００９７】
時短カウンタ２０３ｋは、第１特別図柄または第２特別図柄が変動表示停止する毎に１ずつ減算され、時短カウンタ２０３ｋの値が０となると、時短遊技状態から通常遊技状態へと移行し、普通図柄当たり乱数カウンタ２０２ｃの低確率時用の普通図柄当たり乱数テーブルが設定され、普通図柄の当たりを示す図柄「○」が第２図柄表示部８８に表示された場合に、開放時間が０．２ｓで開放回数１回の設定で、普通電動役物６４の羽根６４ａ，６４ｂが開放される。
【００９８】
確変フラグ２０３ｍは、遊技状態が高確率遊技状態であることを示すフラグである。第１特別図柄または第２特別図柄において、１５Ｒ確変大当たり遊技が当選したことが報知され、１５Ｒ確変大当たり遊技が実行された場合に、大当たり遊技が終了したことに基づいて、オンに設定されるフラグである。一方、確変フラグ２０３ｍがオンに設定されて、第１特別図柄または第２特別図柄で大当たりを示す図柄（すべての種別）で停止表示されるとオフに設定され、大当たり遊技後に、大当たり種別により、１５Ｒ確変大当たりまたは２Ｒ確変大当たりであればオンに設定される。
【００９９】
第１大当たりフラグ２０３ｏは、第１始動口６３ａに入賞したことに基づいて、取得した特別当たり乱数カウンタＣ１の値が当たりであると判定された場合に、オンに設定されるフラグである。また、大当たり遊技が終了するとオフに設定される。
【０１００】
第２大当たりフラグ２０３ｐは、第２始動口６３ｂに入賞したことに基づいて、取得した特別当たり乱数カウンタＣ１の値が当たりであると判定された場合に、オンに設定されるフラグである。また、大当たり遊技が終了するとオフに設定される。
【０１０１】
第１変動停止フラグ２０３ｑは、第１特別図柄が変動表示中に、第２特別図柄の大当たり判定が当たりであると判定されたことを示すフラグである。後述する、主制御装置１１０のＭＰＵ２０１が実行する第２特別図柄大当たり判定処理において、オンに設定される。また、第１特別図柄変動停止処理において、第１特別図柄の変動表示が仮停止処理された場合にオフに設定される。
【０１０２】
第２停止フラグ２０３ｒは、第２特別図柄が変動表示中に、第１特別図柄の大当たり判定が当たりであると判定されたことを示すフラグである。後述する、主制御装置１１０のＭＰＵ２０１が実行する第１特別図柄大当たり判定処理において、オンに設定される。また、第２特別図柄変動停止処理において、第２特別図柄の変動表示の仮停止処理が実行された場合にオフに設定される。
【０１０３】
第１変動時間記憶エリア２０３ｓは、第１特別図柄の変動時間がカウント（計測）される記憶エリアである。第１変動時間記憶エリア２０３ｓは、第１特別図柄が変動表示開始されると変動時間をカウント（割り込み回数をカウント）し、変動時間（１割り込みで２ｍｓ）が計測される。
【０１０４】
第２変動時間記憶エリア２０３ｔは、第２特別図柄の変動時間がカウント（計測）される記憶エリアである。第２変動時間記憶エリア２０３ｔは、第２特別図柄が変動開始されると変動時間をカウント（割り込み回数をカウント）し、変動時間（１割り込みで２ｍｓ）が計測される。
【０１０５】
本実施形態では、第１変動時間記憶エリア２０３ｓおよび第２変動時間記憶エリア２０３ｔは、割り込み回数をカウントすることにより変動時間を計測したが、それに限らず、ＲＴＣから変動開始時に計時データを取得し、その後も随時、計時データを取得して、変動時間を計測する構成であってもよい。また、予め変動表示する変動時間を記憶させて、その値を随時減算していく構成であっても当然よい。
【０１０６】
並び替え保留記憶エリア２０３ｕは、第１先読み処理または第２先読み処理において、第１特別図柄保留球格納エリア２０３ａまたは第２特別図柄保留球格納エリア２０３ｂに記憶されている保留エリア１〜４の各データに基づいて判定した各判定結果が記憶される記憶領域である。
【０１０７】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示部８８、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【０１０８】
また、入出力ポート２０５には、図示しないスイッチ群やセンサ群などからなる各種スイッチ２０８や、電源装置１１５に設けられた後述のＲＡＭ消去スイッチ（図３、１２２）回路２５３が接続され、ＭＰＵ２０１は各種スイッチ２０８から出力される信号や、ＲＡＭ消去スイッチ（図３、１２２）回路２５３より出力されるＲＡＭ消去信号ＳＧ２に基づいて各種処理を実行する。
【０１０９】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【０１１０】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理が即座に実行される。
【０１１１】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【０１１２】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための打ち止めスイッチ５１ｂがオフ（操作されていないこと）を条件に、操作ハンドル５１の回動量に対応して発射ソレノイドが励磁され、操作ハンドル５１の操作量に応じた強さで球が発射される。
【０１１３】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動表示演出（変動表示）といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【０１１４】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、振動センサ２２８、枠ボタン２２などがそれぞれ接続されている。
【０１１５】
音声ランプ制御装置１１３は、枠ボタン２２からの入力を監視し、遊技者によって枠ボタン２２が操作された場合は、第３図柄表示装置８１の下側表示領域Ｄｓに表示されている入賞順に表示されている保留図柄表示を変動表示開始順に並び替えて表示されるように、音声出力装置２２６を制御し、また、表示制御装置１１４へ指示する。
【０１１６】
また、振動センサ２２８は、遊技板２１３の裏面に取り付けられている。パチンコ機１０では、入賞口への入賞が遊技状態を決定する重要な要因となるので、振動によって球の流れを変え、意図的に入賞口への入賞が行われることを阻止する必要がある。そこで、振動センサ２２８の出力から、遊技者などによってパチンコ機１０に振動が与えられたと判断される場合は、その振動エラーを伝えるエラーコマンドを表示制御装置１１４に送信する。その他、音声ランプ制御装置１１３は、主制御装置１１０からのコマンドや、音声ランプ制御装置１１３に接続された各種装置等の状況に応じてエラーを判定し、そのエラーの種別を含めてエラーコマンドを表示制御装置１１４へ送信する。表示制御装置１１４では、受信したエラーコマンドによって示されるエラー種別（例えば、振動エラー）に応じたエラーメッセージ画像を第３図柄表示装置８１に遅滞無く表示させる制御が行われる。
【０１１７】
音声ランプ制御装置１１３のＲＡＭ２２３には、コマンド記憶領域２２３ａ、第１特別図柄保留球数カウンタ２２３ｂ１、第２特別図柄保留球数カウンタ２２３ｂ２、第１変動開始フラグ２２３ｃ１、第２変動開始フラグ２２３ｃ２、第１停止種別選択フラグ２２３ｄ１、第２停止種別選択フラグ２２３ｄ２、従第１変動停止フラグ２２３ｅ、従第２変動停止フラグ２２３ｆ、従第１変動再開フラグ２２３ｇ、従第２変動再開フラグ２２３ｈ、従第１変動時間記憶エリア２２３ｉ、従第２変動時間記憶エリア２２３ｊ、従並び替え後記憶エリア２２３ｋ、その他メモリエリア２２３ｍが少なくとも設けられている。
【０１１８】
コマンド記憶領域２２３ａは、主制御装置１１０から音声ランプ制御装置１１３へ出力された各種コマンドがそのコマンドに対する処理が実行されるまで一時的に記憶され領域である。詳細には、リングバッファで構成され、ＦＩＦＯ（Ｆｉｒｓｔ  Ｉｎ  Ｆｉｒｓｔ  Ｏｕｔ）方式によってデータの読み書きが行われる。音声ランプ処理装置１１３のコマンド判定処理が実行されると、コマンド記憶領域２２３ａに記憶された未処理のコマンドのうち、最初に格納されたコマンドが読み出され、コマンド判定処理によって、そのコマンドが解析されて、そのコマンドに応じた処理が行われる。
【０１１９】
第１特別図柄保留球数カウンタ２２３ｂ１は、主制御装置１１０の第１特別図柄保留球数カウンタ２０３ａと同様に、第１図柄表示装置３７（および第３図柄表示装置８１）で行われる第１特別図柄の変動表示（動的表示）であって、主制御装置１１０において保留されている変動表示演出の保留球数（待機回数）を最大４回まで計数するカウンタである。
【０１２０】
第２特別図柄保留球数カウンタ２２３ｂ２は、主制御装置１１０の第２特別図柄保留球数カウンタ２０３ａと同様に、第１図柄表示装置３７（および第３図柄表示装置８１）で行われる第２特別図柄の変動表示（動的表示）であって、主制御装置１１０において保留されている変動表示演出の保留球数（待機回数）を最大４回まで計数するカウンタである。
【０１２１】
第１変動開始フラグ２２３ｃ１は、電源投入時に初期値としてオフに設定され、主制御装置１１０から出力された第１特別図柄の変動パターンを通知する第１変動パターンコマンドを受信した場合にオンに設定される。一方、第３図柄表示装置８１における変動表示の設定がなされるときにオフされる。
【０１２２】
第２変動開始フラグ２２３ｃ２は、電源投入時に初期値としてオフに設定され、主制御装置１１０から出力された第２特別図柄の変動パターンを通知する第２変動パターンコマンドを受信した場合にオンに設定される。一方、第３図柄表示装置８１における変動表示の設定がなされるときにオフされる。
【０１２３】
第１停止種別選択フラグ２２３ｄ１は、主制御装置１１０から出力される第１特別図柄の変動停止種別を通知する第１停止種別コマンドを受信した場合にオンに設定される。一方、第３図柄表示装置８１における変動表示の設定がなされるときにオフされる。
【０１２４】
第２停止種別選択フラグ２２３ｄ２は、主制御装置１１０から出力される第２特別図柄の変動停止種別を通知する第２停止種別コマンドを受信した場合にオンに設定される。一方、第３図柄表示装置８１における変動表示の設定がなされるときにオフされる。
【０１２５】
従第１変動停止フラグ２２３ｅは、第１特別図柄が仮停止していることを示すフラグである。主制御装置１１０から仮第１変動停止コマンドを受信した場合にオンに設定される。一方、第３図柄表示装置８１における第１特別図柄の変動表示を停止処理する処理を実行した場合に、オフに設定される。
【０１２６】
従第２変動停止フラグ２２３ｆは、第２特別図柄が仮停止していることを示すフラグである。主制御装置１１０から仮第２変動停止コマンドを受信した場合にオンに設定される。一方、第３図柄表示装置８１における第２特別図柄の変動表示を停止処理する処理を実行した場合に、オフに設定される。
【０１２７】
従第１変動再開フラグ２２３ｇは、仮停止されていた第１特別図柄の変動表示が再開されることを示すフラグである。主制御装置１１０から第１特別図柄変動再開コマンドを受信した場合に、従第１再開フラグ２２３ｇがオンに設定される。一方、第３図柄表示装置８１の第１特別図柄の変動表示が再開される処理を実行した場合に、オフに設定される。
【０１２８】
従第２変動再開フラグ２２３ｈは、仮停止されていた第２特別図柄の変動表示が再開されることを示すフラグである。主制御装置１１０から第２特別図柄変動再開コマンドを受信した場合に、従第２再開フラグ２２３ｈがオンに設定される。一方、第３図柄表示装置８１の第２特別図柄の変動表示が再開される処理を実行した場合に、オフに設定される。
【０１２９】
従第１変動時間記憶エリア２２３ｉは、第１特別図柄の変動時間を計測した値が記憶される記憶領域である。主制御装置１１０のＭＰＵ２０１のＲＡＭ２０３の第１変動時間記憶エリア２０３ｓと同期した値で記憶される記憶エリアである。第１特別図柄の変動開始に基づいて、１ｍｓ毎に１ずつ加算されて実際の変動表示した変動時間が記憶される。
【０１３０】
従第２変動時間記憶エリア２２３ｊは、第２特別図柄の変動時間を計測した値が記憶される記憶領域である。主制御装置１１０のＭＰＵ２０１のＲＡＭ２０３の第２変動時間記憶エリア２０３ｔと同期した値で記憶される記憶エリアである。第２特別図柄の変動表示開始に基づいて、１ｍｓ毎に１ずつ加算されて実際の変動表示した変動時間が記憶される。
【０１３１】
従並び替え保留記憶エリア２２３ｋは、主制御装置１１０から出力される入賞コマンドに基づいて、主制御装置１１０におけるＲＡＭ２０３の並び替え保留記憶エリア２０３ｕと同様のデータが、主制御装置１１０から音声ランプ制御装置１１３に対して出力される入賞コマンドに基づいて記憶される記憶領域である。
【０１３２】
その他メモリエリア２２３ｍは、音声ランプ制御装置１１３のＭＰＵ２２１が使用するその他カウンタ値等を一時的に記憶して置くためのエリアである。
【０１３３】
電源装置１１５は、パチンコ機１０の各部に電源を供給するための電源部２５１と、停電等による電源遮断を監視する停電監視回路２５２と、ＲＡＭ消去スイッチ（図３、１２２）（図３参照）が設けられたＲＡＭ消去スイッチ（図３、１２２）回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１３４】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理を正常に実行し完了することができる。
【０１３５】
なお、停電が発生すると、主制御装置１１０のＭＰＵ２０１は、並び替え保留記憶エリア２０３ｕの各データをバックアップデータとしてＲＡＭ２０３のバックアップエリアに記憶する。そして、再度、パチンコ機１０に電力が供給されると、バックアップエリアより並び替え保留記憶エリア２０３ｕのバックアップされた各データが読み出され、並び替え保留記憶エリア２０３ｕの対応する各保留エリアまたは変動中データ記憶領域に記憶される。
【０１３６】
そして、立ち上げ処理において、第１先読み更新処理で生成される入賞コマンドと同様に、バックアップしたデータが読み出され記憶された並び替え保留記憶エリア２０３ｕに基づいて全ての入賞コマンドが生成され、音声ランプ制御装置１１３に出力されることにより、従並び替え保留記憶エリア２２３ｋにも同じ並び替え保留記憶エリア２０３ｕと同期したデータが設定される。
【０１３７】
また、立ち上げ処理において、音声ランプ制御装置１１３に入賞コマンドを送信することで、並び替え保留記憶エリア２０３ｕと従並び替え保留記憶エリア２２３ｋとのデータを停電時からの復帰時にも同期させる構成を説明したが、それに限らず、主制御装置１１０のＭＰＵ２０１と同様に、音声ランプ制御装置１１３のＭＰＵ２２１が、停電発生時に、従並び替え保留記憶エリア２２３ｋの各データをＲＡＭ２２３にバックアップデータとして記憶させる構成にしても当然よい。
【０１３８】
ＲＡＭ消去スイッチ（図３、１２２）回路２５３は、電源投入時（ＲＡＭ消去スイッチ（図３、１２２）を押しながら電源投入）にＲＡＭ消去スイッチ（図３、１２２）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１３９】
主制御装置１１０のＭＰＵ２０１は、特別図柄や普通図柄の入賞の検知や、その入賞に対して当たりや変動パターンの選択等の各種抽選等の制御処理を実行している。その為、ＭＰＵ２０１の制御負荷は大きくなっており、安定してパチンコ機１０の制御を実行するために、本実施形態のように、遊技動作示唆設定を設定するか否かの抽選を、サブ制御装置に該当する音声ランプ制御装置１１３のＭＰＵ２２１が行うようにすることで、主制御装置１１０の制御負荷を軽くすることができる。
【０１４０】
主制御装置１１０と音声ランプ制御装置１１３との制御基板は、基板ボックスと呼ばれる、透明なプラスチック製のベース部材と蓋部材で構成された箱（ボックス）により覆われている。その基板ボックスは、ベース部材と蓋部材とを容易に離間できないように「封止部材」と呼ばれる不正防止のための部材によりかしめが行われている。一般的に封止部材は、ベース部材と蓋部材を勘合させた場合に、ベース部材と蓋部材との一部を貫通して設けられた貫通孔にピン形状の封止部材を挿入する（かしめる）ことで、貫通孔を形成している部材を破壊するか、封止部材を破壊するか等の開封痕の残る方法でしかベース部材と蓋部材を離間させることが困難に構成されている。
【０１４１】
次いで、図７から図１８を参照して、振分装置１０００の詳細構成について説明する。まず、図７（ａ）及び図７（ｂ）を参照して、振分装置１０００の全体構成について説明する。
【０１４２】
図７（ａ）は、振分装置１０００の正面図であり、図７（ｂ）は、図７（ａ）の矢印ＶＩＩｂ方向視における振分装置１０００の側面図である。
【０１４３】
図７（ａ）及び図７（ｂ）に示すように、振分装置１０００は、基板部材１１００（図８参照）と、その基板部材１１００の前面側（図７紙面手前側）に配設される前面部材１２００（図９から図１２参照）と、それら基板部材１１００及び前面部材１２００の対向間（内部空間）に回動可能に配設される円板部材１３００（図１３参照）とを備え、入球した遊技球を第１位置と第２位置との２位置（本実施形態では第１始動口６３ａ及び第２始動口６３ｂ）へ交互に振り分ける（図４参照）。
【０１４４】
次いで、図８から図１３を参照して、基板部材１１００、前面部材１２００及び円板部材１３００の詳細構成について、順に説明する。図８（ａ）は、基板部材１１００の正面図であり、図８（ｂ）は、図８（ａ）の矢印ＶＩＩＩｂ方向視における基板部材１１００の側面図であり、図８（ｃ）は、図８（ａ）の矢印ＶＩＩＩｃ方向視における基板部材１１００の底面図である。なお、図８（ａ）では、基板部材１１００に対する前面部材１２００の配設位置の関係を示すために、前面部材１２００が二点鎖線を用いて模式的に図示される。
【０１４５】
図８（ａ）から図８（ｃ）に示すように、基板部材１１００は、正面視横長の板状に形成され、その板状体の隅部４ヶ所には、挿通孔１１００ａが穿設される。これら各挿通孔１１００ａに挿通された締結ねじにより、基板部材１１００が、遊技盤１３のベース板６０（図２参照）に締結固定される。
【０１４６】
基板部材１１００の略中央部４ヶ所には、挿通孔１１００ｂが穿設される。これら挿通孔１１００ｂには、基板部材１１００の背面側（図８（ａ）紙面奥側）から締結ねじが挿通され、その締結ねじにより、基板部材１１００の前面側（図８（ａ）紙面手前側）に前面部材１２００が締結固定される。
【０１４７】
基板部材１１００の中央下方には、２本の誘導通路（左誘導通路１１１０Ｌ及び右誘導通路１１１０Ｒ）が配設される。これら左誘導通路１１１０Ｌ及び右誘導通路１１１０Ｒは、円板部材１３００の左受け部１３１０Ｌ及び右受け部１３１０Ｒ（図１３参照）から排球される遊技球を受け入れると共にその受け入れた遊技球を第１始動口６３ａ及び第２始動口６３ｂ（図４参照）へ誘導するための通路であり、遊技球の入口となる開口（左開口１１１１Ｌ及び右開口１１１１Ｒ）が一端側に上方に開口して形成されると共に、遊技球の出口となる開口が他端側に左連通孔１１２０Ｌ及び右連通孔１１２０Ｒにそれぞれ連通された状態で形成される。
【０１４８】
左誘導通路１１１０Ｌの左開口１１１１Ｌは、右誘導通路１１１０Ｒの右開口１１１１Ｒよりも、基板部材１１００の前面側（図８（ｃ）下側）に配設される。即ち、左開口１１１１Ｌ及び右開口１１１１Ｒは、基板部材１１００の前後方向（図８（ａ）紙面垂直方向）に沿って並設され、これにより、基板部材１１００に前面部材１２００が締結固定された組み立て状態では、左開口１１１１Ｌ及び右開口１１１１Ｒが、前面部材１２００の左排球口１２２２Ｌ及び右排球口１２２２Ｒ（いずれも図９（ｃ）参照）にそれぞれ連通される。
【０１４９】
よって、後述するように、円板部材１３００の左受け部１３１０Ｌから排球される遊技球は、前面部材１２００の左排球口１２２２Ｌを介して、左誘導通路１１１０Ｌの左開口１１１１Ｌに、円板部材１３００の右受け部１３１０Ｒから排球される遊技球は、前面部材１２００の右排球口１２２２Ｒを介して、右誘導通路１１１０Ｒの右開口１１１１Ｒに、それぞれ導入される（図１４から図１８参照）。
【０１５０】
なお、基板部材１１００の左連通孔１１２０Ｌには第１始動口６３ａが、右連通孔１１２０Ｒには第２始動口６３ｂが、それぞれ接続される（図４参照）。よって、左誘導通路１１１０Ｌは、左開口１１１１Ｌから導入された遊技球を、左連通孔１１２０Ｌに誘導して、第１始動口６３ａに入賞させる。一方、右誘導通路１１１０Ｒは、右開口１１１１Ｒから導入された遊技球を、右連通孔１１２０Ｒに誘導して、第２始動口６３ｂに入賞させる。
【０１５１】
次いで、図９及び図１０を参照して、前面部材１２００の全体構成について説明する。図９（ａ）は、前面部材１２００の正面図であり、図９（ｂ）は、図９（ａ）の矢印ＩＸｂ方向視における前面部材１２００の側面図であり、図９（ｃ）は、図９（ａ）のＩＸｃ−ＩＸｃ線における前面部材１２００の断面図である。図１０（ａ）は、前面部材１２００の背面図であり、図１０（ｂ）は、図１０（ａ）の矢印Ｘｂ方向視における前面部材１２００の上面図である。
【０１５２】
図９及び図１０に示すように、前面部材１２００は、板状の前面板部材１２１０と、その前面板１２１０の背面側（図１０紙面手前側）に配設される円筒状の対面壁部材１２２０と、その対面壁部材１２２０の内周側に同心に配設される軸部材１２３０とを備え、これらが樹脂材料から一体に形成される。
【０１５３】
対面壁部材１２２０は、内部に円板部材１３００（図１３参照）が回動可能に内装される部位であり、その内径寸法が、円板部材１３００の外径寸法と同一の寸法または若干大きな寸法に設定される。
【０１５４】
対面壁部材１２２０は、軸方向一端側（図９（ｃ）右側）の開口が前面板部材１２１０により閉封され、軸方向他端側（図９（ｃ）左側）の開口が開放して形成される。この開放された開口は、基板部材１１００により閉封される（図７及び図８参照）。即ち、振分装置１０００の組み立ては、前面部材１２００の対面壁部材１２２０の開放側から円板部材１３００を挿入すると共に、基板部材１１００を締結固定することで、円板部材１３００を振分装置１０００の内部に回転可能かつ脱落不能に内装することができる。よって、組み立て工程して、製造コストの削減を図ることができる。
【０１５５】
対面壁部材１２２０には、入球口１２２１と、左排球口１２２２Ｌ及び右排球口１２２２Ｒと、左溝１２２３Ｌ及び右溝１２２３Ｒと、案内傾斜部１２２４と、被締結孔１２２５とが形成される。
【０１５６】
入球口１２２１は、遊技領域を流下する遊技球が入球される開口であり、対面壁部材１２２０の最上部となる位置に鉛直方向（図１０上下方向）に沿って穿設される。また、入球口１２２１は、対面壁部材１２２０の軸方向（図９（ｃ）左右方向）における中央（即ち、回転部材１３００における左受け部１３１０Ｌ及び右受け部１３１０Ｒ（図１３参照）の両者の移動軌跡が重なる位置）に配設され、入球された遊技球を、左受け部１３１０Ｌ及び右受け部１３１０Ｒのいずれにも受けさせる（誘導する）ことができる。
【０１５７】
左排球口１２２２Ｌ及び右排球口１２２２Ｒは、円板部材１３００の左受け部１３１０Ｌ及び右受け部１３１０Ｒにより搬送された遊技球を、基板部材１１００の左誘導通路１１１０Ｌ及び右誘導通路１１１０Ｒへ導入するための開口であり、対面壁部材１２２０の最下部となる位置（即ち、入球口１２２１から１８０度位相を異ならせた位置）に鉛直方向（図１０上下方向）に沿って穿設される。
【０１５８】
左排球口１２２２Ｌ及び右排球口１２２２Ｒは、対面壁部材１２２０の軸方向（図９（ｃ）左右方向）に互いに離間されると共に、円板部材１３００が回動される際の左受け部１３１０Ｌ及び右受け部１３１０Ｒの出口側（傾斜側面１３１２側、図１３参照）の移動軌跡上にそれぞれ配置される。
【０１５９】
左溝１２２３Ｌ及び右溝１２２３Ｒは、対面壁部材１２２０の内周面に凹設される断面円弧状の凹溝であり、対面壁部材１２２０の周方向に沿って延設される。円板部材１３００の回動に伴い、左受け部１３１０Ｌ又は右受け部１３１０Ｒに収納された遊技球が左排球口１２２２Ｌ又は右排球口１２２２Ｒへ向けて搬送される際には、その遊技球の一部を左溝１２２３Ｌ又は右溝１２２３Ｒに受け入れることができる（例えば、図１５参照）。
【０１６０】
左溝１２２３Ｌ及び右溝１２２３Ｒの内周面（延設方向に垂直な断面における円弧形状）の曲率半径は、遊技球の曲率半径と同等または若干大きな曲率半径に設定される。よって、遊技球が左溝１２２３Ｌ又は右溝１２２３Ｒに受け入れられた状態で円板部材１３００が回動されると、遊技球が左溝１２２３Ｌ又は右溝１２２３Ｒ上を転動または摺動される。
【０１６１】
案内傾斜部１２２４は、上面側が開放されると共に、底面に入球口１２２１が開口される凹部であり、その凹部の内壁は、入球口１２２１へ向けて下降傾斜する４面の傾斜面として形成される（図１０（ｂ）参照）。よって、案内傾斜部１２２４内に流下された遊技球を入球口１２２１へ案内して確実に入球させることができる。
【０１６２】
案内傾斜部１２２４の内壁は、遊技球の直径よりも高く（大きく）されるので、その内部（凹部空間内）に遊技球を保持しておくことができる。即ち、入球孔１２２１から左受け部１３１０Ｌ又は右受け部１３１０Ｒ（図１３参照）へ遊技球を導入させることができない場合は、円板部材１３００の回動に伴い、左受け部１３１０Ｌ又は右受け部１３１０Ｒが入球口１２２１の直下に配設されるまでの間、遊技球を案内傾斜部１２２４の内部に保持できる。円板部材１３００の回動に伴い、左受け部１３１０Ｌ又は右受け部１３１０Ｒが入球口１２２１の直下に配設された場合には、保持している遊技球を、入球口１２２１を介して速やかに左受け部１３１０Ｌ又は右受け部１３１０Ｒへ導入させることができる。
【０１６３】
被締結孔１２２５は、対面壁部材１２２０の端面（図１０紙面手前側面）に開口されるねじ孔であり、基板部材１１００の挿通孔１１００ｂ（図８参照）に対応する位置に形成される。即ち、基板部材１１００の背面側から挿通孔１１００ｂに挿通された締結ねじが、対面壁部材１２２０の被締結孔１２２５に締結されることで、前面部材１２００が基板部材１１００に締結固定される。
【０１６４】
対面壁部材１２２０の外周面には、対面側磁石１２２６が埋設される。対面側磁石１２２６は、左排球口１２２２Ｌ又は右排球口１２２２Ｒへ向けて搬送される遊技球に磁力（引き付ける力）を作用させるための磁石であり、左溝１２２３Ｌ及び右溝１２２３Ｒの延設方向に沿って、複数個（本実施の形態では各３個）がそれぞれ列設される。
【０１６５】
対面壁部材１２２０の内周面側には、軸部１２３０が前面板部材１２１０の背面から垂直に立設される。軸部１２３０は、対面壁部材１２２０の内周面に同心に配設され、円板部材１３００（図１３参照）を回動可能に軸支する軸として使用される。
【０１６６】
次いで、図１１及び図１２を参照して、前面部材１２００の左排球口１２２２Ｌ及び右排球口１２２２Ｒと左溝１２２３Ｌ及び右溝１２２３Ｒとの詳細構成について説明する。
【０１６７】
図１１は、図９（ｃ）のＸＩ−ＸＩ線における対面壁部材１２２０の断面図であり、図１２は、図１０（ａ）の矢印ＸＩＩ方向視における対面壁部材１２２０の内周面を平面に展開して図示した平面展開図である。
【０１６８】
なお、左排球口１２２２Ｌは右排球口１２２２Ｒと、左溝１２２３Ｌは右溝１２２３Ｒと、それぞれ同一の構成であるので、ここでは、右排球口１２２２Ｒ及び右溝１２２３Ｒのみを説明し、左排球口１２２２Ｌ及び左溝１２２３Ｌについての説明は省略する。
【０１６９】
図１１及び図１２に示すように、右排球口１２２２Ｒは、対面壁部材１２２０の内周面側（図１１上側）から外周面側（図１１下側）へ向かうに従って直径が大きくされるテーパ孔として形成される。即ち、右排球口１２２２Ｒは、その孔の延設方向が、円板部材１３００の回動方向進行側（図１１では右溝１２２３Ｒから離間する方向）へ向けて傾斜して延設される孔として形成される。よって、後述するように、円板部材１３００の右受け部１３１０Ｒから排球される遊技球を、対面壁部材１２２０の右排球口１２２２Ｒ内へスムーズに入り込ませると共に、入り込んだ遊技球を滞らせることなく出口まで通過させることができる（図１６（ｂ）参照）。
【０１７０】
右排球口１２２２Ｒは、対面壁部材１２２０の内周面側の開口縁部であって、右溝１２２３Ｒの終端に対面する側（図１１左側）の開口縁部の位置が、右溝１２２３Ｒの底面よりも対面壁部材１２２０の中心側（即ち、円板部材１３００に近接する側、図１１上側）に配設される。
【０１７１】
よって、遊技球が、その一部を右溝１２２３Ｒに受け入れさせつつ（嵌り込ませつつ）、右排球口１２２２Ｒに到達する際に（図１５及び図１６参照）、その遊技球の外周面を、右排球口１２２２Ｒの開口縁部（右溝１２２３Ｒの終端に対面する側、図１１左側）に当接させることができる（図１６（ｂ）参照）。これにより、後述するように、右排球口１２２２Ｒへ遊技球を確実に排球させることができるだけでなく、円板部材１３００の回動を停止させることができる。
【０１７２】
右溝１２２３Ｒは、終端（図１２下端）が右排球口１２２２Ｒに接続される一方、始端（図１２上端）は、入球口１２２１に接続されない。即ち、入球口１２２１から約８０度位相を進めた位置に右溝１２２３Ｒの始端（図１２上端）は位置する。入球孔１２２１から約８０度の位相範囲では、右受け部１３１０Ｒに受け入れられている遊技球は対面壁部材１２２０の内周面にはほぼ接触されず（図１４（ｂ）及び図１５（ａ）参照）、右溝１２２３Ｒの凹設が無駄となるからである。これにより、不必要な凹設による対面壁部材１２２０の強度低下を抑制して、その耐久性の向上を図ることができる。一方で、右溝１２２３Ｒの始端を、入球口１２２１から９０度位相を進めた位置よりも少し（約１０度）早めた位置とすることで、遊技球を右溝１２２３Ｒに確実に導入することができると共に、右溝１２２３Ｒによる効果（転動抵抗または摺動抵抗を遊技球に作用させる）を最大限発揮させることができる。
【０１７３】
右溝１２２３Ｒは、右排球口１２２２Ｒへ向かうに従って、対面壁部材１２２０の内周面からの凹設深さが大きく（深く）される。この場合、上述したように、右溝１２２３Ｒは、内周面の曲率半径が、遊技球の曲率半径と同等とされる。
【０１７４】
よって、円板部材１３００の回転に伴い遊技球が右溝１２２３Ｒを転動または摺動する際には、右溝１２２３Ｒから遊技球へ作用させる転動抵抗または摺動抵抗を、右排球口１２２２Ｒへ近づくほど大きくすることができる。また、遊技球が右溝１２２３Ｒに受け入れられる量（嵌り込む量）を、右排出孔１２２２Ｒへ近づくに従って徐々に大きくできる。よって、後述するように、円板部材１３００の回動速度を低減させ易くして、右排球口１２２２Ｒへの遊技球の排球を確実化できると共に、右排球口１２２２Ｒへ入り込む方向への慣性力を遊技球に持たせることができる。
【０１７５】
右溝１２２３Ｒの底面側には、その右溝１２２３Ｒの延設方向に沿って対面側磁石１２２６が列設される。即ち、対面側磁石１２２６は、遊技球が円板部材１３００の回動動作に伴い移動する移動軌跡に対応する位置に配設される。また、対面側磁石１２２６は、対面壁部材１２２０の入球口１２２１よりも右排球口１２２２Ｒに近い側（図１２下側）に配設される。本実施の形態では、右排球口１２２２Ｒの開口縁部（図１１右側）から１５度位相を後退させた（図１１反時計方向に中心角１５度の）範囲内に配設される。
【０１７６】
よって、右溝１２２３を遊技球が通過する際には、その遊技球へ対面側磁石１２２６の磁力（遊技球を引き付ける力）を作用させることができ、その結果、円板部材１３００に回動抵抗を作用させることができる。よって、後述するように、円板部材１３００の回動速度を低減させ易くして、右排球口１２２２Ｒへの遊技球の排球を確実化できる。
【０１７７】
また、本実施形態では、対面側磁石１２２６の磁力を作用させる対象として遊技球を利用するので、円板部材１３００に磁石を配設する必要がない。よって、その分、部品点数を削減して、組み立てコスト及び製品コストの削減を図ることができる。但し、対面側磁石１２２６と引き付け合う磁極の向きで円板部材１３００に磁石を設けても良い。
【０１７８】
対面側磁石１２２６は、複数（本実施形態では３個）が配設されると共に、それら複数の対面側磁石１２２６は、右排球口１２２２Ｒに近いものほど、遊技球（即ち、右溝１２２３Ｒの底面）から対面壁部材１２２０の径方向に離間する離間量が小さくされる。よって、対面側磁石１２２６による磁力（遊技球を引き付ける力）による効果を、遊技球が右排球口１２２２Ｒへ近づくほど大きくできる。よって、後述するように、対面側磁石１２２６から遊技球へ磁力を作用させる効果を徐々に強くすることができるので、円板部材１３００の回動速度をスムーズに低減させることができる。
【０１７９】
次いで、図１３を参照して、円板部材１３００について説明する。図１３（ａ）は、円板部材１３００の上面図であり、図１３（ｂ）は、図１３（ａ）の矢印ＸＩＩＩｂ方向視における円板部材１３００の正面図であり、図１３（ｃ）は、図１３（ｂ）の矢印ＸＩＩＩｃ方向視における円板部材１３００の底面図である。なお、図１３（ｂ）では、左受け部１３１０Ｌ及び右受け部１３１０Ｒを破線により模式的に図示する一方、押込板１３２０の図示を省略する。
【０１８０】
図１３に示すように、円板部材１３００は、対面壁部材１２２０の入球口１２２１から入球された遊技球を左排球口１２２２Ｌ又は右排球口１２２２Ｒへ搬送するための部材であり（図９から図１２参照）、所定の厚み（図１３（ａ）及び図１３（ｃ）上下方向寸法）を有する軸方向視円形の円板状に形成される。
【０１８１】
なお、以下においては、円板部材１３００の軸方向一端側（図１３（ｂ）紙面手前側）の面を前面Ｆと称し、その前面Ｆの反対側の面を背面Ｂと称す。本実施形態では、円板部材１３００は、前面Ｆが前面部材１２００の前面板部材１２１０（図９（ｃ）参照）に対面すると共に、背面Ｂが基板部材１１００（図８参照）に対面する向きで、それら基板部材１１００及び前面部材１２００の間に内装される。
【０１８２】
円板部材１３００は、その外周面に凹設される左受け部１３１０Ｌ及び右受け部１３１０Ｒと、それら左受け部１３１０Ｌ及び右受け部１３１０Ｒの開口部分にそれぞれ架設される押込板１３２０と、前面部材１２００の軸部１２３０（図９及び図１０参照）により軸支される軸受部となるワンウェイクラッチ１３３０とを備える。
【０１８３】
左受け部１３１０Ｌ及び右受け部１３１０Ｒは、入球口１２２１に入球された遊技球を受けると共に、その受けた遊技球を収納し、左排球口１２２２Ｌ及び右排球口１２２２Ｒへそれぞれ排球するための正面視長方形の凹部であり、互いに１８０度位相を異ならせて配置される。
【０１８４】
左受け部１３１０Ｌ及び右受け部１３１０Ｒは、傾斜底面１３１１と、その傾斜底面１３１１に連なる傾斜側面１３１２とを備える。傾斜底面１３１１は、凹部の底面を形成する平坦面であり、この傾斜底面１３１１の一端側（傾斜側面１３１２と反対側）に入球口１２２１から遊技球が落下される。
【０１８５】
傾斜底面１３１１は、円板部材１３００の回転方向前方側（傾斜側面１３１２側）へ向けて下降傾斜される。即ち、左受け部１３１０Ｌ及び右受け部１３１０Ｒは、円板部材１３００の外周面からの凹設深さが傾斜側面１３１２側ほど深く（円板部材１３００の軸心から傾斜底面１３１１までの距離が、傾斜側面１３１２側ほど短く）される。よって、入球口１２２１から傾斜底面１３１１へ落下した遊技球は、その傾斜底面１３１１上を傾斜側面１３１２へ向けて転動される（図１４参照）。その結果、後述するように、遊技球の重さによって円板部材１３００全体としての重心位置が軸心から偏心され、円板部材１３００が回動される（図１４及び図１５参照）。
【０１８６】
傾斜側面１３１２は、凹部の側面を形成する平坦面であり、凹部に収納された遊技球は、傾斜側面１３１２上を左溝１２２３Ｌ又は右溝１２２３Ｒへ向けて転動される（図１５（ａ）参照）。傾斜側面１３１２は、傾斜底面１３１１との間に９０度以上の角度を有しつつ、傾斜底面１３１１の下降傾斜端となる他端側（円板部材１３００の回動方向前方側）から立設される。
【０１８７】
ここで、左受け部１３１０Ｌ及び右受け部１３１０Ｒは、傾斜底面１３１１の一端側（傾斜側面１３１２と反対側となる上昇傾斜端）が共に円板部材１３００の厚み方向（図１３（ａ）及び図１３（ｃ）方向）中央に位置する一方、左受け部１３１０Ｌは、傾斜側面１３１２が円板部材１３００の前面Ｆ側に位置し、右受け部１３１０Ｒは、傾斜側面１３１２が円板部材１３００の背面Ｂ側に位置する。
【０１８８】
即ち、傾斜底面１３１１の一端側（傾斜側面１３１２と反対側となる上昇傾斜端）は、左受け部１３１０Ｌ及び右受け部１３１０Ｒの両者において、円板部材１３００が回動される際に、入球口１２２１に対応する位置（対面する位置）を通過可能に形成される。よって、入球口１２２１から落下された遊技球を受け凹部に収容することができる。
【０１８９】
一方、左受け部１３１０Ｌの傾斜側面１３１２は、回動部材１３００が回動される際に、左溝１２２３Ｌ及び左排球口１２２２Ｌに対応する位置（対面する位置）を、右受け部１３１０Ｒの傾斜側面１３１２は、回動部材１３００が回動される際に、右溝１２２３Ｒ及び右排球口１２２２Ｒに対応する位置（対面する位置）を、それぞれ通過可能に形成される。よって、収納される遊技球を左排球口１２２２Ｌ又は右排球口１２２２Ｒへ排球することができる。
【０１９０】
左受け部１３１０Ｌ及び右受け部１３１０Ｒは、傾斜底面１２１１の一端側（傾斜側面１３１２と反対側となる上昇傾斜端）における凹設深さが最小となるところ、かかる一側における凹設深さの寸法は、遊技球の直径よりも少なくとも大きな深さ寸法とされる。これにより、入球口１２２１から遊技球を受ける初期段階において、傾斜底面１３１１で跳ね返った遊技球が対面壁部材１２２０の内周面へ衝突することを抑制して、円板部材１３００の回動動作を円滑に進行させることができる。
【０１９１】
一方、傾斜底面１２１１の一端側（傾斜側面１３１２と反対側となる上昇傾斜端）における凹設深さの寸法は、遊技球の直径の１．５倍よりも小さな深さ寸法とされる。これにより、入球口１２２１から２個以上の遊技球が連なって入球される場合でも、回転部材１３００の回動動作に伴って、２個目以降の遊技球を入球口１２２１（案内傾斜部１２２４）へ押し戻すことができる。
【０１９２】
押込板１３２０は、遊技球を、左溝１２２３Ｌ又は右溝１２２３Ｒへ押し当てると共に左排球口１２２２Ｌ又は右排球口１２２２Ｒへ押し込むための板状の部材であり（図１５及び図１６参照）、両端が締結ねじにより円板部材１３００に締結固定される。なお、円板部材１３００の外周面には、押込板１３２０の厚み寸法よりも深い収納溝が凹設され、その収納溝に押込板１３２０は収納された状態で締結固定される。よって、押込板１３２０及び締結ねじの頭部は、円板部材１３００の外周面から突出されない。
【０１９３】
ここで、押込板１３２０は、遊技球を排球口へ押し込む際に大きな反力を繰り返し受けるため、締結ねじが折損する恐れがある。この場合、押込板１３２０は、収納溝に収納されているので、押込板１３２０が遊技球を排球口へ押し込む際に受ける反力を、収納溝の側面に作用させる（収納溝の側面に押込板１３２０を支持させる）ことができ、その分、締結ねじが受ける荷重負担を軽減させることができる。よって、締結ねじの折損を抑制して、耐久性の向上を図ることができる。
【０１９４】
なお、本実施形態では、押込板１３２０を締結ねじにより円板部材１３００に締結固定するが、かかる締結ねじによる締結を省略しても良い。即ち、押込板１３２０は、収納溝に収納されると共に、その収納溝の開口は、対面壁部材１２２０の内周面により閉封されるので、円板部材１３００の外周面と対面壁部材１２２０の内周面との間の隙間寸法を押込板１３２０の厚み寸法よりも小さな寸法に設定すれば、押込板１３２０を、遊技球を押込み可能かつ脱落不能に配設できる。よって、締結ねじを省略できる分、部品点数を削減すると共に組み立て工程を簡素化して、製造コストの削減を図ることができる。
【０１９５】
ワンウェイクラッチ１３３０は、円板部材１３００の回転方向を規制するための部品であり、図１３（ｂ）に示す円板部材１３００の正面視（前面Ｆ視）において、図１３（ｂ）時計周り（右回転）の回動は許容する一方、その反対方向（図１３（ｂ）反時計周り（左回転））の回動は規制する。
【０１９６】
即ち、円板部材１３００は、左受け部１３１０Ｌ及び右受け部１３１０Ｒの底面１３１１が下降傾斜する方向への回動（即ち、遊技球の重さによって円板部材１３００が回動すべき方向への回動）が許容されると共に、反対方向への回動が規制される。
【０１９７】
ここで、例えば、入球口１２２１に入球した遊技球を左受け部１３１０Ｌ又は右受け部１３１０Ｒが受けた直後（傾斜底面１３１１に落下した遊技球の転動が開始される前、図１４（ａ）参照）に、遊技者がガラスユニット１６を叩くなどの外乱により振分装置１０００に振動が入力されると、その振動の影響により、円板部材１３００が本来回動すべき方向とは逆方向へ回動するおそれがある。これに対し、本実施形態では、円板部材１３００がワンウェイクラッチ１３３０を介して軸支されているので、振動などの外乱の影響を受けた場合でも、本来回動すべき方向とは反対方向へ円板部材１３００が回動することを回避できる。
【０１９８】
次いで、図１４から図１８を参照して、振分装置１０００による遊技球の振分動作について説明する。図１４、図１５及び図１６は、左受け部１３１０Ｌで受けた遊技球を左排球口１２２２Ｌから排球する動作の遷移を図示する振分装置１０００の部分断面模式図であり、図１７及び図１８は、右受け部１３１０Ｒで受けた遊技球を右排球口１２２２Ｒから排球する動作の遷移を図示する振分装置１０００の部分断面模式図である。
【０１９９】
図１４（ａ）に示すように、遊技領域を流下する遊技球が入球口１２２１（図９及び図１０参照）に入球され、その遊技球を左受け部１３１０Ｌが受ける場合には、遊技球が入球口１２２１から左受け部１３１０Ｌの底面１３１１の一端側（図１４（ａ）左側）に落下される。
【０２００】
図１４（ｂ）に示すように、入球（落下）された遊技球は、左受け部１３１０Ｌの底面１３１１の下降傾斜によって、その底面１３１１上を他端側（傾斜側面１３１２側）へ向けて転動される。
【０２０１】
その結果、遊技球の重さが円板部材１３００に加わり、その遊技球の重さを含めた円板部材１３００全体の重心位置が軸心に対して偏心されることで、円板部材１３００が遊技球の転動する方向（即ち、図１４（ｂ）の時計回り方向）へ向けて回動される。このように、底面１３１１が下降傾斜され、その下降傾斜方向に沿って遊技球が転動されるので、その分、遊技球を含めた円板部材１３００全体の重心位置の変化を大きくすることができる。よって、円板部材１３００を確実に回動させることができると共にその回動動作を速やかに行わせることができる。
【０２０２】
また、仮に、例えば、異物の噛み込みなどの抵抗により、遊技球が底面１３１１を傾斜側面１３１２へ向けて転動されている間に、円板部材１３００の回動動作が開始されない場合でもあっても、その底面１３１１を転動する遊技球を傾斜側面１３１２に衝突させることができ、その遊技球の傾斜側面１３１２への衝突により、円板部材１３００に衝撃力を与えることができる。よって、円板部材１３００が回動動作を開始するためのきっかけ（例えば、衝撃力による異物の除去など）を付与することができる。特に、この衝撃力の作用方向は、円板部材１３００が本来回動すべき方向に一致するため、円板部材１３００が回動動作を開始するためのきっかけを効果的に付与できる。
【０２０３】
ここで、遊技領域を流下する遊技球が、不安定な状態（例えば、落下方向が一定でなく、側壁に衝突を繰り返すような暴れた状態）で入球口１２２１へ入球し、その入球した遊技球が、例えば、押込板１３２０に衝突した後、傾斜側面１３１２と反対側の側面（図１４（ａ）左側の側面）に衝突する場合には、その衝突の際の衝撃力により、左受け部１３１０Ｌに収納された遊技球の重さによって回動すべき本来の方向とは反対方向（図１４（ａ）の反時計回り）へ円板部材１３００の回動が開始されるおそれがある。
【０２０４】
これに対し、本実施形態では、円板部材１３００が、ワンウェイクラッチ１３３０を介して軸部１２３０（図９及び図１０参照）に軸支されるので、左受け部１３１０Ｌの底面１３１１が下降傾斜する方向（即ち、遊技球の重さによって回動すべき本来の方向）への回動のみを許容し、その反対方向（図１４（ａ）の反時計回り）への回動を規制することができる。
【０２０５】
傾斜側面１３１２の傾斜は、図１４（ｂ）に示す状態では、底面１３１１から離間するに従って上昇する傾斜（上昇傾斜）であるが、円板部材１３００の回動が開始されると、その円板部材１３００の回動に伴って、上昇傾斜の傾斜角が徐々に減少され、水平に達した後に、底面１３１１から離間するに従って下降する傾斜（下降傾斜）となる。そのため、左受け部１３１０に収納される遊技球は、傾斜側面１３１２上をその下降傾斜に沿って円板部材１３００の外周面（対面壁部材１２２０の内周面）へ向けて転動される。
【０２０６】
図１５（ａ）に示すように、遊技球は、傾斜側面１３１２上をその下降傾斜に沿って転動されることで、対面壁部材１２２０の内周面に到達する。この場合、対面壁部材１２２０の内周面に凹設される左溝１２２３Ｌは、左受け部１３１０Ｌ（傾斜側面１３１２）の移動軌跡に沿って延設されるので、円板部材１３００が回動する際には、左受け部１３１０に収納された遊技球の一部が左溝１２２３Ｌに受け入れられた状態を形成できる。
【０２０７】
図１５（ａ）、図１５（ｂ）及び図１６（ａ）に示すように、円板部材１３００の回動動作が更に進行されると、傾斜側面１３１２の下降傾斜の傾斜角が更に増加されることとなり、遊技球は自重および円板部材１３００の回動に伴い作用する遠心力により、対面壁部材１２２０の内周面へ向けて移動される。その結果、円板部材１３００は、左溝１２２３Ｌに遊技球の一部が受け入れられた状態を維持しつつ、回動される。
【０２０８】
このように、円板部材１３００が回動する際には、円板部材１３００が対面壁部材１２２０（左溝１２２３Ｌ）に対し、遊技球を介して連結された状態を形成できる。よって、左溝１２２３Ｌを遊技球が転動または摺動する際の抵抗を利用して、円板部材１３００に回動抵抗を作用させることができ、その結果、円板部材１３００が回動方向へ過大な慣性力（回動速度）を有することを抑制できる。よって、その後、遊技球を左排球口１２２２Ｌへ排球する際には（図１６（ｂ）参照）、その排球を確実に行うことができる。
【０２０９】
なお、左受け部１３１０Ｌの開口部分には、押込板１３２０が架設され、この押込板１３２０は、遊技球の一部が左溝１２２３に受け入れられた状態で、円板部材１３００が回動動作される場合に、遊技球に対し円板部材１３００の回動方向後方においてその遊技球に当接可能に形成される。よって、かかる押込板１３２０を介して、遊技球の転動抵抗または摺動抵抗を円板部材１３００に伝達でき、その結果、円板部材１３００に回動抵抗を付与することができる。
【０２１０】
上述のように、左受け部１３１０Ｌに収納された遊技球の一部が左溝１２２３Ｌに受け入れられた状態（即ち、左受け部１３１０Ｌから突出された状態）を形成できれば、その受け入れ量（突出量）の分だけ、遊技球を左排球口１２２２Ｌに近づけた状態とし、かかる左排球口１２２２Ｌに入り込みやすい状態としておけるので、左排球口１２２２Ｌへの遊技球の排球（図１６（ｂ）参照）を確実に行うことができる。
【０２１１】
なお、左溝１２２３Ｌは、左排球口１２２２Ｌへ向かうに従って凹設深さが大きく（深く）されるので、遊技球と左溝１２２３Ｌとの間の転動または摺動による抵抗を、その遊技球が左排球口１２２２Ｌに近づく（即ち、円板部材１３００の回動が進行する）に従って、徐々に大きくすることができる。よって、円板部材１３００の回動方向への慣性力（回動速度）を効率的に抑制することができる。
【０２１２】
また、左受け部１３１０Ｌに収納された遊技球の一部が左溝１２２３Ｌに受け入れられる量（即ち、左受け部１３１０Ｌから遊技球が突出される量）を徐々に大きくできるので、円板部材１３００の回動に伴って、径方向外方（即ち、左溝１２２３Ｌに受け入れられる方向）へ遊技球を移動させることができる。この径方向外方への移動により、左排球口１２２２Ｌへ入り込む方向への慣性力を遊技球に持たせることができるので、かかる遊技球を左排球口１２２２Ｌへ入り込みやすくでき、その結果、左排球口１２２２Ｌへの遊技球の排球（図１６（ｂ）参照）を確実に行うことができる。
【０２１３】
ここで、遊技球が左溝１２２３Ｌを転動または摺動するのは、円板部材１３００が所定角度だけ回動された後である（図１２及び図１５（ａ）参照）。これにより、入球口１２２１（図９及び図１０参照）に入球した遊技球を左受け部１３１０Ｌが受けて円板部材１３００が回動を開始する初期段階は（図１４参照）、その円板部材１３００の回動に勢いがないところ、遊技球と左溝１２２３Ｌとの間の転動または摺動による抵抗を発生させず、円板部材１３００の回動を円滑かつ速やかに開始および進行させることができる。一方、円板部材１３００の回動動作が進行する段階（図１５（ａ）に示す中期および図１５（ｂ）から図１６（ｂ）に示す後期の段階）では、円板部材１３００の慣性力が徐々に増加し、勢いが増すところ、遊技球と左溝１２２３Ｌとの間の転動または摺動による抵抗を利用して、円板部材１３００の慣性力を効率的に抑制することができる。
【０２１４】
図１５（ｂ）及び図１６（ａ）に示すように、左溝１２２３Ｌの終端近傍には、対面側磁石１２２６が配設される。対面側磁石１２２６は、左溝１２２３Ｌの延設方向（即ち、左受け部１２２２Ｌに収納された遊技球が円板部材１３００の回動に伴い移動する移動軌跡）に沿って配設されるので、円板部材１３００の回動に伴い遊技球が左溝１２２３Ｌを転動または摺動する際には、その遊技球に対面側磁石１２２６の磁力（遊技球を引き付ける力）を作用させることができる。これにより、対面側磁石１２２６の磁力を、遊技球を介して、円板部材１３００に回動抵抗（制動力）として作用させることができ、円板部材１３００を減速させることができる。その結果、入球口１２２１に入球した遊技球の右受け部１３１０Ｒでの受け取り（図１７（ａ）参照）及び左排球口１２２２Ｌへの遊技球の排球（図１６（ｂ）参照）を確実に行うことができる。
【０２１５】
また、このように、対面側磁石１２２６を左溝１２２３Ｌの終端近傍に配設することで、磁力を利用した円板部材１３００の制動（回動抵抗の付与）を効果的に行うことができる。即ち、上述したように、入球口１２２１に入球した遊技球を左受け部１３１０Ｌが受けて円板部材１３００が回動を開始する初期段階は（図１４参照）、その回動に勢いがないところ、その段階では磁力（遊技球を引き付ける力）を発生させず、円板部材１３００の回動動作を円滑かつ速やかに開始および進行させることができる。一方、円板部材１３００の回動動作が進行する段階（特に、図１５（ｂ）から図１６（ｂ）に示す後期の段階）では、円板部材１３００の慣性力が最大に増加しており、勢いが増すところ、磁力（遊技球を引き付ける力）を利用して、円板部材１３００の回動方向への慣性力（回動速度）を効果的に抑制できる。
【０２１６】
この場合、対面側磁石１２２６は、左溝１２２３Ｌに沿って（即ち、円板部材１３００の周方向に沿って）複数が配設されるので、円板部材１３００が回動動作する際には、複数の対面側磁石１２２６の磁力をそれぞれ利用して、円板部材１３００に回動抵抗を継続的に作用させることができる。即ち、円板部材１３００に回動抵抗が急激に作用されると、急制動され、円板部材１３００の回動動作が不安定となるため、入球口１２２１に入球した遊技球の右受け部１３１０Ｒによる受け取り（図１７（ａ）参照）及び左排球口１２２２Ｌへの遊技球の排球（図１６（ｂ）参照）が阻害される。これに対し、本実施形態によれば、同じだけの磁力のエネルギーを、円板部材１３００に回動抵抗として徐々に作用させることができる。よって、円板部材１３００を円滑に減速させ、円板部材１３００の回動動作を安定化させることができる。その結果、入球口１２２１に入球した遊技球の右受け部１３１０Ｒによる受け取り及び左排球口１２２２Ｌへの遊技球の排球を確実に行うことができる。
【０２１７】
更に、複数の対面側磁石１２２６は、左排球口１２２２Ｌに近いものほど、左溝１２２３Ｌの底面から円板部材１３００の径方向外方に離間する離間量が小さくされる、即ち、左排球口１２２２Ｌに近いものほど左溝１２２３Ｌを転動または摺動する遊技球に近い位置に配置されるので、対面側磁石１２２６による磁力（遊技球を引き付ける力）による効果を、遊技球が左排球口１２２２Ｌへ近づくほど大きくすることができる。即ち、円板部材１３００に作用される回動抵抗を徐々に大きくして、円板部材１３００を急制動させることなく円滑に減速させることができる。よって、上述した場合と同様に、円板部材１３００の回動動作を安定化させることができ、その結果、入球口１２２１に入球した遊技球の右受け部１３１０Ｒによる受け取り及び左排球口１２２２Ｌへの遊技球の排球を確実に行うことができる。
【０２１８】
図１６（ｂ）に示すように、円板部材１３００の左受け部１３１０Ｌが、対面壁部材１２２０の左排球口１２２２Ｌに到達されると、左受け部１３１０Ｌに収納される遊技球が、左排球口１２２２Ｌへ入り込むと共にその左排球口１２２２Ｌを通過することで、左誘導通路１１１０Ｌ（図８参照）へ排球される。
【０２１９】
上述したように、左受け部１３１０Ｌの開口部分に架設される押込板１３２０は、円板部材１３００の回動方向後方から遊技球に当接可能に形成される。よって、遊技球が左排球口１２２２Ｌに排球される際には、押込板１３２０が遊技球に円板部材１３００の回動方向後方から当接することで、その遊技球を左排球口１２２２Ｌへ押し込む（押し入れる）ことができる。
【０２２０】
この場合、左排球口１２２２Ｌは、左溝１２２３Ｌの終端に対面する側（図１６（ｂ）左側）の開口縁部の位置が、左溝１２２３Ｌの底面よりも円板部材１３００の外周面に近接して配設される。よって、図１６（ａ）及び図１６（ｂ）に示すように、遊技球の一部が左溝１２２３Ｌに受け入れられつつ（即ち、左受け部１３１０Ｌから突出されつつ）、左受け部１３１０Ｌが左排球口１２２２Ｌに到達した場合には、その遊技球を左排球口１２２２Ｌの開口縁部（左溝１２２３Ｌの終端に対面する側、図１６（ｂ）左側）に当接させることができる。これにより、左排球口１２２２Ｌへ遊技球を確実に排球させることができるだけでなく、円板部材１３００の回動を停止させることができる。その結果、入球口１２２１に入球した遊技球の右受け部１３１０Ｒによる受け取りを安定して行うことができる。
【０２２１】
なお、左溝１２２３Ｌの対面壁部材１２２０の内周面からの凹設深さは、左排球口１２２２Ｌに連通される終端において最大の深さ寸法となるが、本実施の形態では、この最大の深さ寸法が、遊技球の直径の略１／４とされる。この最大の凹設深さは、遊技球の直径の１／４以上が好ましく、１／３以上とすることが更に好ましい。遊技球を左排球口１２２２Ｌの開口縁部に確実に当接させることができると共に、左受け部１３１０Ｌ内へ跳ね返ることを抑制できるからである。
【０２２２】
更に、左排球口１２２２Ｌは、対面壁部材１２２０の内周面側（図１６（ｂ）上側）から外周面側（図１６（ｂ）下側）へ向かうに従って直径が大きくされるテーパ孔として形成される。即ち、左排球口１２２２Ｌは、左溝１２２３Ｌの終端に対面する側（図１６（ｂ）左側）の内周面が、円板部材１３００の回動方向進行側へ向けて傾斜される。よって、円板部材１３００の左受け部１３１０Ｌから排球される遊技球を、左排球口１２２２Ｌ内へスムーズに入り込ませると共に、その入り込んだ遊技球を滞らせることなく出口（図１６（ｂ）下側）まで通過させることができる。
【０２２３】
なお、左排球口１２２Ｌは、円板部材１３００の外周面（左受け部１３１０Ｌの開口）に対面して配設されると共に、垂直方向の最下方に配設される。よって、遊技球を左受け部１３１０Ｌから左排球口１２２２Ｌへ排球する場合には、円板部材１３００の回動動作に伴う遠心力を利用して排球できると共に、遊技球を下方（遊技球に重力が作用する方向）へ向けて排球できる。即ち、排球の際には、遊技球の自重（重力）がその遊技球を左排球口１２２２Ｌへ入り込ませる方向へ作用するので、遊技球を噛み込ませ難くして、確実に排球することができる。
【０２２４】
ここで、対面壁部材１２２０は、入球口１２２１に対して左排球口１２２２Ｌ及び右排球口１２２２Ｒが１８０度位相を異ならせた位置に配設されると共に（図９から図１２参照）、円板部材１３００は、左受け部１３１０Ｌに対して右受け部１３１０Ｒが１８０度位相を異ならせた位置に配設されるので（図１３参照）、入球口１２２１に入球した遊技球を左受け部１３１０Ｌ又は右受け部１３１０Ｒの一方が受けるタイミングと、左受け部１３１０Ｌ又は右受け部１３１０Ｒの他方が左排球口１２２２Ｌ又は右排球口１２２２Ｒへ遊技球を排球するタイミングとを一致させることができる。
【０２２５】
即ち、例えば、図１６（ｂ）に示すように、左受け部１３１０Ｌが左排球口１２２２Ｌと同じ位相に位置した状態では、図１７（ａ）に示すように、右受け部１３１０Ｒが入球口１２２１（図９及び図１０参照）と同じ位相に位置する状態となるので、左受け部１３１０Ｌ又は右受け部１３１０Ｒの一方で受けた遊技球を、左排球口１２２２Ｌ又は右排球口１２２２Ｒへ排球する際または排球した後に、左受け部１３１０Ｌ又は右受け部１３１０Ｒの他方により、次の遊技球を受けることができ、左受け部１３１０Ｌ又は右受け部１３１０Ｒの一方で受けた遊技球を左排球口１２２２Ｌ又は右排球口１２２２Ｒへ向けて運んでいる途中で（即ち、円板部材１３００が回動されている状態で）、次の遊技球を受ける必要がない。よって、かかる次の遊技球を左受け部１３１０Ｌ又は右受け部１３１０Ｒの他方で確実に受けることができる。
【０２２６】
上述したように、遊技球が左排球口１２２２Ｌの開口縁部に当接されることで、円板部材１３００の回動が停止された状態では（図１６（ｂ）参照）、円板部材１３００の右受け部１３１０Ｒが入球口１２２１（図９及び図１０参照）に対面される（図１７（ａ）参照）。よって、この場合、遊技領域を流下する遊技球が入球口１２２１に入球されると、その遊技球を右受け部１３１０Ｒが受ける。
【０２２７】
図１７（ａ）に示すように、入球口１２２１（図９及び図１０参照）に入球された遊技球を左受け部１３１０Ｌが受けると、その遊技球は、入球口１２２１から右受け部１３１０Ｒの底面１３１１の一端側（図１７（ａ）左側）に落下される。
【０２２８】
図１７（ｂ）に示すように、入球（落下）された遊技球は、右受け部１３１０Ｒの底面１３１１の下降傾斜によって、その底面１３１１上を他端側（傾斜側面１３１２側）へ向けて転動される。
【０２２９】
その結果、遊技球の重さが円板部材１３００に加わり、その遊技球の重さを含めた円板部材１３００全体の重心位置が軸心に対して偏心されることで、円板部材１３００が遊技球の転動する方向（即ち、図１７（ｂ）の時計回り方向）へ向けて回動される。
【０２３０】
ここで、左受け部１３１０Ｌの底面１３１１と右受け部１３１０Ｒの底面１３１１とが円板部材１３００の周方向に沿って下降傾斜される傾斜方向は同一方向であるので、左受け部１３１０Ｌが受けた遊技球の重さにより円板部材１３００が回動される際の回動方向と、右受け部１３１０Ｒが受けた遊技球の重さにより円板部材１３００が回動される際の回動方向とを同一方向とできる。即ち、円板部材１３００の回動方向を一方向に統一できる。よって、円板部材１３００が遊技球を受ける受け部（左受け部１３１０Ｌ又は右受け部１３１０Ｒ）に応じて一方向および他方向に交互に回動する場合と比較して、遊技球を２つの位置（左排球口１２２２Ｌ及び右排球口１２２２Ｒ）へ振り分ける動作を安定して実行できる。
【０２３１】
なお、図１８（ａ）に示すように、遊技球が傾斜側面１３１２上をその下降傾斜に沿って転動され、対面壁部材１２２０の内周面（右溝１２２３Ｒ）に到達した以降の動作（作用・効果）は、上述した左受け部１３１０Ｌが遊技球を受けた場合と同様であるので（図１４から図１６参照）、その説明は省略する。
【０２３２】
以上のように、振分装置１０００によれば、遊技球を左排球口１２２２Ｌ及び右排球口１２２２Ｒへ交互に振り分けることができる。また、振り分ける動作を、遊技球の重さを利用して、機械的な構成により実行できるので、その動作のための動力を不要とできる。更に、振分装置１０００は、円板状に形成される円板部材１３００を利用する構造であるので、平面的な配置が可能である。よって、遊技盤１３（ベース板６０）とガラスユニット１６との間というように（いずれも図１及び図２参照）、その間隔が比較的狭い領域においても、振分装置１０００を配設することができる。
【０２３３】
次いで、図１９から図２２を参照して、第２実施形態における振分装置２０００について説明する。第１実施形態では、左排球口１２２２Ｌ又は右排球口１２２２Ｒの開口縁部へ遊技球が当接されることで、円板部材１３００の回動が停止される場合を説明したが（図１６（ｂ）参照）、第２実施形態の円板部材１３００は、制動部材２２４０により制動されることで、その回動が停止される。なお、第１実施形態と同一の部分については同一の符号を付して、その説明を省略する。
【０２３４】
図１９は、第２実施形態における前面部材２２００の断面図である。図１９に示すように、第２実施形態における前面部材２２００には、凹部空間である収納部２２３０が２ヶ所に凹設されると共に、それら各収納部２２３０の凹部空間に制動部材２２４０が動作可能にそれぞれ配設される。ここで、図２０及び図２１を参照して、収納部２２３０及び制動部材２２４０の詳細構成について説明する。
【０２３５】
図２０（ａ）は、前面部材２２００の断面図であり、図２０（ｂ）は、図２０（ａ）の矢印ＸＸｂ方向視における前面部材２２００の平面図である。図２０に示すように、収納部２２３０は、動作用凹部２２３１と、その動作用凹部２２３１に連なる軸支用凹部２２３２とを備える。
【０２３６】
動作用凹部２２３１は、制動部材２２４０の突出片２３４２及び対面片２２４３を動作可能（揺動可能）に収納するための凹部であり、左排球口１２２２Ｌ及び右排球口１２２２Ｒを挟んで左溝１２２３Ｌ及び右溝１２２３Ｒの反対側となる対面壁部材１２２０の内周面の２ヶ所にそれぞれ凹設される。動作用凹部２２３１は、一面側（図２０（ａ）上側）が対面壁部材１２２０の内周面に開口されると共に、一端側（図２０（ａ）右側）が左排球口１２２２Ｌ又は右排球口１２２２Ｒに連通される。
【０２３７】
軸支用凹部２２３２は、制動部材２２４０の軸部２２４１を動作可能（回動可能）に収納（軸支）するための凹部であり、動作用凹部２２３１の互いに対向する側壁に、その動作用凹部２２３１よりも浅い凹設深さで凹設される。軸支用凹部２２３２は、一面側（図２０（ａ）上側）が対面壁部材１２２０の内周面に開口される。
【０２３８】
図２１（ａ）は、制動部材２２４０の側面図であり、図２１（ｂ）は、図２１（ａ）の矢印ＸＸＩｂ方向視における制動部材２２４０の上面図である。図２１に示すように、制動部材２２４０は、円柱状の軸部２２４１と、その軸部２２４１の外周面から延設される突出片２２４２と、その突出片２２４２の延設方向とは反対側へ向けて軸部２２４１の外周面から延設される対面片２２４３と、その対面片２２４３の延設先端に配設される弾性部材２２４４とを備え、これらが樹脂材料から一体に形成される。
【０２３９】
軸部２２４１は、収納部２２３０の軸支用凹部２２３２に回動可能に軸支される部位である。突出片２２４２は、動作用凹部２２３１の一端側の開口を介して左排球口１２２２Ｌ又は右排球口１２２２Ｒへ突出される部位であり、それら左排球口１２２２Ｌ又は右排球口１２２２Ｒを通過する遊技球により押し下げられる。
【０２４０】
対面片２２４３は、その先端側を円板部材１３００の外周面に当接させる部位であり、突出片２２４２が遊技球により押し下げられることで、軸部２２４１を中心として円板部材１３００へ向けて押し上げられる。弾性部材２２４４は、ゴム状弾性体から構成され、対面片２２４３が押し上げられることで、円板部材１３００の外周面に当接される。
【０２４１】
突出片２２４２は、側面視円弧状に湾曲して形成される。この突出片２２４２の湾曲の向きは、軸部２２４１から離間するに従って下方（即ち、円板部材１３００の外周面から離間する方向、図２２（ａ）参照）へ下降傾斜される向きとされる。
【０２４２】
対面片２２４３は、その全長寸法が突出片２２４２の全長寸法よりも大きく（長く）され、かつ、幅寸法（図２１（ｂ）上下方向寸法）が突出片２２４２の幅寸法よりも大きく（広く）される。即ち、対面片２２４３は、弾性部材２２４４を除いた重量であっても、突出片２２４２よりも重くされる。よって、制動部材２２４０の重心位置は、軸部２２４１よりも対面片２２４３側に位置する。
【０２４３】
なお、対面片２２４３は、側面視くの字状に屈曲して形成され、その屈曲角度を大きくする方向へ弾性変形しやすくされる。即ち、対面片２２４３は、上述のように、その幅寸法が突出片２２４２の幅寸法よりも大きく（広く）される場合であっても、円板部材１３００の外周面に近接する方向または離間する方向（図２２（ｂ）上下方向）への弾性変形性が確保される。
【０２４４】
図２２を参照して、制動部材２２４０による円板部材１３００の制動動作について説明する。図２２は、振分装置２０００の部分断面図であり、図２２（ａ）は遊技球により制動部材２２４０の突出片２２４２が押し下げられる前の状態が、図２２（ｂ）は遊技球により制動部材２２４０の突出片２２４２が押し下げられた後の状態が、それぞれ図示される。
【０２４５】
なお、左排球口１２２２Ｌ側に配設される制動部材２２４０及びその制動部材２２４０を収納する収納部２２３０と、右排球口１２２２Ｒ側に配設される制動部材２２４０及びその制動部材２２４０を収納する収納部２２３０とは、それぞれ同一の構成であるので、ここでは、右排球口１２２２Ｒ側における構成のみを説明し、左排球口１２２２Ｌ側における構成についての説明は省略する。
【０２４６】
図２２（ａ）に示すように、制動部材２２４０は、非動作状態（初期状態）では、突出片２２４２が、右排球口１２２２Ｒの内部へ突出されると共に、対面片２２４３が、円板部材１３００の外周面に対面して配設される。
【０２４７】
図２２（ｂ）に示すように、円板部材１３００の右受け部１３１０Ｒから排球された遊技球が、対面壁部材１２２０の右排球口１３１０Ｒを通過する際には、その遊技球によって制動部材２２４０の突出片２２４２を通過方向へ押し下げさせ、制動部材２２４０を、軸部２２４１を中心として回動させることで、対面片２２４３を押し上げさせる。これにより、押し上げられた対面片２２４３の延設先端を、弾性部材２２４４を介して、円板部材１３００の外周面に当接させることができ、円板部材１３００を停止させることができる。その結果、入球口１２２１（図９及び図１０参照）に入球した遊技球の左受け部１３１０Ｌによる受け取り（図１４（ａ）参照）を確実に行うことができる。
【０２４８】
このように、制動部材２２４０は、右排球口１２２２Ｒを通過する遊技球を利用して動作され、その対面片２２４３を円板部材１３００に当接させる動作を機械的な構成により実行できるので、かかる動作のための動力（アクチュエータ）や制御を不要とできる。また、遊技球の通過を検出するセンサも不要とできる。その結果、部品点数や制御コストを削減して、製品コストの削減を図ることができる。
【０２４９】
ここで、遊技球が右排球口１２２２Ｒを通過した後も、制動部材２２４０の対面片２２４３（弾性部材２２４４）が円板部材１３００の外周面に当接された状態が維持されると、円板部材１３００のその後の回動動作が阻害される。よって、遊技球が通過した後は、制動部材２２４０を非動作状態（初期状態）へ速やかに復帰させる必要がある。一方で、この復帰動作に動力を使用したのでは、上述のように、制動動作を機械的に行うことで、制御やセンサを不要として、製品コストを削減する意義が没却される。
【０２５０】
これに対し、本実施形態では、制動部材２２４０の重心位置が、上述したように、軸部２２４１に対して対面片２２４３側（図２２（ａ）左側）に位置する。よって、遊技球の通過により突出片２２４２が押し下げられると共に対面片２２４３が押し上げられた場合（軸部２２４１を中心として制動部材２２４０が一方向（図２２（ｂ）時計回り）に回動された場合）には、制動部材２２４０の自重（重心位置の軸部２２４１からの偏心）を利用して、制動部材２２４０を他方向（図２２（ｂ）反時計回り）に回動させ、図２２（ａ）に示す非動作状態（初期状態）に復帰させることができる。よって、復帰動作のための動力等を不要とできる。
【０２５１】
突出片２２４２は、その延設先端側（図２２（ａ）右側）ほど円板部材１３００の外周面から離間する方向へ円弧状に湾曲して形成されるので、右排球口１２２２Ｒに排球された遊技球の通過が、かかる突出片２２４２により阻害されることを抑止し、かつ、その通過する遊技球に突出片２２４２をスムーズに押し下げさせることができる。
【０２５２】
なお、対面片２２４３には、その延設先端（円板部材１３００の外周面に当接する部分）に弾性部材２２４４が配設されるので、円板部材１３００の外周面との間の摩擦力を確保して、円板部材１３００を減速または停止させる作用を発揮させやすくできる。
【０２５３】
このように、弾性部材２２４４を利用することで、製品コストの削減を図ることができる。即ち、例えば、円板部材１３００の外周面に凹設した凹部へ、対面片２２４３から突出させた凸部を凹凸嵌合させることで、円板部材１３００を停止させる構造も考えられるが、かかる構造と比較して、本実施形態では、円板部材１３００及び制動部材２２４０に凹凸形状を形成する必要がないので、部品の形状を簡素化して、製品コストの削減を図ることができる。
【０２５４】
また、対面片２２４３は、円板部材１３００の外周面に近接する方向または離間する方向へ弾性変形可能に形成されると共に、その延設先端に弾性部材２２４４が配設されるので、対面片２２４３の延設先端（弾性部材２２４４）を円板部材１３０の外周面に当接させる際には、円板部材１３００や制動部材２２４０などの組み立て誤差や寸法公差を、対面片２２４３自体の弾性変形および弾性部材２２４４の弾性変形により吸収することができる。
【０２５５】
同様に、突出片２２４２が右排球口１２２２Ｒを通過する遊技球により押し下げられる際には、その押し下げられる位置や遊技球の通過する向きのばらつきを、突出片２２４２の弾性変形だけでなく、対面片２２４３の弾性変形によっても吸収することができるので、遊技球が突出片２２４２に跳ね返されることを抑制して、確実に通過させることができる。
【０２５６】
対面片２２４３が押し上げられ円板部材１３００の外周面に当接される際には、両者の間の当接力（即ち、円板部材１３００を減速または停止させるための制動力）を、突出片２２４２や弾性部材２２４４の弾性変形だけでなく、対面片の弾性変形も利用して、徐々に作用させることができるので、円板部材１３００の回動動作が急激に変化されることを抑制できる。
【０２５７】
振分装置２０００の組み立ては、前面部材２２００の収納部２２３０に制動部材２２４０を収納させる工程が加わる以外は、第１実施形態の場合と同様であり、前面部材２２００の対面壁部材１２２０の開放側から円板部材１３００を挿入すると共に、基板部材１１００を締結固定することにより行われる。
【０２５８】
即ち、収納部２２３０は、対面壁部材１２２０の内周面（円板部材１３００の外周面に対面する面）に凹設され、かかる収納部２２３０の凹部空間の開口には、円板部材１３００の外周面が対面される。よって、収納部２２３０の凹部空間の開口を、円板部材１３００の外周面により塞ぐことができ、収納部２２３０に収納される制動部材２２４０を、収納部２２３０の凹部空間と円板部材１３００の外周面との間に動作可能に保持することができる。その結果、制動部材２２４０を保持する部材（脱落を防止する部材）を円板部材１３００に兼用させることができ、かかる保持のための部材を別途設けることを不要とできるので、その分、部品コストの削減を図ることができる。
【０２５９】
次いで、図２３から図２９を参照して、第３実施形態における振分装置３０００について説明する。第１実施形態では、円板部材１３００の一方向への回動により、遊技球を振り分ける振分装置３０００について説明したが、第３実施形態の振分装置３０００は、一方向および他方向へ交互に回動することで、遊技球を振り分ける。なお、上記各実施形態と同一の部分については同一の符号を付して、その説明を省略する。
【０２６０】
図２３は、第３実施形態における振分装置３０００の部分拡大正面透視図であり、図２３（ａ）は、入球した遊技球を第１始動口６３ａへ振り分ける動作が、図２３（ｂ）は、入球した遊技球を第２始動口６３ｂへ振り分ける動作が、それぞれ模式的に図示される。
【０２６１】
図２３を参照して、振分装置３０００による遊技球の振り分け動作の概略について説明する。振分装置３０００には、内部に支持板部材３３００が配設される。支持板部材３３００は、図２３（ａ）に実線で示す第１角度位置または図２３（ｂ）に実線で示す第２角度位置の間で回動可能に軸支されており、振分装置３０００内に入球された遊技球を、中央板３３３０と左受け板３３４０Ｌとの間または中央板３３３０と右受け板３３４０Ｒとの間で受ける。
【０２６２】
図２３（ａ）に破線で示すように、第２角度位置にある支持板部材３３００は、入球された遊技球を中央板３３３０と左受け板３３４０Ｌとの間で受ける。この場合、支持板部材３３００は、図２３（ａ）に実線で示すように、遊技球の重さにより、図２３（ａ）反時計回りに回動され、第１角度位置に配置されると共に、遊技球を第１始動口６３ａへ振り分ける。
【０２６３】
一方、図２３（ｂ）に破線で示すように、第１角度位置にある支持板部材３３００は、入球された遊技球を中央板３３３０と右受け板３３４０Ｒとの間で受ける。この場合、支持板部材３３００は、図２３（ｂ）に実線で示すように、遊技球の重さにより、図２３（ｂ）時計回りに回動され、第２角度位置に配置されると共に、遊技球を第２始動口６３ｂへ振り分ける。
【０２６４】
このように、支持板部材３３００は、受けた遊技球の重さにより回動され、第１角度位置または第２角度位置に交互に配置されると共に、遊技球を第１始動口６３ａと第２始動口６３ｂとに均等に振り分けて入賞させる。
【０２６５】
ここで、支持板部材３３００には、重り部材３４００が配設され、中央板３３３０が真上を向いた姿勢で停止しないようにされている。即ち、図２３（ａ）に破線で示す第２角度位置で遊技球を受けた支持板部材３３００が、反時計回りに回動され、遊技球を第１始動口６３ａへ誘導すると共に、図２３（ａ）に実線で示す第１角度位置に配置されると、重り部材３４００が下降傾斜側（左受け板３３４０Ｌ側）に配置され、支持板部材３３００を第１角度位置に維持する。よって、支持板部材３３００は、次に入球される遊技球を、図２３（ａ）に実線で（図２３（ｂ）に破線で）示す第１角度位置で受けるため、その遊技球を第２始動口６３ｂへ誘導する。
【０２６６】
一方、図２３（ｂ）に破線で示す第１角度位置で遊技球を受けた支持板部材３３００が、時計回りに回動され、遊技球を第２始動口６３ｂへ誘導すると共に、図２３（ｂ）に実線で示す第２角度位置に配置されると、重り部材３４００が下降傾斜側（右受け板３３４０Ｒ側）に配置され、支持板部材３３００を第２角度位置に維持する。よって、支持板部材３３００は、次に入球される遊技球を、図２３（ｂ）に実線で（図２３（ａ）に破線で）示す第２角度位置で受けるため、その遊技球を第１始動口６３ａへ誘導する。
【０２６７】
このように、支持板部材３３００は、振分装置３０００に入球する遊技球を第１始動口６３ａと第２始動口６３ｂとに交互に誘導することができる。
【０２６８】
次いで、図２４から図２９を参照して、振分装置３０００の詳細構成について説明する。まず、図２４（ａ）及び図２４（ｂ）を参照して、振分装置３０００の全体構成について説明する。
【０２６９】
図２４（ａ）は、振分装置３０００の正面図であり、図２４（ｂ）は、振分装置３０００の側面図である。図２４（ａ）及び図２４（ｂ）に示すように、振分装置３０００は、基板部材３１００（図２５参照）と、その基板部材３１００の前面側（図２４紙面手前側）に配設される前面部材３２００（図２６参照）と、それら基板部材３１００及び前面部材３２００の対向間（内部空間）に回動可能に配設される支持板部材３３００（図２７参照）と、その支持板部材３３００に装着される重り部材３４００（図２８参照）とを備え、入球した遊技球を第１位置と第２位置との２位置（本実施形態では第１始動口６３ａ及び第２始動口６３ｂ）へ交互に振り分ける（図２３参照）。
【０２７０】
次いで、図２５から図２８を参照して、基板部材３１００、前面部材３２００、支持板部材３３００及び重り部材３４００の詳細構成について、順に説明する。図２５（ａ）は、基板部材３１００の正面図であり、図２５（ｂ）は、図２５（ａ）の矢印ＸＸＶｂ方向視における基板部材３１００の側面図である。なお、図２５（ａ）では、基板部材３１００に対する前面部材３２００の配設位置の関係を示すために、前面部材３２００が二点鎖線を用いて模式的に図示される。
【０２７１】
図２５（ａ）及び図２５（ｂ）に示すように、基板部材３１００は、正面視横長の板状に形成され、その板状体の隅部４ヶ所には、挿通孔１１００ａが穿設される。これら各挿通孔１１００ａに挿通された締結ねじにより、基板部材３１００が、遊技盤１３のベース板６０（図２参照）に締結固定される。
【０２７２】
基板部材３１００の略中央部４ヶ所には、挿通孔１１００ｂが穿設される。これら挿通孔１１００ｂには、基板部材３１００の背面側（図２５（ａ）紙面奥側）から締結ねじが挿通され、その締結ねじにより、基板部材３１００の前面側（図２５（ａ）紙面手前側）に前面部材３２００が締結固定される。
【０２７３】
基板部材３１００の中央上方には、支持板部材３３００を回動可能に支持するための軸孔３１３０が穿設されると共に、基板部材３１００の中央下方には、遊技球の出口となる開口である左連通孔３１２０Ｌ及び右連通孔３１２０Ｒが穿設される。軸孔３１３０には、支持板部材３３００の回動軸３３２０（図２７参照）が挿通される。
【０２７４】
左連通孔３１２０Ｌ及び右連通孔３１２０Ｒは、支持板部材３３００から排球される遊技球を第１始動口６３ａ及び第２始動口６３ｂ（図２３参照）へ入賞させるための開口であり、基板部材３１００に前面部材３２００が締結固定された組み立て状態では、前面部材３２００の壁部材３２２０ａ，３２２０ｂ，３２２０ｃにより形成される誘導通路（図２６参照）の下流端に配置される。
【０２７５】
次いで、図２６を参照して、前面部材３２００の全体構成について説明する。図２６（ａ）は、前面部材３２００の背面図であり、図２６（ｂ）は、図２６（ａ）の矢印ＸＸＶＩｂ方向視における前面部材３２００の側面図である。
【０２７６】
図２６に示すように、前面部材３２００は、板状の前面板部材１２１０と、その前面板１２１０の背面側（図２６（ａ）紙面手前側）に立設される壁部材３２２０ａ，３２２０ｂ，３２２０ｃとを備え、これらが樹脂材料から一体に形成される。
【０２７７】
前面板部材１２１０の中央上方には、支持板部材３３００を回動可能に支持するための軸孔３２３０が穿設される。この軸孔３２３０には、支持板部材３３００の回動軸３３２０（図２７参照）が挿通される。壁部材３２２０ａ，３２２０ｂ，３２２０ｃは、支持板部材３３００（図２７参照）の周囲を囲うと共に、その支持板部材３３００により振り分けられる遊技球の誘導通路を形成するための部材である。
【０２７８】
壁部材３２２０ａ，３２２０ｂ，３２２０ｃは、それらにより囲まれる内部空間の正面側（図２６（ａ）紙面奥側）の開口が前面板部材１２１０により閉封され、背面側（図２６（ａ）紙面手前側）の開口が開放して形成される。この開放された開口は、基板部材３１００により閉封される（図２４及び図２５参照）。
【０２７９】
即ち、振分装置３０００の組み立ては、前面部材３２００の壁部材３２２０ａ，３２２０ｂ，３２２０ｃにより囲まれる内部空間の背面側の開口から支持板部材３３００を内装し、支持板部材３３００の回動軸３３２０を、軸孔３１３０，３２３０にそれぞれ挿通させつつ、基板部材３１００を締結固定する。これにより、支持板部材３３００を振分装置３０００の内部に回転可能かつ脱落不能に内装することができる。よって、組み立て工程して、製造コストの削減を図ることができる。
【０２８０】
壁部材３２２０ａは、背面視逆Ｕ字状に形成され、壁部材３２２０ｂは、壁部材３２２０ａの内方側において、上下に延設される背面視直線状に形成される。即ち、壁部材３２２０ｂは、壁部材３２２０ａの上下方向（図２６（ａ）上下方向）に延設される背面視直線状の部分に対し、１個の遊技球が通過可能な間隔を隔てつつ対向して配設される。
【０２８１】
壁部材３２２０ｂの背面視直線状の部分の上端は、それぞれ内方へ向けて（互いに近接する方向へ向けて）屈曲される。この屈曲され左右方向（図２６（ａ）左右方向）に延設される直線状の部分は、支持板部材３３００の左受け板３３４０Ｌ又は右受け板３３４０Ｒに当接して、支持板部材３３００の回動角を規制する部位として機能する。
【０２８２】
壁部材３２２０ｃは、壁部材３２２０ａ，３２２０ｂの上下方向に延設される背面視直線状の部分の下端同士を接続して形成される。これにより、遊技球が通過する誘導通路が区画され、誘導通路の終端が形成される。
【０２８３】
壁部材３２２０ａには、入球口１２２１（図９及び図１０参照）と、案内傾斜部１２２４と、被締結孔１２２５とが形成される。これらは、第１実施形態における各部位１２２１，１２２４，１２２５と同一の構成であるので、その説明は省略する。
【０２８４】
次いで、図２７を参照して、支持板部材３３００の全体構成について説明する。図２７（ａ）は、支持板部材３３００の正面図であり、図２７（ｂ）は、図２７（ａ）の矢印ＸＸＶＩＩｂ方向視における支持板部材３３００の側面図であり、図２７（ｃ）は、図２７（ａ）の矢印ＸＸＶＩＩｃ方向視における支持板部材３３００の底面図である。
【０２８５】
図２７（ａ）から図２７（ｃ）に示すように、支持板部材３３００は、円筒状の中央円筒部３３１０と、その中央円筒部３３１０の両端面から突出される軸状の回動軸３３２０と、中央円筒部３３１０の外周面から上方（図２７（ａ）上側）へ向けて延設される中央板３３３０と、中央円筒部３３１０の外周面から左右（図２７（ａ）左側および右側）へ向けて延設される左受け板３３４０Ｌ及び右受け板３３４０Ｒと、それら左受け板３３４０Ｌ及び右受け板３３４０Ｒの底面側（図２７（ａ）下側）に配設される案内部３３５０とを備え、これらが樹脂材料から一体に形成される。但し、回動軸３３２０は、金属材料から形成され、中央円筒部３３１０に内嵌される。
【０２８６】
中央円筒部３３１０の外径寸法は、軸孔３１３０，３２３０の内径よりも大きくされると共に、中央円筒部３３１０の軸方向（図２７（ｂ）左右方向）の長さ寸法は、振分装置３０００の組み立て状態における基板部材３１００の前面と前面部材３２００の前面板部材１２２０の背面との対向間隔と同等か若干小さな寸法に設定される。よって、回動軸３３２０が軸孔３１３０，３２３０に挿通された振分装置３０００の組み立て状態では、支持板部材３３００が脱落不能かつ回動可能な状態で基板部材３１００及び前面部材３２００の対向間に内装される。
【０２８７】
中央板３３３０、左受け板３３４０Ｌ及び右受け板３３４０Ｒは、平板状に形成される部位であり、中央板３３３０に対して、左受け板３３４０Ｌ及び右受け板３３４０Ｒが垂直に延設される。中央板３３３０と左受け板３３４０との間の空間、又は、中央板３３３０と右受け板３３４０との間の空間が、振分装置３０００内に入球した遊技球を受ける部位となる。
【０２８８】
案内部３３５０は、支持板部材３３００の傾斜状態に応じて、重り部材３４００を案内するための部位であり、断面円形の棒状に形成される。詳細には、左受け板３３４０Ｌ及び右受け板３３４０Ｒの延設方向と平行に左右方向（図２７（ａ）左右方向）に延設される直線状の部分と、その直線状の部分の両端を、左受け板３３４０Ｌ及び右受け板３３４０Ｒの底面に接続する部分とから形成される。重り部材３４００は、案内部３３５０の左右方向に延設される直線状の部分を摺動することで、支持板部材３３００の下降傾斜側へ移動される（図２９参照）。
【０２８９】
案内部３３５０の左右方向に延設される直線状の部分は、その延設方向に垂直な断面形状が円形に形成される。よって、重り部材３４００と案内部３３５０との間の接触面積を小さくして、摺動抵抗を抑えることができる。よって、重り部材３３４０を途中で止まらせることなく、案内部３３５０の下降傾斜に沿って重り部材３４００を確実に移動させることができると共に、その重り部材３４００の移動（重心位置の変化）を迅速に行うことができる。その結果、重り部材３４００の移動に伴う重心位置の変化を利用して、支持板部材３３００を本来あるべき姿勢（第１角度位置または第２角度位置）に確実に維持することができる（図２９（ａ）又は図２９（ｄ）参照）。
【０２９０】
次いで、図２８を参照して、重り部材３４００の全体構成について説明する。図２８（ａ）は、重り部材３４００の正面図であり、図２８（ｂ）は、図２８（ａ）の矢印ＸＸＶＩＩＩｂ方向視における重り部材３４００の側面図である。
【０２９１】
図２８（ａ）及び図２８（ｂ）に示すように、重り部材３４００は、支持板部材３３００の案内部３３５０に装着され、重りとして機能する部材であり、金属材料からなる有端の素材（例えば、ピアノ線）を巻回することで環状に形成される。よって、重り部材３４００を弾性変形させることで、その一部に開口を形成することができるので、その開口を介して、案内部材３３５０を重り部材３４００の内周側に挿通させることができる。よって、その装着作業を容易として、組み立て工数の削減を図ることができる。
【０２９２】
なお、重り部材３４００は、有端の素材を巻回して形成されるところ、その端部同士が正面視において重ね合わされている。即ち、有端の素材は周方向に沿って１８０度以上の長さを有する。このように、重り部材３４００を、その端部同士が重ね合わせて形成することで、金属材料にへたりが生じ、重り部材３４００が大径化した場合でも、かかる重り部材３４００が案内部３３５０から脱落されることを抑制できる。
【０２９３】
また、重り部材３４００の素材は、その素材の長手方向に垂直な断面形状が円形に形成される。よって、重り部材３４００と案内部３３５０との間の接触面積を小さくして、摺動抵抗を抑えることができるので、上述したように、重り部材３４００を確実かつ迅速に移動させることができる。
【０２９４】
次いで、図２９を参照して、振分装置３０００による遊技球の振分動作および重り部材３４００の作用について説明する。図２９（ａ）から図２９（ｄ）は、入球された遊技球を受けると共にその遊技球を排球する支持板部材３３００の動作の遷移を図示する支持板部材３３００の正面図である。
【０２９５】
図２９（ａ）に示すように、第１角度位置では、支持板部材３３００は、左受け板３３４０Ｌ側が下方に位置し、中央板３３３０及び右受け板３３４０Ｒにより遊技球を受ける姿勢とされる。なお、第１角度位置では、左受け板３３４０Ｌが前面部材３３２００の壁部材３２２０ｂの上端に当接され、回動軸３３２０を回動中心とする支持板部材３３００の正面視反時計回り（図２９（ｂ）左回り）の回動が規制された状態となる（図２３（ａ）及び図２３（ｂ）参照）。
【０２９６】
図２９（ｂ）及び図２９（ｃ）に示すように、第１角度位置にある支持板部材３３００が中央板３３３０及び右受け板３３４０Ｒにより遊技球を受けると、その遊技球の重さにより、支持板部材３３００が回動軸３３２０を回動中心として正面視時計回り（図２９（ｂ）右回転方向）に回動される。
【０２９７】
図２９（ｄ）に示すように、支持板部材３３００が第２角度位置まで回動されると、中央板３３３０及び右受け板３３４０Ｒで受けた遊技球が、第２始動口６３ｂ（図２３（ｂ）参照）へ排球されると共に、支持板部材３３００が、中央板３３３０及び左受け板３３４０Ｌにより遊技球を受ける姿勢とされる。なお、第２角度位置では、右受け板３３４０Ｒが前面部材３３２００の壁部材３２２０ｂの上端に当接され、回動軸３３２０を回動中心とする支持板部材３３００の正面視時計回り（図２９（ｄ）右回り）の回動が規制された状態となる（図２３（ａ）及び図２３（ｂ）参照）。
【０２９８】
図２９（ｄ）に示す第２角度位置に支持板部材３３００が配置された状態で、次の遊技球が入球されると、その遊技球を、中央板３３３０及び左受け板３３４０Ｌにより受ける戸共に、上述とは反対側へ支持板部材３３００が回動されることで、第２始動口６３ａ（図２３（ａ）参照）へ遊技球が排球される。
【０２９９】
このように、例えば、支持板部材３３００が第１角度位置に配置されると、遊技球を中央板３３３０及び右受け板３３４０Ｒで受けると共に（図２９（ａ）及び図２９（ｂ））、その遊技球の重さを利用して、第１角度位置から第２角度位置へ回動動作されることで（図２９（ｃ）及び図２９（ｄ））、遊技球を第２始動口６３ｂへ排球する。同時に、次の遊技球を中央板３３３０及び左受け板３３４０Ｌで受ける姿勢（第２角度位置）に支持板部材３３００が配置される。これにより、遊技球を第１位置および第２位置（本実施形態では第１始動口６３ａ及び第２始動口６３ｂ）に交互に振り分けることができる。
【０３００】
しかしながら、中央板３３３０、左受け板３３４０Ｌ及び右受け板３３４０Ｒが遊技球を受ける位置、遊技球の落下方向、或いは、左受け板３３４０Ｌ及び右受け板３３４０Ｒから遊技球が排球される方向などには、その都度ばらつきがあり、そのばらつきの状態や、振分装置３０００に外部から入力される振動などの外乱が支持板部材３３００に伝達されるタイミングによっては、例えば、図２９（ａ）に示す第１角度位置で遊技球を受け、図２９（ｄ）に示す第２角度位置へ支持板部材３３００が回動され遊技球を排球した後に、図２９（ｄ）に示す第２角度位置に維持されるべき支持板部材３３００が、図２９（ａ）に示す第１角度位置に逆戻りすることがある。この場合には、次の遊技球を、先の遊技球と同様に、中央板３３３０及び右受け板３３４０Ｒで受けることとなり、図２９（ａ）から図２９（ｄ）の動作が繰り返されることで、遊技球が第２始動口６３ｂへ連続して排球される。そのため、遊技球を第１位置および第２位置（本実施形態では第２始動口６３ａ及び第２始動口６３ｂ）へ交互に振り分けることができない。
【０３０１】
これに対し、振分装置３０００によれば、案内部３３５０と、その案内部３３５０により案内されて移動する重り部材３４００とを備え、例えば、図２９（ｄ）に示す第２角度位置では、重り部材３４００が下降傾斜側（右受け板３３４０Ｒ側）へ移動されるので、その重り部材３４００の移動に伴う重心位置の変化を利用して、支持板部材３３００を本来あるべき姿勢（図２９（ｄ）の第２角度位置）に維持することができる。
【０３０２】
具体的には、図２９（ａ）に示すように、第１角度位置では、重り部材３４００が案内部３３５０の下降傾斜端（左受け板３３４０Ｌ側）に位置されることで、かかる左受け板３３４０Ｌ側を重くして、支持板部材３３００を第１角度位置に維持する。
【０３０３】
図２９（ｂ）及び図２９（ｃ）に示すように、支持板部材３３００が中央板３３３０及び右受け板３３４０Ｒにより遊技球を受け、その遊技球の重さにより、支持板部材３３００が回動軸３３２０を回動中心として正面視時計回り（図２９（ｂ）右回転方向）に回動されると、案内部３３５０も同じ方向へ回動され、案内部３３５０が右受け板３３４０Ｒ側へ下降傾斜されることで、重り部材３４００が案内部３３５０の下降傾斜に沿って移動される。
【０３０４】
図２９（ｄ）に示すように、支持板部材３３００が第２角度位置まで回動されると、重り部材３４００は、案内部３３５０の下降傾斜端に到達される。その結果、重り部材３４００の移動分だけ、全体としての重心位置を右受け板３３４０Ｒ側に変化させる（下方に位置する右受け板３３４０Ｒ側をより重くする）ことができる。よって、図２９（ｄ）に示す第２角度位置では、支持板部材３３００が正面視反時計回り（図２９（ｄ）左回り）に回動され難くして、図２９（ａ）に示す第１角度位置に逆戻りすることを抑制できるので、かかる支持板部材３３００を第２角度位置に維持できる。
【０３０５】
本実施形態では、支持板部材３３００が樹脂材料から構成される一方、重り部材３４００が金属材料から構成されるので、重り部材３４００の移動に伴う重心位置の変化を顕著とすることができる。その結果、支持板部材３３００を本来あるべき姿勢（第１角度位置または第２角度位置）に維持する効果を確実に発揮できる。
【０３０６】
次いで、図３０を参照して、第４実施形態における支持板部材４３００について説明する。第３実施形態では、案内部３３５０の重り部材３４００を案内する部分が直線状に形成される場合を説明したが、第４実施形態の案内部４３５０は、正面視円弧状に湾曲して形成される。なお、上記各実施形態と同一の部分については同一の符号を付して、その説明を省略する。
【０３０７】
図３０（ａ）は、第４実施形態における支持板部材４３００の正面図であり、図３０（ｂ）は、第２角度位置に配置された支持板部材４３００の正面図である。なお、図３０（ｂ）では、比較のために、第３実施形態における案内部３３５０が破線を用いて重ねて図示される。
【０３０８】
図３０（ａ）に示すように、第４実施形態における案内部４３５０は、回動軸３３２０と同心となる正面視円弧状に湾曲して形成され、左受け板３３４０Ｌ及び右受け板３３４０Ｒの底面に配設される。なお、案内部４３５０の断面形状は、第３実施形態における案内部３３５０と同様に、断面円形とされる。
【０３０９】
図３０（ｂ）に示すように、第４実施形態における支持板部材４３００によれば、支持板部材４３００が回動軸３２０を回動中心として回動された状態では、上昇傾斜側の勾配を大とすることができる。即ち、第３実施形態における案内部３３５０では、上昇傾斜側の位置Ｐ１における重り部材３４００（図２８参照）の案内方向（即ち、重力（自重）によって摺動移動される重り部材３４００が案内部３３５０によって案内される下降傾斜方向）が、案内部３３５０の直線状の部分の延設方向となる。
【０３１０】
これに対し、第４実施形態における案内部４３５０では、上昇傾斜側の位置Ｐ２における重り部材３４００の案内方向が、案内部４３５０の接線方向となるため、その下降傾斜の角度をより大きくする（より下方へ向ける）ことができる。よって、支持板部材４３００の回動動作に伴って案内部４３５０の上昇傾斜側（位置Ｐ２）に位置することとなった重り部材３４００の移動を、第３実施形態の案内部３３５０と比較して、より確実かつ速やかに行わせることができる。
【０３１１】
特に、棒状の案内部３３５０，４３５０を環状の重り部材３４００（図２８参照）が摺動する構成では、摩擦抵抗が大きいため、上昇傾斜側（位置Ｐ１，Ｐ２）に位置することとなった重り部材３４００の移動が開始されないおそれがあり（即ち、静摩擦係数は動摩擦係数より大きい）、このような構成に対して、案内部４３５０を正面視円弧状に湾曲させる構成が特に有効となる。
【０３１２】
次いで、図３１を参照して、第５実施形態における支持板部材５３００について説明する。第３実施形態では、案内部３３５０の重り部材３４００を案内する部分が、始端から終端まで直線状に形成される場合を説明したが、第５実施形態の案内部５３５０には、重り部材３４００を案内する部分の一部に窪み（窪み部５３５０ａ）が形成される。なお、上記各実施形態と同一の部分については同一の符号を付して、その説明を省略する。
【０３１３】
図３１（ａ）は、第５実施形態における支持板部材５３００の正面図であり、図３１（ｂ）は、第２角度位置に配置された支持板部材５３００の正面図である。なお、図３１（ｂ）では、案内部５３５０に重り部材３４００が装着された状態の支持板部材５３００が図示される。
【０３１４】
図３１（ａ）に示すように、第５実施形態における案内部５３５０には、左受け板３３４０Ｌ及び右受け板３３４０Ｒの延設方向と平行に左右方向（図３１（ａ）左右方向）に延設される直線状の部分の両端（図３１（ａ）左側および右側）に、下方へ向けて窪む窪み部５３５０ａが形成される。
【０３１５】
窪み部５３５０ａは、一端側または他端側（図３１（ａ）左側および右側）へ直線状に下降傾斜して形成される。なお、案内部５３５０の断面形状は、窪み部５３５０ａを含む全体が同じ断面形状に設定されると共に、第３実施形態における案内部３３５０と同様に、断面円形とされる。
【０３１６】
図３１（ｂ）に示すように、案内部５３５０の両端に窪み部５３５０ａが形成されるので、支持板部材５３００が回動軸３３２０を回動中心として回動されることに伴って、案内部５３５０が下降傾斜されると共に、その案内部５３５０の下降傾斜に沿って重り部材３４００が一端側（図３１（ｂ）では右側）へ向けて移動する際には、その重り部材３４００を窪み部５３５０ａに嵌り込ませることができる。これにより、重り部材３４００が上昇傾斜側（図３１（ｂ）左側）へ跳ね返ることを抑制できる。
【０３１７】
即ち、第３実施形態における案内部３３５０のように（図２９参照）、重り部材３４００を案内する部分の全体が、始端から終端まで直線状に形成されると、案内部３３５０の下降傾斜に沿って重り部材３４００が終端まで勢い良く摺動され、終端（図２９（ｄ）右端）で逆方向へ跳ね返されると、その跳ね返された重り部材３４００の移動を阻害するものが存在しないため、かかる重り部材３４００が始端（図２９（ｄ）左端）まで跳ね返される恐れがある。その場合には、その重り部材３４００の移動に伴って、支持板部材３３００が反対方向へ回動してしまい、本来あるべき姿勢（第１角度位置または第２角度位置）に維持することができない。
【０３１８】
これに対し、第５実施形態における案内部５３５０では、案内部５３５０の終端（図３１（ｂ）では右端）に窪み部５３５０ａが形成されるので、案内部５３５０の下降傾斜に沿って重り部材３４００が終端まで勢い良く摺動されたとしても、その重り部材３４００は、窪み部５３５０ａに嵌り込まれつつ、終端（図３１（ｂ）右端）に衝突されるため、終端で逆方向へ跳ね返されたとしても、窪み部５３５０ａの上昇傾斜により重り部材３４００の跳ね返り方向への移動を阻害することができる。これにより、重り部材３４００が始端（図３１（ｂ）左端）まで跳ね返されることを抑制でき、支持板部材５３００を本来あるべき姿勢（第１角度位置または第２角度位置）に確実に維持できる。
【０３１９】
次いで、図３２及び図３３を参照して、第６実施形態および第７実施形態における重り部材６４００，７４００について説明する。第３実施形態では、断面円形の線条体の素材から重り部材３４００が形成される場合を説明したが、第６実施形態および第７実施形態の重り部材６４００，７４００は、板状の素材から形成される。なお、上記各実施形態と同一の部分については同一の符号を付して、その説明を省略する。
【０３２０】
図３２（ａ）は、第６実施形態における重り部材６４００の斜視図であり、図３２（ｂ）は、変形状態における重り部材６４００の斜視図である。図３２（ａ）に示すように、第６実施形態における重り部材６４００は、金属材料から構成され、その周方向の一部に、径方向に延設されるスリットが形成された円環平板状の部材である。この重り部材６４００によれば、素材が軸方向に厚みを有するので、図３２（ｂ）に示すように、スリットを挟んだ両端を軸方向に互いにずらすことで、弾性変形させ、案内部３５３０を容易に挿通させることができる。
【０３２１】
図３３（ａ）は、第７実施形態における重り部材７４００の斜視図であり、図３３（ｂ）は、変形状態における重り部材７４００の斜視図である。図３３（ａ）に示すように、第７実施形態における重り部材７４００は、金属材料から構成され、その周方向の一部に、軸方向へ延設されるスリットが形成された円筒状の部材である。この重り部材７４００によれば、素材が径方向に厚みを有するので、図３３（ｂ）に示すように、スリットを挟んだ両端を径方向に互いにずらすことで、弾性変形させ、案内部３５３０を容易に挿通させることができる。
【０３２２】
第６実施形態および第７実施形態における重り部材６４００，７４００によれば、例えば、平板状の素材からプレス加工によりスリットも含めた形状を打ち抜くことで、重り部材６４００を一工程で形成できると共に、平板状の素材をロール加工によりロールさせ、比較的長いロール状体を作成し、そのロール状体を所定長さ毎に切断することで、複数の重り部材７４００を形成できるので、これら重り部材７４００の製造効率を高めることができ、その分、製品コストを削減できる。このように、重り部材６４００，７４００は製造が容易である一方で、平板状の素材からなるため、その重りとしての重量を確保しやすい。これにより、支持板部材３３００等に重りとして適用することで、その持板部材３３００等を本来あるべき姿勢（第１角度位置または第２角度位置）に確実に維持できる。
【０３２３】
次いで、図３４から図３６を参照して、第８実施形態における支持板部材８３００について説明する。第３実施形態では、環状の重り部材３４００に案内部３３５０が挿通され、その案内部３３５０に沿って重り部材３４００が摺動される場合を説明したが、第８実施形態の重り部材８４００は、案内部に沿って転動される。なお、上記各実施形態と同一の部分については同一の符号を付して、その説明を省略する。
【０３２４】
図３４（ａ）は、第８実施形態における支持板部材８３００の正面図であり、図３４（ｂ）は、図３４（ａ）の矢印ＸＸＸＩＶｂ方向視における支持板部材８３００の側面図であり、図３４（ｃ）は、図３４（ａ）の矢印ＸＸＸＩＶｃ方向視における支持板部材８３００の底面図である。また、図３５（ａ）は、図３４（ｂ）のＸＸＸＶａ−ＸＸＸＶａ線における支持板部材８３００の断面図であり、図３５（ｂ）は、図３４（ａ）のＸＸＸＶｂ−ＸＸＸＶｂ線における支持板部材８３００の断面図である。
【０３２５】
図３４及び図３５に示すように、第８実施形態における支持板部材８３００は、左受け板３３４０Ｌ及び右受け板３３４０Ｒの底面側に、重り部材８４００を収納する箱体８３５０と、その箱体８３５０の開口に取着される蓋体８３６０とが配設され、これら箱体８３５０及び蓋体８３６０により形成される通路に沿って重り部材８４００が転動される（図３６参照）。
【０３２６】
箱体８３５０は、一面側（図３４（ａ）紙面手前側）が開口された箱状体であり、天井面が中央円筒部３３１０、左受け板３３４０Ｌ及び右受け板３３４０Ｒにより形成されると共に、底面が左受け板３３４０Ｌ及び右受け板３３４０Ｒの延設方向（図３５（ａ）左右方向）と平行に形成される。箱体８３５０の互いに対向する側壁（図３５（ａ）左側および右側の側壁）は、その側壁の一部が断面半円状に外方へ向けて膨出されており、その膨出部分（肉厚部分）に被締結孔８３５１がそれぞれ形成される。
【０３２７】
蓋体８３６０は、正面視長方形の板状体であり、その長手方向（図３４（ａ）左右方向）両端に締結ねじ８３７０を挿通するための挿通孔が穿設される。その挿通孔に挿通させた締結ねじ８３７０を、箱体８３５０の被締結孔８３５１に締結することで、蓋体８３６０が箱体８３５０に締結固定され、その箱体８３５０の一面側（図３４（ａ）紙面手前側）の開口が蓋体８３６０により閉封される。
【０３２８】
重り部材８４００は、金属材料から円柱状に形成され、その軸心が回動軸３３２０と平行となる姿勢で、箱体８３５０及び蓋体８３６０により形成される通路内に収納される。なお、重り部材８４００の軸方向長さは、箱体８３５０の側壁と蓋体８３６０との間の対向間隔（図３５（ｂ）左右方向間隔）よりも若干小さくされる。これにより、重り部材８４００の重量を確保することができると共に、重り部材８４００が通路内で姿勢を乱し、箱体８３５０の側壁と蓋体８３６０との間に噛み込まれることを抑制できる。
【０３２９】
次いで、図３６を参照して、重り部材８４００の作用について説明する。図３６（ａ）から図３６（ｄ）は、入球された遊技球を受けると共にその遊技球を排球する支持板部材８３００の動作の遷移を図示する支持板部材８３００の正面図である。なお、遊技球の振り分け動作については、第３実施形態の場合（図２９参照）と同様であるので、その説明は省略する。
【０３３０】
図３６（ａ）に示すように、第１角度位置では、重り部材８４００が、箱体８３５０及び蓋体８３６０により形成される通路（以下「通路」と称す）の下降傾斜端（左受け板３３４０Ｌ側）に位置されることで、かかる左受け板３３４０Ｌ側を重くして、支持板部材８３００を第１角度位置に維持する。
【０３３１】
図３６（ｂ）及び図３６（ｃ）に示すように、支持板部材８３００が中央板３３３０及び右受け板３３４０Ｒにより遊技球を受け、その遊技球の重さにより、支持板部材３３００が回動軸３３２０を回動中心として正面視時計回り（図２３６９（ｂ）右回転方向）に回動されると、通路も同じ方向へ回動され、かかる通路が右受け板３３４０Ｒ側へ下降傾斜されることで、重り部材８４００が通路の下降傾斜に沿って転動される。
【０３３２】
図３６（ｄ）に示すように、支持板部材８３００が第２角度位置まで回動されると、重り部材８４００は、通路の下降傾斜端（対向する側壁の一方）に到達される。その結果、重り部材８４００の移動分だけ、全体としての重心位置を右受け板３３４０Ｒ側に変化させる（下方に位置する右受け板３３４０Ｒ側をより重くする）ことができる。よって、図３６（ｄ）に示す第２角度位置では、支持板部材８３００が正面視反時計回り（図３６（ｄ）左回り）に回動され難くして、図３６（ａ）に示す第１角度位置に逆戻りすることを抑制できるので、かかる支持板部材８３００を第２角度位置に維持できる。
【０３３３】
本実施形態では、左受け板３３４０Ｌ及び右受け板３３４０Ｒと平行な通路を形成し、
その通路を転動可能な円柱状体として重り部材８４００が形成されるので、支持板部材８３００の回動動作に伴って通路が下降傾斜された場合には、その通路の下降傾斜に沿って重り部材８４００を確実かつ迅速に移動させることができる。
【０３３４】
例えば、第３実施形態の場合のように、環状の重り部材３４００が案内部３３５０を摺動により移動する構造では、摺動抵抗が大きいため、重り部材３４００の移動が開始されないことや、案内部３３５０の下降傾斜に沿って移動する重り部材３４００が途中で止まることがあり、また、その移動速度が遅いため、重り部材３４００の移動（重心位置の変化）が間に合わないことがある。
【０３３５】
これに対し、本実施形態では、重り部材８４００が円柱状体として形成され、通路を転動する構造とされるので、通路の下降傾斜端まで重り部材８４００を確実に移動させることができると共に、重り部材８４００の移動（重心位置の変化）を迅速に行うことができる。その結果、重り部材８４００の移動に伴う重心位置の変化を利用して、支持板部材８３００を本来あるべき姿勢（第１角度位置または第２角度位置）に確実に維持することができる。
【０３３６】
ここで、本実施形態では、箱体８３５０が樹脂材料から構成されるので、支持板部材８３００の全体を一体に形成することができ、製造コストの削減を図ることができる。また、重り部材８４００が金属材料から構成されることで、その重量を確保できるので、転動に伴う重心位置の変化を大きくできる。
【０３３７】
一方で、支持板部材８３００による遊技球の振り分け動作時には（図３６参照）、箱体８３５０の互いに対向する側壁（即ち、重り部材８４００が転動する通路の一端側および他端側、図３５（ａ）左側および右側）に重り部材８４００が繰り返し衝突されるため、上述のように、箱体８３５０が樹脂材料から構成されると共に、重り部材８４００が金属材料から構成される場合には、箱体８３５０の互いに対向する側壁の破損を招きやすい。
【０３３８】
これに対し、本実施形態では、箱体８３５０の互いに対向する側壁に、締結ねじ８３５１を締結する被締結孔８３５１が形成されると共に、その被締結孔８３５１の形成に伴い側壁の一部が部分的に外方へ向けて膨出される（肉厚とされる）。よって、箱体８３５０の互いに対向する側壁に、金属材料からなる締結ねじ８３７０が埋め込まれた状態を形成できると共に、側壁の一部を部分的に肉厚とすることができるので、側壁（重り部材８４０００が衝突する部分）を補強して、その側壁の破損を抑制できる。また、箱体８３５０と蓋体８３６０とを締結固定するための構成を、重り部材８４０００が衝突する部分（箱体８３５０の側壁）を補強する構成としても兼用できるので、補強のための構成を別途設けることを不要として、その分、製品コストの削減を図ることができる。
【０３３９】
次いで、図３７を参照して、第９実施形態における支持板部材９３００について説明する。第８実施形態では、重り部材８４００が転動する通路の底面が、始端から終端まで正面視直線状に形成される場合を説明したが、第９実施形態の通路の底面には、重り部材８４００を案内する部分の一部に窪み（窪み部９３５０ａ）が形成される。なお、上記各実施形態と同一の部分については同一の符号を付して、その説明を省略する。
【０３４０】
図３７（ａ）は、第９実施形態における支持板部材９３００の正面図であり、図３７（ｂ）は、第２角度位置に配置された支持板部材９３００の正面図である。なお、図３７（ａ）では、重り部材８４００の図示が省略される。
【０３４１】
図３７（ａ）に示すように、第９実施形態における箱体９３５０の底面には、左受け板３３４０Ｌ及び右受け板３３４０Ｒの延設方向と平行に左右方向（図３７（ａ）左右方向）に延設される直線状の部分の両端（図３７（ａ）左側および右側）に、下方へ向けて窪む窪み部９３５０ａが形成される。窪み部９３５０ａは、一端側または他端側（図３７（ａ）左側および右側）へ直線状に下降傾斜して形成される。
【０３４２】
図３７（ｂ）に示すように、箱体９３５０の両端に窪み部９３５０ａが形成されるので、支持板部材９３００が回動軸３３２０を回動中心として回動されることに伴って、通路（箱体９３５０の底面）が下降傾斜され、その下降傾斜に沿って重り部材８４００が終端まで勢い良く転動されたとしても、その重り部材８４００は、窪み部９３５０ａに嵌り込まれつつ、終端（図３７（ｂ）右端）に衝突されるため、終端で逆方向へ跳ね返されたとしても、窪み部９３５０ａの上昇傾斜により重り部材８４００の跳ね返り方向への移動を阻害することができる。これにより、重り部材８４００が始端（図３７（ｂ）左端）まで跳ね返されることを抑制でき、支持板部材９３００を本来あるべき姿勢（第１角度位置または第２角度位置）に確実に維持できる。
【０３４３】
次いで、図３８から図４３を参照して、第１０実施形態における振分装置１００００について説明する。第３実施形態では、重り部材３４００を案内部３３５０に沿って摺動させることで重心位置を変化させる場合を説明したが、第１０実施形態では、左重り部材１０３６０Ｌ又は右重り部材１０３６０Ｒのいずれか一方を下方に垂下させることで重心位置を変化させる。なお、上記各実施形態と同一の部分については同一の符号を付して、その説明を省略する。
【０３４４】
図３８は、第１０実施形態における振分装置１００００の部分拡大正面透視図であり、図３８（ａ）は、入球した遊技球を第１始動口６３ａへ振り分ける動作が、図３８（ｂ）は、入球した遊技球を第２始動口６３ｂへ振り分ける動作が、それぞれ模式的に図示される。
【０３４５】
図３８を参照して、振分装置１００００による遊技球の振り分け動作の概略について説明する。振分装置１００００には、内部に支持板部材１０３００が配設される。支持板部材１０３００は、図３８（ａ）に実線で示す第１角度位置または図３８（ｂ）に実線で示す第２角度位置の間で回動可能に軸支されており、振分装置１００００内に入球された遊技球を、中央板３３３０と左受け板３３４０Ｌとの間または中央板３３３０と右受け板３３４０Ｒとの間で受ける。
【０３４６】
図３８（ａ）に破線で示すように、第２角度位置にある支持板部材１０３００は、入球された遊技球を中央板３３３０と左受け板３３４０Ｌとの間で受ける。この場合、支持板部材１０３００は、図３８（ａ）に実線で示すように、遊技球の重さにより、図３８（ａ）反時計回りに回動され、第１角度位置に配置されると共に、遊技球を第１始動口６３ａへ振り分ける。
【０３４７】
一方、図３８（ｂ）に破線で示すように、第１角度位置にある支持板部材１０３００は、入球された遊技球を中央板３３３０と右受け板３３４０Ｒとの間で受ける。この場合、支持板部材１０３００は、図３８（ｂ）に実線で示すように、遊技球の重さにより、図３８（ｂ）時計回りに回動され、第２角度位置に配置されると共に、遊技球を第２始動口６３ｂへ振り分ける。
【０３４８】
このように、支持板部材１０３００は、受けた遊技球の重さにより回動され、第１角度位置または第２角度位置に交互に配置されると共に、遊技球を第１始動口６３ａと第２始動口６３ｂとに均等に振り分けて入賞させる。
【０３４９】
ここで、支持板部材１０３００には、左重り部材１０３６０Ｌ及び右重り部材１０３６０Ｒが配設され、中央板３３３０が真上を向いた姿勢で停止しないようにされている。即ち、図３８（ａ）に破線で示す第２角度位置で遊技球を受けた支持板部材１０３００が、反時計回りに回動され、遊技球を第１始動口６３ａへ誘導すると共に、図２３８３（ａ）に実線で示す第１角度位置に配置されると、左重り部材１０３６０Ｌが下降傾斜側（左受け板３３４０Ｌ側）に垂下され、支持板部材１０３００を第１角度位置に維持する。よって、支持板部材１０３００は、次に入球される遊技球を、図３８（ａ）に実線で（図３８（ｂ）に破線で）示す第１角度位置で受けるため、その遊技球を第２始動口６３ｂへ誘導する。
【０３５０】
一方、図３８（ｂ）に破線で示す第１角度位置で遊技球を受けた支持板部材１０３００が、時計回りに回動され、遊技球を第２始動口６３ｂへ誘導すると共に、図３８（ｂ）に実線で示す第２角度位置に配置されると、右重り部材１０３６０Ｒが下降傾斜側（右受け板３３４０Ｒ側）に垂下され、支持板部材１０３００を第２角度位置に維持する。よって、支持板部材１０３００は、次に入球される遊技球を、図３８（ｂ）に実線で（図２３（ａ）に破線で）示す第２角度位置で受けるため、その遊技球を第１始動口６３ａへ誘導する。
【０３５１】
このように、支持板部材１０３００は、振分装置１００００に入球する遊技球を第１始動口６３ａと第２始動口６３ｂとに交互に誘導することができる。
【０３５２】
次いで、図３９から図４１を参照して、基板部材３１００及び支持板部材１０３００の詳細構成について、順に説明する。図３９（ａ）は、基板部材１０１００の正面図であり、図３９（ｂ）は、図３９（ａ）の矢印ＸＸＸＩＸｂ方向視における基板部材１０１００の側面図である。なお、図３９（ａ）では、基板部材１０１００に対する前面部材３２００の配設位置の関係を示すために、前面部材３２００が二点鎖線を用いて模式的に図示される。
【０３５３】
図３９（ａ）及び図３９（ｂ）に示すように、基板部材１０１００は、第３実施形態における基板部材３１００に対し、上突起１０１４１及び下突起１０１４２が追加される点のみが異なり、他の構成は同一である。よって、異なる構成のみを説明する。
【０３５４】
基板部材１０１００の軸孔３１３０の周囲には、一対の上突起１０１４１及び一対の下突起１０１４２が突設される。これら上突起１０１４１及び下突起１０１４２は、左重り部材１０３６０Ｌ及び右重り部材１０３６０Ｒを磁石１０３８０に磁着させると共にその磁着を解除させる際に使用される円柱状の突起であり（図４２及び図４３参照）、一対の上突起１０１４１は、軸孔３１３０よりも上方となる位置において、左右均等に配置され、一対の下突起１０１４２は、軸孔３１３０よりも下方となる位置において、左右均等に配置される。
【０３５５】
軸孔３１３０よりも左方（図３９（ａ）左側）に位置する上突起１０１４１及び下突起１０１４２は、支持板部材１０３００が回動軸３３２０を回動中心として回動される際の左係止片１０３７０Ｌの移動軌跡上に突設され、軸孔３１３０よりも右方（図３９（ａ）右側）に位置する上突起１０１４１及び下突起１０１４２は、支持板部材１０３００が回動軸３３２０を回動中心として回動される際の左係止片１０３７０Ｌの移動軌跡上に突設される。よって、支持板部材１０３００が回動軸３３２０を回動中心として回動される際には、左係止片１０３７０Ｌ及び右係止片１０３７０Ｒが上突起１０１４１又は下突起１０１４２に係止される（図４２及び図４３参照）。
【０３５６】
次いで、図４０及び図４１を参照して、支持板部材１０３００の全体構成について説明する。図４０（ａ）は、支持板部材１０３００の正面図であり、図４０（ｂ）は、図４０（ａ）の矢印ＸＬｂ方向視における支持板部材１０３００の側面図であり、図４０（ｃ）は、図４０（ａ）の矢印ＸＬｃ方向視における支持板部材１０３００の底面図である。また、図４１（ａ）は、図４０（ｂ）のＸＬＩａ−ＸＬＩａ線における支持板部材１０３００の断面図であり、図４１（ｂ）は、第１角度位置に配置された支持板部材１０３００の正面図である。
【０３５７】
図４０及び図４１に示すように、左受け板３３４０Ｌの底面には、回動軸１０３５１を回動可能に軸支する軸受１０３５０が取着され、その軸受１０３５０に回動可能に軸支される回動軸１０３５１には、左重り部材１０３６０Ｌ及び左係止片１０３７０Ｌが固着される。同様に、右受け板３３４０Ｒの底面には、回動軸１０３５１を回動可能に軸支する軸受１０３５０が取着され、その軸受１０３５０に回動可能に軸支される回動軸１０３５１には、右重り部材１０３６０Ｒ及び右係止片１０３７０Ｒが固着される。
【０３５８】
左重り部材１０３６０Ｌ及び右重り部材１０３６０Ｒは、金属材料（磁性材料）から構成される板状体であり、互いに同一形状に形成される。左係止片１０３７０Ｌ及び右係止片１０３７０Ｒは、支持板部材１０３００が回動軸２２１０を回動中心として回動される際に、上突起１１４１又は下突起１１４２に係止される部位であり、例えば、図４１（ａ）に示すように、中央板３３３０を対称面として面対称に配設される。
【０３５９】
なお、左重り部材１０３６０Ｌ及び左係止片１０３７０Ｌと、右重り部材１０３６０Ｒ及び右係止片１０３７０Ｒとは、それぞれ同じ回動軸１０３５１に固着されているので、それら各回動軸１０３５１と共に同位相で回動される（図４２及び図４３参照）。
【０３６０】
また、左受け板３３４０Ｌの底面および右受け板３３４０Ｒの底面には、磁石１０３８０がそれぞれ配設される。これら各磁石１０３８０は、左重り部材１０３６０Ｌ又は右重り部材１０３６０Ｒを磁着することで、これら左重り部材１０３６０Ｌ又は右重り部材１０３６０Ｒを左受け板３３４０Ｌ又は右受け板３３４０Ｒに近接した状態に維持する（図４２及び図４３参照）。
【０３６１】
図４１（ｂ）に示すように、支持板部材１０３００は、左受け板３３４０Ｌが右受け板３３４０Ｒよりも下方となる第１角度位置に配置されると、下降傾斜側（左受け板３３４０Ｌ側）に位置する左重り部材１０３６０Ｌが垂直に垂下される一方、上昇傾斜側（右受け板３３４０Ｒ側）に位置する右重り部材１０３６０Ｒが磁石１０３８０に磁着される。よって、支持板部材１０３００は、その重心位置を回動軸３３２０よりも左受け板３３４０Ｌ側に偏心させ、回動軸３３２０を回動中心として図４１（ｂ）時計回りに回動されることが抑制されるので、次の遊技球を受けない限り、図４１（ｂ）に示す第１角度位置に維持される。
【０３６２】
一方、図４１（ｂ）に示す状態（第１角度位置）において、次の遊技球が入球されると、支持板部材１０３００は、その遊技球を中央板３３３０と右受け板３３４０Ｒとにより受ける。その結果、支持板部材１０３００は、遊技球の重さにより、回動軸３３２０を回動中心として、図４１（ｂ）の時計回りに回動され、第２角度位置に配置される（図３８（ｂ）の実線の状態を参照）。
【０３６３】
この第２角度位置では、支持板部材１０３００は、第１角度位置において垂直に垂下されていた左重り部材１０３６０Ｌが磁石１０３８０に磁着される一方、第１角度位置において磁石１０３８０に磁着されていた右重り部材１０３６０Ｒが、その磁着が解除されて、垂直に垂下される。よって、支持板部材１０３００は、その重心位置を回動軸３３２０よりも右受け板３３４０Ｒ側に偏心させ、回動軸３３２０を回動中心として正面視反時計回りに回動されることが抑制されるので、次の遊技球を受けない限り、第２角度位置に維持される。
【０３６４】
なお、本実施形態では、磁石１０３８０を利用して、上昇傾斜側に位置する左重り部材１０３６０Ｌ又は右重り部材１０３６０Ｒが左受け板３３４０Ｌ又は右受け板３３４４Ｒに近接された状態を維持するので、例えば、２部材の機械的な係合を利用して、近接した状態に維持する構成の場合と比較して、構造の簡素化を図ることができると共に、近接状態の維持およびその解除動作の信頼性の向上を図ることができる。
【０３６５】
また、左重り部材１０３６０Ｌ及び右重り部材１０３６０Ｒを金属材料（磁性材料）から構成するので、磁石１０３８０を左受け板３３４０Ｌ及び右受け板３３４０Ｒのみにすれば良く、左重り部材１０３６０Ｌ及び右重り部材１０３６０Ｒに磁石を配設する必要がなり。よって、左重り部材１０３６０Ｌ及び右重り部材１０３６０Ｒと、左受け板３３４０Ｌ及び右受け板３３４０Ｒとの両者にそれぞれ磁石を配設する構成の場合と比較して、磁石の数を半数に低減できるので、その分、部品点数を削減して、製品コストの削減を図ることができる。
【０３６６】
さらに、左重り部材１０３６０Ｌ及び右重り部材１０３６０Ｒを金属材料から構成することで、磁石の配設数を低減できるだけでなく、重りとしての重量を嵩ませることができるので、その分、左重り部材１０３６０Ｌ及び右重り部材１０３６０Ｒの回動に伴う重心位置の移動量を大きくすることができる。その結果、支持板部材１０３００を本来あるべき姿勢（第１角度位置または第２角度位置）に維持しやすくできる。
【０３６７】
次いで、図４２及び図４３を参照して、支持板部材１０３００が回動軸３３２０を回動中心として第１角度位置から第２角度位置（又はその逆に）配置される際に、左重り部材１０３６０Ｌ及び右重り部材１０３６０Ｒの状態（垂下状態および磁着状態）がそれぞれ交互に切り替えられる原理について説明する。
【０３６８】
図４２（ａ）は、第１角度位置に配置された支持板部材１０３００の正面模式図であり、図４２（ｂ）及び図４２（ｃ）は、第１角度位置から第２角度位置へ向けて遷移する状態における支持板部材１０３００の正面模式図であり、図４２（ｄ）は、第２角度位置に配置された支持板部材１０３００の正面模式図である。
【０３６９】
一方、図４３（ａ）は、第２角度位置に配置された支持板部材１０３００の正面模式図であり、図４３（ｂ）及び図４３（ｃ）は、第２角度位置から第１角度位置へ向けて遷移する状態における支持板部材１０３００の正面模式図であり、図４３（ｄ）は、第１角度位置に配置された支持板部材１０３００の正面模式図である。
【０３７０】
なお、第１角度位置から第２角度位置への遷移、及び、第２角度位置から第１角度位置への遷移において、左重り部材１０３６０Ｌの状態が交互に切り替えられる原理は、右重り部材１０３６０Ｒの状態が交互に切り替えられ原理と同一であるので、右重り部材１０３６０Ｒについてのみ説明し、左重り部材１０３６０Ｌについての説明は省略する。また、図４２（ｂ）から図４２（ｄ）では上突起１０１４１の図示が、図４３（ｂ）から図４３（ｄ）では下突起１０１４２の図示が、それぞれ省略される。
【０３７１】
まず、図４２（ａ）から図４２（ｄ）を参照して、第１角度位置（図４２（ａ））から第２角度位置（図４２（ｄ））へ遷移する際の右重り部材１０３６０Ｒの状態について説明する。
【０３７２】
図４２（ａ）に示すように、右受け板３３４０Ｒが上昇傾斜側となる第１角度位置では、右重り部材１０３６０Ｒが磁石１０３８０に磁着され、右受け板３３４０Ｒに右重り部材１０３６０Ｒが近接された状態が維持される。この場合、右係止片１０３７０Ｒは、上突起１１４１及び下突起１１４２の両者との間に隙間を有する位置に配置される。
【０３７３】
図４２（ｂ）に示すように、右受け板３３４０Ｒが回動軸３３２０を回動中心として下降傾斜方向（図４２（ｂ）時計回り）へ回動され、下降傾斜角度が角度θ２に達すると、右係止片１０３７０Ｒが下突起１０１４２に当接される。この右係止片１０３７０Ｒが下突起１０１４２に当接された状態から、右受け板３３４０Ｒが回動軸３３２０を回動中心として下降傾斜方向（図４２（ｂ）時計回り）へ更に回動されると、右係止片１０３７０Ｒが下突起１０１４２により相対的に上方（右受け板３３４０Ｒに近接する方向、図４２（ｂ）上側）へ押し上げられることで、図４２（ｃ）に示すように、右重り部材１０３６０Ｒが右受け板３３４０Ｒから離間する方向（図４２（ｂ）下側）へ回動され、図４２（ｃ）に示すように、磁石１０３８０による磁着が解除される。
【０３７４】
右重り部材１０３６０Ｒは、右係止片１０３７０Ｒよりも重量が重くされるため、磁石１０３８０による磁着が解除されると、回動軸１０３５１を回動中心として、垂直に垂下される。右受け板３３４０Ｒが回動軸３３２０を回動中心として下降傾斜方向（図４２（ｃ）時計回り）に更に回動され、下降傾斜角度が角度θ４に達すると、第２角度位置に配置される。
【０３７５】
図４２（ｄ）に示すように、右受け板３３４０Ｒが下降傾斜側となる第２角度位置では、右重り部材１０３６０Ｒが垂直に垂下される。この場合、右係止片１０３７０Ｒは、下突起１１４２との間に隙間を有する位置に配置される。よって、右重り部材１０３６０Ｒの重さを右受け板３３４０Ｒに効率的に作用させることができる。
【０３７６】
次いで、図４３（ａ）から図４３（ｄ）を参照して、第２角度位置（図４３（ａ））から第１角度位置（図４３（ｄ））へ遷移する際の右重り部材１０３６０Ｒの状態について説明する。
【０３７７】
図４３（ａ）に示すように、右受け板３３４０Ｒが下降傾斜側となる第２角度位置では、右重り部材１０３６０Ｒが垂直に垂下される。この状態から、右受け板３３４０Ｒは、右重り部材１０３６０Ｒを垂直に垂下させた状態のまま、回動軸３３２０を回動中心として上昇傾斜方向（図４３（ａ）反時計回り）へ回動される。
【０３７８】
図４３（ｂ）に示すように、右受け板３３４０Ｒが回動軸３３２０を回動中心として上昇傾斜方向（図４３（ｂ）反時計回り）へ回動され、上昇傾斜角度が角度θ５に達すると、右係止片１０３７０Ｒが上突起１０１４１に当接される。この右係止片１０３７０Ｒが上突起１０１４１に当接された状態から、右受け板３３４０Ｒが回動軸３３２０を回動中心として上昇傾斜方向（図４３（ｂ）反時計回り）へ更に回動されると、右係止片１０３７０Ｒが上突起１０１４１により相対的に下方（図４３（ｂ）下側）へ押し上げられることで、図４３（ｃ）に示すように、右重り部材１０３６０Ｒが右受け板３３４０Ｒへ近接する方向（図４３（ｃ）上側）へ回動され、磁石１０３８０に磁着される。
【０３７９】
なお、本実施の形態では、右係止片１０３７０Ｒが上突起１０１４１に当接されることで、右重り部材１０３６０Ｒを磁石１０３８０へ向けて近接させることができるので、かかる磁石１０３８０による磁着を確実に行うことができる。よって、磁石１０３８０の磁力を不必要に強くする必要がないので、上述した磁石１０３８０の磁着の解除（図４２（ｂ）及び図４２（ｃ）参照）を確実化することができる。
【０３８０】
右受け板３３４０Ｒは、右重り部材１０３６０Ｒが磁石１０３８０に磁着され、右重り部材１０３６０Ｒが近接された状態のまま、回動軸３３２０を回動中心として上昇傾斜方向（図４３（ｃ）反時計回り）に更に回動され、上昇傾斜角度が角度θ１に達すると、第１角度位置に配置される。
【０３８１】
図４３（ｄ）に示すように、右受け板３３４０Ｒが上昇傾斜側となる第１角度位置では、右重り部材１０３６０Ｒが磁石１０３８０による磁着により右受け板３３４０Ｒに近接された状態に維持される。この場合、右係止片１０３７０Ｒは、上突起１１４１との間に隙間を有する位置に配置される。よって、右係止片１０３７０Ｒが外乱などの影響により上突起１１４１に当接され、磁石１０３８０による右重り部材１０３６０Ｒの磁着が不用意に解除されることを抑制できる。
【０３８２】
このように、本実施形態では、支持板部材１０３００が、左受け板３３４０Ｌ及び右受け板３３４０Ｒにそれぞれ回動可能に垂下される左重り部材１０３６０Ｌ及び右重り部材１０３６ＯＲと、それら左重り部材１０３６０Ｌ及び右重り部材１０３６ＯＲに連結される左傾斜片１０３７０Ｌ及び右傾斜片１０３７０Ｒとを備え、第１角度位置または第２角度位置まで支持板部材１０３００が配置される際には、上昇傾斜側に配置される左重り部材１０３６０Ｌ又は右重り部材１０３６ＯＲは磁石１０３８０に磁着させ左受け板３３４０Ｌ又は右受け板３３４０Ｒに近接させておく一方、下降傾斜側に配置される左重り部材１０３６０Ｌ又は右重り部材１０３６ＯＲは磁石１０３８０による磁着を解除して、左受け板３３４０Ｌ又は右受け板３３４０Ｒから鉛直に垂下させることができる。これにより、支持板部材１０３００の重心位置を移動させることができ、かかる支持板部材１０３００を本来あるべき姿勢（第１角度位置または第２角度位置）に維持することができる。
【０３８３】
例えば、第１角度位置では、図４１（ｂ）に示すように、上昇傾斜側（右受け板３３４０Ｒ側）に位置する右重り部材１０３６０Ｒが磁石１０３８０の磁着により右受け板３３４０Ｒに近接されると共に、下降傾斜側（左受け板３３４０Ｌ側）に位置する左重り部材１０３６０Ｌが垂直に垂下されるので、全体としての重心位置を左受け板３３４０Ｌ側に変化させる（即ち、下降傾斜側に位置する左受け板３３４０Ｌ側をより重くする）ことができる。その結果、支持板部材１０３００が逆方向へ回動されて、第２角度位置に逆戻りすることを抑制し、第１角度位置に維持できる。第２角度位置に配置された支持板部材１０３００についても同様である。
【０３８４】
次いで、図４４を参照して、第１１実施形態における支持板部材１１３００について説明する。第１０実施形態では、左重り部材１０３６０Ｌを磁着するための磁石１０３８０と右重り部材１０３６０Ｒを磁着するための磁石１０３８０とをそれぞれ個別に設ける場合を説明したが、第１１実施形態では、１の磁石１０３８０が、左重り部材１０３６０Ｌの磁着と右重り部材１０３６０Ｒの磁着とを兼用するように構成される。なお、上記各実施形態と同一の部分については同一の符号を付して、その説明を省略する。
【０３８５】
図４４（ａ）は、第１１実施形態における支持板部材１１３００の正面図であり、図４４（ｂ）は、第１角度位置に配置された支持板部材１１３００の正面図であり、図４４（ｃ）は、第２角度位置に配置された支持板部材１１３００の正面図である。
【０３８６】
図４４（ａ）から図４４（ｃ）に示すように、第１１実施形態における支持板部材１１３００は、中央円筒部３３１０の底面に１の磁石１０３８０が配設される。また、左重り部材１１３６０Ｌ及び右重り部材１１３６０Ｒは、第１０実施形態における左重り部材１０３６０Ｌ及び右重り部材１０３６０Ｒよりも長さ寸法が大きくされる。
【０３８７】
即ち、左重り部材１１３６０Ｌ及び右重り部材１１３６０Ｒは、回動軸１０３５１から先端（図４４（ａ）下端）までの長さ寸法が、回動軸１０３５１から磁石１０３８０までの直線距離よりも大きくされる。よって、第１角度位置では、図４４（ｂ）に示すように、右重り部材１１３６０Ｒが磁石１０３８０に磁着可能とされる一方、第２角度位置では、図４４（ｃ）に示すように、左重り部材１１３６０Ｌが磁石１０３８０に磁着可能とされる。
【０３８８】
このように、本実施形態では、１の磁石１０３８を、左重り部材１１３６０Ｌ及び右重り部材１１３６０Ｒを磁着して左受け板３３４０Ｌ又は右受け板３３４０Ｒに近接した状態に維持するための磁石として兼用する。よって、その兼用の分、部品点数を削減して、製品コストの削減を図ることができる。また、このように、左重り部材１１３６０Ｌ及び右重り部材１１３６０Ｒの長さ寸法を大きくすることで、それら左重り部材１１３６０Ｌ及び右重り部材１１３６０Ｒの変位に伴う重心位置の移動量をより大きくできる。その結果、支持板部材１１３００を本来あるべき姿勢（第１角度位置または第２角度位置）に維持しやすくできる。
【０３８９】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０３９０】
上記各実施形態のうちの一の実施形態における一部または全部の構成を、他の実施形態における一部または全部の構成と組み合わせて、或いは、置き換えて、パチンコ機を構成しても良い。例えば、第１実施形態における振分装置１０００と、第３実施形態における振分装置３０００とを組み合わせて（即ち、遊技盤１３に両者を配設して）パチンコ機を構成することが例示される。
【０３９１】
上記各実施形態では、各振分装置１０００〜１００００による遊技球の振り分け先（第１位置および第２位置）に、第１始動口６３ａ及び第２始動口６３ｂが配設される場合を一例として説明したが、第１位置および第２位置に配設されるものは第１始動口６３ａ及び第２始動口６３ｂに限定されるものではなく、他のどのような構成であっても良い。即ち、入賞口などの種類は問わない。また、第１位置および第２位置に配設されるものは、入賞口などの遊技球が入球する構成である必要はない。例えば、釘や風車であっても良い。また、何も配設されていなくても良い。即ち、第１位置および第２位置とは、遊技領域における位置を特定するものであり、その位置に存在する構成は限定されない。
【０３９２】
上記第１及び第２実施形態では、対面壁部材１２２０に配設される対面側磁石１２２６の磁力を作用させる対象が遊技球である場合を説明したが、これに代えて、或いは、これに加えて、円板部材１３００の外周面近傍に磁石を配設し、この磁石へ対面側磁石１２２６の磁力を作用させるようにしても良い。対面側磁石１２２６の磁力を、円板部材の位相（回動位置）に応じて、より精度良く作用させることができる。
【０３９３】
上記第３から第９実施形態では、案内部３３５０〜５３５０に装着する又は箱体８３５０，９３５０の通路に収納する重り部材３４００〜８４００の数が１個である場合を説明したが、２個以上の重り部材３４００〜８４００を同時に装着または収納しても良い。案内部３３５０〜５３５０及び通路の延設方向（摺動または転動する方向）のスペースを有効に利用することで（即ち、その延設方向に沿って２個以上を並設状態で装着または収納することで）、振分装置の小型化を図りつつ、重さをより確保できる。
【０３９４】
上記第３から第７実施形態では、重り部材３４００〜７４００が開いた系として構成される場合を説明したが、これら重り部材３４００〜７４００を閉じた系として構成しても良い。その場合には、案内部３３５０〜５３５０を、左受け板３３４０Ｌ及び右受け板３３４０Ｒと別体とすれば良い。
【０３９５】
上記第１０及び第１１実施形態では、左重り部材１０３６０Ｌ，１１３６０Ｌ及び右重り部材１０３６０Ｒ，１１３６０Ｒを金属材料（磁性材料）から構成する場合を説明したが、樹脂材料などの非磁性材料から構成しても良い。この場合には、磁石１３８０に磁着可能な磁極の向きで、左重り部材１０３６０Ｌ，１１３６０Ｌ及び右重り部材１０３６０Ｒ，１１３６０Ｒにも磁石を配設すれば良い。
【０３９６】
上記第１０及び第１１実施形態では、左重り部材１０３６０Ｌ，１１３６０Ｌ及び右重り部材１０３６０Ｒ，１１３６０Ｒが、その長手方向（図４１（ａ）上下方向）中央に重心が位置する形状（即ち、正面視矩形状で厚み寸法が一定の平板形状）とされる場合を説明したが、回動軸１０３５１から先端までの長さ方向中央よりも先端側に重心が偏心するように構成することが好ましい。左重り部材１０３６０Ｌ，１１３６０Ｌ及び右重り部材１０３６０Ｒ，１１３６０Ｒの変位に伴う支持板部材１０３００，１１３００の重心位置の移動量をより大きくできるからである。
【０３９７】
なお、重心を先端側に偏心させる方法としては、左重り部材１０３６０Ｌ，１１３６０Ｌ及び右重り部材１０３６０Ｒ，１１３６０Ｒの厚み寸法または（及び）幅寸法を先端側ほど大きくする方法、左重り部材１０３６０Ｌ，１１３６０Ｌ及び右重り部材１０３６０Ｒ，１１３６０Ｒの先端側にアルミシートや鉛シートを貼着する或いは金属製のねじを締結する方法などが例示される。
【０３９８】
以下に、本発明の遊技機に加えて上述した実施形態に含まれる各種発明の概念を示す。
【０３９９】
遊技領域を備え、その遊技領域を遊技球が流下する遊技機において、前記流下する遊技球を受けると共に、その受けた遊技球の重さで動作して、前記遊技球を第１位置と第２位置とへ交互に振り分ける振分部材を備えることを特徴とする遊技機１。
【０４００】
遊技機１によれば、遊技領域を流下する遊技球を受け、その受けた遊技球を第１位置と第２位置とへ交互に振り分ける振分部材を備えるので、例えば、第１位置および第２位置を目標位置に設定することで、遊技領域における異なる目標位置に対して遊技球を均等に誘導できる。
【０４０１】
また、振分部材は、受けた遊技球の重さで動作するので、遊技球を第１位置と第２位置とへ交互に振り分ける動作を機械的な構成により実行でき、かかる動作のための動力や制御を不要とできる。その結果、部品点数や制御コストを削減して、製品コストの削減を図ることができる。
【０４０２】
遊技機１において、入球により遊技の当否がそれぞれ抽選される第１始動口および第２始動口と、前記振分部材により前記第１位置に振り分けられた遊技球を前記第１始動口へ誘導する第１誘導部と、前記振分部材により前記第２位置に振り分けられた遊技球を前記第２始動口へ誘導する第２誘導部と、を備えることを特徴とする遊技機２。
【０４０３】
遊技機２によれば、遊技機１の奏する効果に加え、振分部材により第１位置および第２位置に交互に振り分けられる遊技球を第１始動口および第２始動口にそれぞれ誘導する第１誘導部および第２誘導部を備えるので、第１始動口および第２始動口（異なる目標位置）に対して遊技球を均等に誘導できる。
【０４０４】
ここで、第１始動口に遊技球が入球すると、遊技の当否が抽選され、第１始動口に対応した第１特別図柄が動的表示された後、抽選結果が報知されると共に、第２始動口に遊技球が入球すると、遊技の当否が抽選され、第２始動口に対応した第２特別図柄が動的表示された後、抽選結果が報知される。
【０４０５】
この場合、第１特別図柄の動的表示中に第１始動口に遊技球が入球すると、実行中の動的表示の終了後に第１特別図柄を動的表示する権利が上限数（例えば、４）まで保留球として記憶される。同様に、第２特別図柄の動的表示中に第２始動口に遊技球が入球すると、実行中の動的表示の終了後に第２特別図柄を動的表示する権利が、上限数（例えば、４）まで保留球として記憶される。
【０４０６】
しかしながら、第１始動口と第２始動口とに均等に遊技球を入球させることは困難であり、一方の始動口のみに入球が偏り易いため、保留球の上限数（例えば、合計８）を活用することが困難であるという問題点があった。即ち、保留球を上限数まで記憶させる（第１始動口および第２始動口の双方において、それぞれ保留球を上限数まで記憶させる）と、一方の始動口において上限数以上の遊技球が入球するオーバーフローが発生し易くなる。オーバーフローが発生すると、オーバーフローした入球分の当否抽選および動的表示がなされないため、その分、遊技者に不利益となる。
【０４０７】
これに対し、遊技機２によれば、遊技領域を流下する遊技球を、振分部材によって第１始動口および第２始動口に均等に入球させられる。よって、第１始動口および第２始動口に設定された保留球の上限数をそれぞれ有効に活用できる。即ち、オーバーフローの発生を抑制して、遊技者の不利益を回避できる。
【０４０８】
遊技機１又は２において、前記振分部材は、回動可能に軸支される円板状の円板部材と、その円板部材に対面して配設される対面壁部材と、を備え、前記対面壁部材は、前記遊技領域を流下する遊技球が入球する入球口と、その入球口から周方向に位相を異ならせた位置に配設されると共に前記第１位置に前記遊技球を排球する第１排球口と、前記入球口から周方向に位相を異ならせた位置に配設されると共に前記第２位置に前記遊技球を排球する第２排球口と、を備え、前記円板部材は、前記対面壁部材の入球口に入球した遊技球を受けると共に、その受けた遊技球の重さで前記円板部材が回動動作されることで、前記受けた遊技球を前記第１排球口を介して第１位置へ排球する第１受け部と、前記対面壁部材の入球口に入球した遊技球を受けると共に、その受けた遊技球の重さで前記円板部材が回動動作されることで、前記受けた遊技球を前記第２排球口を介して第２位置へ排球する第２受け部と、を備えると共に、対面壁部材の入球口に入球した遊技球を第１受け部および第２受け部が交互に受けるように構成されることを特徴とする遊技機３。
【０４０９】
遊技機３によれば、遊技機１又は２の奏する効果に加え、遊技球を第１位置および第２位置に交互に振り分けることができる。また、振り分ける動作を、遊技球の重さを利用して、機械的な構成により実行できるので、その動作のための動力を不要とできる。
【０４１０】
即ち、遊技領域を流下する遊技球が対面壁部材の入球口に入球され、その入球した遊技球を円板部材の第１受け部が受けると、円板部材が遊技球の重さで回動動作され、第１受け部が対面壁部材の第１排球口に到達されることで、第１排球口を介して第１位置に遊技球が排球される。この場合、対面壁部材の入球口に入球した遊技球を、第１受け部および第２受け部が交互に受けるように構成されるので、次いで、対面壁部材の入球口に入球した遊技球を、円板部材の第２受け部が受け、円板部材が遊技球の重さで回動動作されると共に、第２受け部が対面壁部材の第２排球口に到達されることで、第２排球口を介して第２位置に遊技球が排球される。これにより、遊技球が第１位置および第２位置に交互に振り分けられると共に、振り分ける動作が遊技球の重さを利用して実行される。
【０４１１】
また、振分部材は、円板部材が円板状に形成され、平面的な配置が可能であるので、比較的奥行き寸法（遊技盤と板ガラスとの間の間隔）が小さい遊技領域においても、振分部材の配設スペースを確保しやすくできる。
【０４１２】
遊技機３において、前記第１受け部および第２受け部は、前記対面壁部材の入球口に入球した遊技球を受ける受け面が、前記円板部材の周方向に沿って下降傾斜されることを特徴とする遊技機４。
【０４１３】
遊技機４によれば、遊技機３の奏する効果に加え、第１受け部および第２受け部は、対面壁部材の入球口に入球した遊技球を受ける受け面が、円板部材の周方向に沿って下降傾斜されるので、入球口から入球した遊技球を第１受け部の受け面または第２受け部の受け面が受けると、その受け面の下降傾斜に沿って遊技球を円板部材の周方向に沿って転動させ、遊技球の重さが円板部材に作用する位置を移動させることができる。これにより、遊技球の重さが加わることによる円板部材の重心位置の変化を大きくできるので、円板部材を確実に回動させることができると共にその回動動作を速やかに行わせることができる。
【０４１４】
遊技機４において、前記第１受け部の受け面と第２受け部の受け面とが前記円板部材の周方向に沿って下降傾斜される傾斜方向が同一方向であることを特徴とする遊技機５。
【０４１５】
遊技機５によれば、遊技機４の奏する効果に加え、第１受け部の受け面と第２受け部の受け面とが円板部材の周方向に沿って下降傾斜される傾斜方向が同一方向であるので、第１受け部が受けた遊技球の重さにより円板部材が回動される際の回動方向と、第２受け部が受けた遊技球の重さにより円板部材が回動される際の回動方向とを同一方向とできる。即ち、円板部材の回動方向を一方向に統一できる。よって、円板部材が一方向および他方向に回動する場合と比較して、遊技球を第１位置および第２位置へ振り分ける動作を安定して実行できる。また、円板部材の回動速度を減速または停止させる機構を設ける場合には、その機構の配設数の削減および構造の簡素化を図ることができる。
【０４１６】
遊技機５において、前記円板部材は、ワンウェイクラッチを介して軸支され、前記第１受け部の受け面および第２受け部の受け面が下降傾斜する方向への回動が許容されると共に反対方向への回動が規制されることを特徴とする遊技機６。
【０４１７】
遊技機６によれば、遊技機５の奏する効果に加え、円板部材は、ワンウェイクラッチを介して軸支され、第１受け部の受け面および第２受け部の受け面が下降傾斜する方向への回動（即ち、遊技球の重さによって回動すべき方向への回動）が許容されると共に反対方向への回動が規制されるので、振動などの外乱の影響を受けた場合でも、回動すべき方向と反対方向へ円板部材が回動することを回避でき、その結果、第１位置および第２位置へ遊技球を振り分ける動作の信頼性の向上を図ることができる。
【０４１８】
なお、ワンウェイクラッチは、一方向への回動のみ許容し、他方向への回動を規制するものであれば、その方式は問わない。ワンウェイクラッチの方式としては、例えば、スプラグ式やカム式などが例示される。
【０４１９】
遊技機３から６のいずれかにおいて、前記対面壁部材の第１排球口および第２排球口は、前記円板部材の回動方向進行側へ向けて傾斜して延設されることを特徴とする遊技機７。
【０４２０】
遊技機７によれば、遊技機３から６のいずれかの奏する効果に加え、対面壁部材の第１排球口および第２排球口は、円板部材の回動方向進行側へ向けて傾斜して延設されるので、円板部材の第１受け部または第２受け部から対面壁部材の第１排球口または第２排球口へ遊技球をスムーズに入り込ませることができる。
【０４２１】
即ち、振分部材は、円板部材が回動する構造であるので、第１受け部または第２受け部から第１排球口または第２排球口へ遊技球が移動する際に、これら第１受け部または第２受け部と第１排球口または第２排球口との間に遊技球が噛み込むおそれがある。これに対し、遊技機７では、第１排球口および第２排球口は、円板部材の回動方向進行側へ向けて傾斜して（即ち、遊技球が第１受け部または第２受け部から押し出される方向へ沿って）延設されるので、第１受け部または第２受け部から押し出される遊技球を第１排球口または第２排球口へスムーズに受け入れさせることができる。
【０４２２】
遊技機３から７のいずれかにおいて、前記対面壁部材は、前記入球口に対して第１排球口および第２排球口が１８０度位相を異ならせた位置に配設されると共に、前記円板部材は、前記第１受け部に対して第２受け部が１８０度位相を異ならせた位置に配設されることを特徴とする遊技機８。
【０４２３】
遊技機８によれば、遊技機３から７のいずれかの奏する効果に加え、対面壁部材は、入球口に対して第１排球口および第２排球口が１８０度位相を異ならせた位置に配設されると共に、円板部材は、第１受け部に対して第２受け部が１８０度位相を異ならせた位置に配設されるので、入球口に入球した遊技球を第１受け部または第２受け部の一方が受けるタイミングと、第１受け部または第２受け部の他方が第１排球口または第２排球口へ遊技球を排球するタイミングとを一致させることができる。
【０４２４】
即ち、第１受け部または第２受け部の一方が第１排球口または第２排球口と同じ位相に位置すると、第１受け部または第２受け部の他方が入球口と同じ位相に位置するので、第１受け部または第２受け部の一方で受けた遊技球を、第１排球口または第２排球口へ排球する際または排球した後に、第１受け部または第２受け部の他方により、次の遊技球を受けることができ、第１受け部または第２受け部の一方で受けた遊技球を第１排球口または第２排球口へ向けて運んでいる途中で（即ち、円板部材が回動されている状態で）、次の遊技球を受ける必要がない。よって、かかる次の遊技球を第１受け部または第２受け部の他方で確実に受けることができる。
【０４２５】
遊技機８において、前記対面壁部材は、前記円板部材の外周面に対面して前記第１排球口および第２排球口が配設されると共に、前記第１排球口および第２排球口が最下方に配設されることを特徴とする遊技機９。
【０４２６】
遊技機９によれば、遊技機８の奏する効果に加え、対面壁部材は、円板部材の外周面に対面して第１排球口および第２排球口が配設されると共に、第１排球口および第２排球口が最下方に配設されるので、第１受け部または第２受け部から第１排球口または第２排球口へ遊技球を下方へ向けて排球できる。即ち、排球の際には、遊技球の自重が第１排球口または第２排球口へ入り込む方向へ作用するので、遊技球を噛み込ませ難くして、確実に排球することができる。
【０４２７】
遊技機３から７のいずれかにおいて、前記対面壁部材は、前記第１排球口および第２排球口が同じ位相となる位置に配設されると共に、前記入球口に対して第１排球口および第２排球口が９０度位相を異ならせた位置に配設され、前記円板部材は、前記第１受け部および第２受け部が、９０度位相を異ならせつつ前記円板部材の周方向４ヶ所に交互に配設されることを特徴とする遊技機１０。
【０４２８】
遊技機１０によれば、遊技機３から７の奏する効果に加え、同じ位相となる位置に配設される第１排球口および第２排球口が入球口に対して９０度位相を異ならせた位置に配設されると共に、第１受け部および第２受け部が、９０度位相を異ならせつつ円板部材の周方向４ヶ所に交互に配設されるので、入球口に入球した遊技球を第１受け部または第２受け部の一方が受けるタイミングと、その一方に対し９０度位相を異ならせた位置に配設される第１受け部または第２受け部の他方が第１排球口または第２排球口へ遊技球を排球するタイミングとを一致させることができる。
【０４２９】
即ち、第１受け部または第２受け部の一方が第１排球口または第２排球口と同じ位相に位置すると、その一方に対し９０度位相を異ならせた位置に配設される第１受け部または第２受け部の他方が入球口と同じ位相に位置するので、第１受け部または第２受け部の一方で受けた遊技球を、第１排球口または第２排球口へ排球する際または排球した後に、その一方に対し９０度位相を異ならせた位置に配設される第１受け部または第２受け部の他方により、次の遊技球を受けることができ、第１受け部または第２受け部の一方で受けた遊技球を第１排球口または第２排球口へ向けて運んでいる途中で（即ち、円板部材が回動されている状態で）、次の遊技球を受ける必要がない。よって、かかる次の遊技球を第１受け部または第２受け部の他方で確実に受けることができる。
【０４３０】
また、入球口に対して第１排球口および第２排球口が９０度位相を異ならせた位置に配設されるので、例えば、１８０度位相を異ならせる構成と比較して、第１受け部または第２受け部で受けた遊技球を、第１排球口または第２排球口へ排球するために必要とされる円板部材の回動角度を小さくすることができ、その結果、円板部材の回動動作に伴う慣性力の影響を小さくできる。よって、入球口に入球した遊技球の第１受け部または第２受け部による受け取り及び第１排球口または第２排球口への排球を確実に行うことができる。
【０４３１】
遊技機３から１０のいずれかにおいて、前記対面壁部材は、前記円板部材に対面する面に凹設され、前記円板部材が回動動作する際の前記第１受け部および第２受け部の移動軌跡に沿って延設される共に前記第１排球口および第２排球口に連通される第１溝および第２溝を備え、前記第１受け部または第２受け部に収納された遊技球の一部が前記第１溝または第２溝に受け入れられた状態で、前記円板部材が回動動作されることを特徴とする遊技機１１。
【０４３２】
遊技機１１によれば、遊技機３から１０のいずれかにおいて、対面壁部材の円板部材に対面する面に第１溝および第２溝が凹設され、それら第１溝および第２溝は、円板部材が回動動作する際の第１受け部および第２受け部の移動軌跡に沿って延設されるので、円板部材が回動動作する際には、第１受け部または第２受け部に収納された遊技球の一部が第１溝または第２溝に受け入れられた状態を形成できる。よって、円板部材が回動動作する際には、円板部材が対面壁部材に対し遊技球を介して連結された状態を形成できるので、第１溝または第２溝を遊技球が転動または摺動する際の抵抗を利用して、円板部材に回動抵抗を作用させ、その慣性力が過大となることを抑制できる。その結果、入球口に入球した遊技球の第１受け部または第２受け部による受け取り及び第１排球口または第２排球口への排球を確実に行うことができる。
【０４３３】
また、第１溝および第２溝は、第１排球口および第２排球口に連通されるので、第１受け部または第２受け部に収納された遊技球の一部を、第１溝または第２溝に受け入れられた状態（即ち、第１受け部または第２受け部から突出された状態）を形成できれば、その受け入れ（突出）分、遊技球を第１排球口または第２排球口に近づけた状態とし、かかる第１排球口または第２排球口に入り込みやすい状態としておけるので、第１排球口または第２排球口への遊技球の排球を確実に行うことができる。
【０４３４】
さらに、第１溝および第２溝が第１排球口および第２排球口に連通され、第１受け部または第２受け部に収納された遊技球の一部が第１溝または第２溝に受け入れられた状態（即ち、第１受け部または第２受け部から突出された状態）とされることで、第１受け部または第２受け部が第１排球口または第２排球口に到達した場合には、遊技球を第１排球口または第２排球口の開口縁部（第１溝または第２溝の延長線上に位置する縁部）に当接させることができる。これにより、第１排球口または第２排球口への遊技球の排球を確実に行うことができるだけでなく、円板部材の回動速度を低減させる又は停止させることができる。その結果、入球口に入球した遊技球の第１受け部または第２受け部による受け取りを安定して行うことができる。
【０４３５】
なお、第１溝および第２溝は、終端が第１排球口および第２排球口に連通されるが、入球口には連通されず、第１溝および第２溝の始端は、入球口から所定の回動角度分だけ離間されていることが好ましい。この構成によれば、入球口に入球した遊技球を第１受け部または第２受け部が受けて円板部材が回動を開始する初期段階は、その回動に勢いがないところ、遊技球と第１溝または第２溝との間の転動または摺動による抵抗を発生させず、円板部材の回動動作を円滑かつ速やかに進行させることができる。一方、円板部材の回動動作が進行する段階では、円板部材の慣性力が徐々に増加し、勢いが増すところ、遊技球と第１溝または第２溝との間の転動または摺動による抵抗を利用して、円板部材の慣性力を抑制して、その回動動作の適正化を図ることができる。
【０４３６】
遊技機１１において、前記第１溝および第２溝は、前記第１排球口および第２排球口へ向かうに従って凹設深さが大きくされることを特徴とする遊技機１２。
【０４３７】
遊技機１２によれば、遊技機１１の奏する効果に加え、第１溝および第２溝は、第１排球口および第２排球口へ向かうに従って凹設深さが大きくされるので、遊技球と第１溝または第２溝との間の転動または摺動による抵抗を、第１受け部または第２受け部が第１排球口または第２排球口へ近づくほど大きくすることができる。よって、円板部材の慣性力を抑制して、その回動動作の適正化を効果的に図ることができる。
【０４３８】
また、第１受け部または第２受け部に収納された遊技球の一部が第１溝または第２溝に受け入れられる量（即ち、第１受け部または第２受け部から突出される量）を徐々に大きくして、その受け入れられる（突出される）方向へ遊技球を移動させることができるので、第１排球口または第２排球口へ入り込む方向への慣性力を遊技球に持たせることができる。その結果、第１排球口または第２排球口に入り込みやすくでき、第１排球口または第２排球口への遊技球の排球を確実に行うことができる。
【０４３９】
遊技機１２において、前記第１溝および第２溝は、その最大の凹設深さが前記遊技球の直径の１／２よりも大きくされることを特徴とする遊技機１３。
【０４４０】
遊技機１３によれば、遊技機１２の奏する効果に加え、第１溝および第２溝の最大の凹設深さが遊技球の直径の１／２よりも大きくされるので、第１溝または第２溝に受け入れられる部分（即ち、第１受け部または第２受け部から突出される部分）をより大きくして、遊技球を第１排球口または第２排球口により近づけておけるので、遊技球を第１排球口または第２排球口に入り込みやすい状態を形成でき、第１排球口または第２排球口への遊技球の排球をより確実に行うことができる。
【０４４１】
遊技機１１から１３のいずれかにおいて、前記第１排球口および第２排球口は、前記第１溝および第２溝の終端に対面する側の開口縁部の位置が、前記第１溝および第２溝の底面よりも前記円板部材に近接して配設されることを特徴とする遊技機１４。
【０４４２】
遊技機１４によれば、遊技機１１から１３の奏する効果に加え、第１排球口および第２排球口は、第１溝および第２溝の終端に対面する側の開口縁部の位置が、第１溝および第２溝の底面よりも円板部材に近接して配設されるので、第１受け部または第２受け部に収納された遊技球の一部が第１溝または第２溝に受け入れられつつ（即ち、第１受け部または第２受け部から突出されつつ）、第１受け部または第２受け部が第１排球口または第２排球口に到達した場合には、遊技球を第１排球口または第２排球口の開口縁部（第１溝または第２溝の終端に対面する側）に当接させることができる。これにより、第１排球口または第２排球口への遊技球の排球を確実に行うことができるだけでなく、円板部材の回動速度を低減させる又は停止させることができる。その結果、入球口に入球した遊技球の第１受け部または第２受け部による受け取りを安定して行うことができる。
【０４４３】
遊技機１１から１４のいずれかにおいて、前記第１受け部および第２受け部は、その第１受け部または第２受け部に収納された遊技球の一部が前記第１溝または第２溝に受け入れられた状態で、前記円板部材が回動動作される場合に、前記遊技球に対し前記円板部材の回動方向後方において前記遊技球に当接可能に位置する押込部を備えることを特徴とする遊技機１５。
【０４４４】
遊技機１５によれば、遊技機１１から１４の奏する効果に加え、第１受け部および第２受け部は、その第１受け部または第２受け部に収納された遊技球の一部が第１溝または第２溝に受け入れられた状態で、円板部材が回動動作される場合に、遊技球に対し円板部材の回動方向後方においてその遊技球に当接可能に位置する押込部を備えるので、かかる押込部が第１溝または第２溝を転動または摺動する遊技球に円板部材の回動方向後方から当接することで、遊技球の転動抵抗または摺動抵抗を円板部材に伝達でき、その結果、円板部材の慣性力の抑制を図ることができる。また、遊技球が第１排球口または第２排球口に排球される際には、押込部が遊技球に円板部材の回動方向後方から当接することで、遊技球を第１排球口または第２排球口に押し入れることができる。これにより、入球口に入球した遊技球の第１受け部または第２受け部による受け取り及び第１排球口または第２排球口への排球を確実に行うことができる。
【０４４５】
遊技機３から１５のいずれかにおいて、前記振分部材は、前記円板部材に配設され磁石として構成される円板側磁石と、その円板側磁石に引き合う磁極の向きで前記対面壁部材に配設されると共に磁石として構成される対面側磁石とを備え、前記円板側磁石および対面側磁石は、前記円板部材の第１受け部および第２受け部が、前記対面壁部材の入球口よりも、前記対面壁部材の第１排球口および第２排球口に近い側となる前記円板部材の回動位置で、互いに引き合う位置に配設されることを特徴とする遊技機１６。
【０４４６】
遊技機１６によれば、遊技機３から１５のいずれかの奏する効果に加え、円板側磁石および対面側磁石が円板部材および対面壁部材に互いに引き合う磁極の向きでそれぞれ配設されるので、円板部材が回動動作する際には、円板側磁石および対面側磁石の磁力（引き合う力）を利用して、円板部材に回動抵抗を作用させることができ、円板部材の慣性力が過大となることを抑制できる。その結果、円板部材を減速または停止させることができるので、入球口に入球した遊技球の第１受け部または第２受け部による受け取り及び第１排球口または第２排球口への排球を確実に行うことができる。
【０４４７】
また、円板側磁石および対面側磁石は、円板部材の第１受け部および第２受け部が、対面壁部材の入球口よりも、対面壁部材の第１排球口および第２排球口に近い側となる円板部材の回動位置で、互いに引き合う位置に配設されるので、磁力による回動抵抗を円板部材に適正に作用させることができる。即ち、入球口に入球した遊技球を第１受け部または第２受け部が受けて円板部材が回動を開始する初期段階は、その回動に勢いがないところ、その段階では磁力を発生させず、円板部材の回動動作を円滑かつ速やかに進行させることができる。一方、円板部材の回動動作が進行する段階では、円板部材の慣性力が徐々に増加し、勢いが増すところ、磁力を利用して、円板部材の慣性力を抑制できる。その結果、円板部材を減速または停止させることができる。
【０４４８】
遊技機３から１５のいずれかにおいて、前記振分部材は、前記対面壁部材に配設され磁石として構成される対面側磁石を備え、前記対面側磁石は、前記円板部材の第１受け部または第２受け部に収納された遊技球が前記円板部材の回動動作に伴い移動する移動軌跡に対応する位置であって、前記対面壁部材の入球口よりも第１排球口および第２排球口に近い側に配設されることを特徴とする遊技機１７。
【０４４９】
遊技機１７によれば、遊技機３から１５のいずれかの奏する効果に加え、対面側磁石が、円板部材の第１受け部または第２受け部に収納された遊技球が円板部材の回動動作に伴い移動する移動軌跡に対応する位置に配設されるので、円板部材が回動動作する際には、対面側磁石の磁力（遊技球を引き付ける力）を利用して、円板部材に回動抵抗を作用させることができ、円板部材の慣性力が過大となることを抑制できる。その結果、円板部材を減速または停止させることができるので、入球口に入球した遊技球の第１受け部または第２受け部による受け取り及び第１排球口または第２排球口への排球を確実に行うことができる。
【０４５０】
また、対面側磁石は、対面壁部材の入球口よりも第１排球口および第２排球口に近い側に配設されるので、磁力による回動抵抗を円板部材に適正に作用させることができる。即ち、入球口に入球した遊技球を第１受け部または第２受け部が受けて円板部材が回動を開始する初期段階は、その回動に勢いがないところ、その段階では磁力（遊技球を引き付ける力）を発生させず、円板部材の回動動作を円滑かつ速やかに進行させることができる。一方、円板部材の回動動作が進行する段階では、円板部材の慣性力が徐々に増加し、勢いが増すところ、磁力（遊技球を引き付ける力）を利用して、円板部材の慣性力を抑制できる。その結果、円板部材を減速または停止させることができる。
【０４５１】
このように、遊技機１７では、対面側磁石による磁力を作用させる対象として遊技球を利用できるので、円板部材に磁石を配設する必要がない。よって、その分、部品点数を削減して、組み立てコスト及び製品コストの削減を図ることができる。
【０４５２】
遊技機１６又は１７において、前記対面側磁石は、前記円板側磁石または前記遊技球から前記円板部材の径方向に所定距離だけ離間した位置に配設されると共に、前記円板部材の周方向に沿って複数が配設されることを特徴とする遊技機１８。
【０４５３】
遊技機１８によれば、遊技機１６又は１７の奏する効果に加え、円板部材が回動動作する際には、周方向に沿って配設される複数の対面側磁石の磁力を利用して、円板部材に回動抵抗を継続的に作用させることができる。即ち、円板部材に回動抵抗が急激に作用されると、急制動され、円板部材の回動動作が不安定となるため、入球口に入球した遊技球の第１受け部または第２受け部による受け取り及び第１排球口または第２排球口への遊技球の排球が阻害される。これに対し、遊技機１８によれば、同じだけの磁力のエネルギーを、円板部材に回動抵抗として徐々に作用させることができる。よって、円板部材を円滑に減速または停止させ、円板部材の回動動作を安定化させることができる。その結果、入球口に入球した遊技球の第１受け部または第２受け部による受け取り及び第１排球口または第２排球口への排球を確実に行うことができる。
【０４５４】
遊技機１８において、前記複数の対面側磁石は、前記対面壁部材の第１排球口または第２排球口に近いものほど、前記円板側磁石または前記遊技球から前記円板部材の径方向に離間する離間量が小さくされることを特徴とする遊技機１９。
【０４５５】
遊技機１９によれば、遊技機１８の奏する効果に加え、複数の対面側磁石は、対面壁部材の第１排球口または第２排球口に近いものほど、円板側磁石または遊技球から円板部材の径方向に離間する離間量が小さくされるので、対面側磁石による磁力による効果を、第１受け部または第２受け部が第１排球口または第２排球口へ近づくほど大きくすることができる。よって、円板部材の慣性力を抑制して、その回動動作の適正化を効果的に図ることができる。その結果、円板部材を減速または停止させることができるので、入球口に入球した遊技球の第１受け部または第２受け部による受け取り及び第１排球口または第２排球口への排球を確実に行うことができる。
【０４５６】
遊技機３から１９のいずれかにおいて、前記振分部材は、前記対面壁部材に軸支される軸部と、その軸部から延設され前記第１排球口または第２排球口の内部へ突出される突出片と、その突出片の反対側へ向けて前記軸部から延設され前記円板部材の外周面に対面して配設される対面片とを有する制動部材を備え、前記円板部材の第１受け部または第２受け部から排球され前記対面壁部材の第１排球口または第２排球口を通過する遊技球により前記制動部材の突出片が押し下げられることに伴って、押し上げられた前記制動部材の対面片が前記円板部材の外周面に当接することを特徴とする遊技機２０。
【０４５７】
遊技機２０によれば、制動部材は、対面壁部材に軸支される軸部から延設される突出片が、第１排球口または第２排球口の内部へ突出されると共に、その突出片の反対側へ向けて軸部から延設される対面片が、円板部材の外周面に対面して配設され、円板部材の第１受け部または第２受け部から排球された遊技球が対面壁部材の第１排球口または第２排球口を通過する際には、その遊技球が制動部材の突出片を押し下げ、制動部材が軸部を中心として回動されることで、制動部材の対面片が押し上げられるので、この押し上げられた制動部材の対面片を円板部材の外周面に当接させることができる。その結果、円板部材を減速または停止させることができるので、入球口に入球した遊技球の第１受け部または第２受け部による受け取り及び第１排球口または第２排球口への排球を確実に行うことができる。
【０４５８】
また、制動部材は、第１排球口または第２排球口を通過する遊技球を利用して動作され、制動部材の対面片を円板部材に当接させる動作を機械的な構成により実行できるので、かかる動作のための動力や制御を不要とできる。また、遊技球の通過を検出するセンサも不要とできる。その結果、部品点数や制御コストを削減して、製品コストの削減を図ることができる。
【０４５９】
遊技機２０において、前記対面壁部材は、前記円板部材の外周面に対面する面に凹設される凹部空間である収納部を備え、その収納部の凹部空間に前記制動部材が動作可能に収納されることを特徴とする遊技機２１。
【０４６０】
遊技機２１によれば、制動部材を動作可能に収納する収納部は、円板部材の外周面に対面する面に凹設されるので、かかる収納部の凹部空間の開口を、円板部材の外周面により塞ぐことができる。即ち、収納部に収納された制動部材を、収納部の凹部空間と円板部材の外周面との間に動作可能に保持することができる。よって、制動部材を保持する部材（脱落を防止する部材）を円板部材に兼用させることができ、かかる保持のための部材を別途設けることを不要とできるので、その分、部品コストの削減を図ることができる。
【０４６１】
遊技機２０又は２１において、前記制動部材の対面片には、前記円板部材の外周面に当接する部分にゴム状弾性体から構成される弾性部材が配設されることを特徴とする遊技機２２。
【０４６２】
遊技機２２によれば、遊技機２０又は２１の奏する効果に加え、制動部材の対面片には、円板部材の外周面に当接する部分にゴム状弾性体から構成される弾性部材が配設されるので、円板部材の外周面との間の摩擦力を確保して、円板部材を減速または停止させる作用を発揮させやすくできる。また、弾性部材がゴム状弾性体から構成されるので、弾性部材を円板部材の外周面に当接させる際には、円板部材や制動部材などの組み立て誤差や寸法公差を、弾性部材の弾性変形により吸収することができるので、円板部材を減速または停止させる作用を安定して発揮させることができる。さらに、例えば、円板部材の外周面に凹設した凹部へ、対面片から突出させた凸部を凹凸嵌合させることで、円板部材を停止させる構造と比較して、凹凸形状を形成する必要がないので、部品の形状を簡素化して、製品コストの削減を図ることができる。
【０４６３】
遊技機２０から２２のいずれかにおいて、前記制動部材は、前記対面片が前記突出片よりも重く、重心位置が軸部に対して対面片側に配置されることを特徴とする遊技機２３。
【０４６４】
遊技機２３によれば、遊技機２０から２２のいずれかの奏する効果に加え、制動部材は、対面片が突出片よりも重く、重心位置が軸部に対して対面片側に配置されるので、遊技球の通過により突出片が押し下げられると共に対面片が押し上げられた場合（軸部を中心として一方向に回動された場合）には、制動部材の自重（重心位置の軸部からの偏心）を利用して、制動部材を他方向に回動させ、初期位置に復帰させることができる。よって、初期位置へ復帰させる付勢力を作用させるための付勢部材を設ける必要がないので、その分、製品コストの削減を図ることができる。
【０４６５】
遊技機２０から２３のいずれかにおいて、前記制動部材の対面片は、前記円板部材の外周面に近接する方向または離間する方向へ弾性変形可能に形成されることを特徴とする遊技機２４。
【０４６６】
遊技機２４によれば、遊技機２０から２３のいずれかの奏する効果に加え、制動部材の対面片が、円板部材の外周面に近接する方向または離間する方向へ弾性変形可能に形成されるので、対面片が押し上げられ円板部材の外周面に当接される際には、円板部材や制動部材などの組み立て誤差や寸法公差を、対面片の弾性変形により吸収することができるので、円板部材を減速または停止させる作用を安定して発揮させることができる。同様に、通過する遊技球が突出片を押し下げる位置や通過する向きのばらつきを、対面片の弾性変形により吸収することができるので、その遊技球が跳ね返されたりすることを抑制して、確実に通過させることができる。また、対面片が押し上げられ円板部材の外周面に当接される際には、両者の間の当接力（即ち、円板部材を減速または停止させるための制動力）を対面片の弾性変形により徐々に作用させることができるので、円板部材の回動動作の急激な変化を抑制できる。
【０４６７】
遊技機２０から２４のいずれかにおいて、前記制動部材の突出片は、先端側ほど前記円板部材の外周面から離間する方向へ円弧状に湾曲して形成されることを特徴とする遊技機２５。
【０４６８】
遊技機２５によれば、遊技機２０から２４のいずれかの奏する効果に加え、制動部材の突出片は、先端側ほど円板部材の外周面から離間する方向へ円弧状に湾曲して形成されるので、第１排球口または第２排球口に排球された遊技球の通過が突出片により阻害されることを抑止し、かつ、その通過する遊技球に突出片をスムーズに押し下げさせることができる。
【０４６９】
遊技機１又は２において、前記振分部材は、前記遊技領域を流下する遊技球が入球する入球口と、その入球口に入球した遊技球を受ける第１受け部および第２受け部を有すると共に第１受け部および第２受け部の間を中心として回動可能に軸支される本体部と、その本体部に配設される案内部と、その案内部により案内されて移動する移動体と、を備え、前記入球口に入球した遊技球を前記本体部の第１受け部で受けると、その遊技球の重さで、第１受け部が第２受け部よりも下方となる第１角度位置まで前記本体部が回動することで、前記第１受け部で受けた遊技球を第１位置へ排球すると共に、前記入球口から入球した遊技球を受けることが可能な位置に前記第２受け部が配置され、前記入球口に入球した遊技球を前記本体部の第２受け部で受けると、その遊技球の重さで、第２受け部が第１受け部よりも下方となる第２角度位置まで前記本体部が回動することで、前記第２受け部で受けた遊技球を第２位置へ排球すると共に、前記入球口から入球した遊技球を受けることが可能な位置に前記第１受け部が配置され、前記第１角度位置では、前記案内部が第１受け部側へ下降傾斜して、前記移動体が前記第１受け部側へ移動されると共に、前記第２角度位置では、前記案内部が第２受け部側へ下降傾斜して、前記移動体が前記第２受け部側へ移動されることを特徴とする遊技機２６。
【０４７０】
遊技機２６によれば、遊技機１又は２の奏する効果に加え、遊技領域を流下する遊技球が入球する入球口と、第１受け部および第２受け部を有すると共に第１受け部および第２受け部の間を中心として回動可能に軸支される本体部とを備え、入球口に入球した遊技球を本体部の第１受け部で受けると、その遊技球の重さで、第１受け部が第２受け部よりも下方となる第１角度位置まで本体部が回動することで、第１受け部で受けた遊技球を第１位置へ排球すると共に、入球口から入球した遊技球を受けることが可能な位置に第２受け部が配置され、入球口に入球した遊技球を本体部の第２受け部で受けると、その遊技球の重さで、第２受け部が第１受け部よりも下方となる第２角度位置まで本体部が回動することで、第２受け部で受けた遊技球を第２位置へ排球すると共に、入球口から入球した遊技球を受けることが可能な位置に第１受け部が配置されるので、遊技球を第１位置および第２位置に交互に振り分けることができる。また、振り分ける動作を、遊技球の重さを利用して、機械的な構成により実行できるので、その動作のための動力を不要とできる。
【０４７１】
このように、例えば、本体部が第１角度位置にあると、遊技球を第２受け部で受け、その遊技球の重さを利用して、第１角度位置から第２角度位置へ本体部が回動動作され、遊技球を第２位置へ排球すると共に、次の遊技球を第１受け部で受ける姿勢（第２角度位置）に設定される。
【０４７２】
しかしながら、遊技球を受ける位置、遊技球の落下方向、或いは、第１受け部から遊技球が排球される方向などには、その都度ばらつきがあり、そのばらつきの状態や、振動などの外乱を本体部が受けるタイミングによっては、例えば、第１角度位置から第２角度位置へ回動された後、その第２角度位置に維持されるべき本体部が、第１角度位置に逆戻りすることがある。この場合には、次の遊技球を、先の遊技球と同様に、第２受け部により受けることとなり、第２位置へ連続して排球することになる。そのため、遊技球を第１位置および第２位置へ交互に振り分けることができない。
【０４７３】
これに対し、遊技機２６によれば、本体部に配設される案内部と、その案内部により案内されて移動する移動体とを備え、第１角度位置では、案内部が第１受け部側へ下降傾斜して、移動体が第１受け部側へ移動されると共に、第２角度位置では、案内部が第２受け部側へ下降傾斜して、移動体が第２受け部側へ移動されるので、移動体の移動に伴う重心位置の変化を利用して、本体部を本来あるべき姿勢（第１角度位置または第２角度位置）に維持することができる。
【０４７４】
例えば、第１角度位置にある本体部が、遊技球を第２受け部で受け、その遊技球の重さを利用して、第１角度位置から第２角度位置へ回動動作される（第２受け部が下方に位置される）場合には、案内部が第２受け部側へ下降傾斜されることで、移動体が第２受け部側へ移動されるので、この移動体の移動分だけ、全体としての重心位置を第２受け部側に変化させる（即ち、下方に位置する第２受け部側をより重くする）ことができる。その結果、本体部が引き戻されて、第１角度位置に逆戻りすることを抑制し、第２角度位置に維持できる。第２角度位置にある本体部が、遊技球を第１受け部で受ける場合も同様であり、第１角度位置へ回動動作されると、移動体が第１受け部側へ移動することで、本体部を第１角度位置に維持できる。
【０４７５】
遊技機２６において、前記案内部は、前記第１受け部および第２受け部を繋ぐ方向に沿って延設される棒状に形成され、前記移動体は、前記案内部が挿通される環状に形成されることを特徴とする遊技機２７。
【０４７６】
遊技機２７によれば、遊技機２６の奏する効果に加え、案内部は、第１受け部および第２受け部を繋ぐ方向に沿って延設される棒状に形成され、移動体は、案内部が挿通される環状に形成されるので、移動体を本体部の回動方向に応じて移動させる機構を、簡素な構造により達成できる。よって、製品コストの削減を図ると共に、安定した動作を可能として、信頼性の向上を図ることができる。
【０４７７】
遊技機２７において、前記移動体は、弾性材料からなる有端の素材を環状に形成したものであることを特徴とする遊技機２８。
【０４７８】
遊技機２８によれば、遊技機２７の奏する効果に加え、移動体が、弾性材料からなる有端の素材を環状に形成したものであるので、移動体を案内部に装着する作業を容易として、組み立て工数の削減を図ることができる。即ち、移動体を案内部に装着する際には、弾性変形させることで移動体の一部を開口させ、その開口を介して、棒状の案内部を環状の移動体に挿通させることができる。
【０４７９】
なお、環状とは、円形である必要はなく、その内周側に棒状の移動体を挿通可能な形状であれば、多角形状でも楕円形状でも良い。また、移動体は、素材を巻回したものであっても良く、素材から削り出したものでも良く、素材から打ち抜いたものでも良い。
【０４８０】
遊技機２８において、前記移動体は、前記有端の素材を巻回し、端部同士が重ね合わされていることを特徴とする遊技機２９。
【０４８１】
遊技機２９によれば、遊技機２８の奏する効果に加え、移動体は端部同士が重ねあわされているので、その分、移動体の一部を開口させるのに必要な弾性変形量が大きくなる。よって、案内部に装着した移動体が脱落することを抑制できる。また、移動体は、素材を巻回して形成されるので、その製造を簡素化して、部品コストの低減を図ることができる。
【０４８２】
遊技機２７から２９のいずれかにおいて、前記案内部または移動体の少なくとも一方は断面円形に形成されることを特徴とする遊技機３０。
【０４８３】
遊技機３０によれば、遊技機２７から２９のいずれかの奏する効果に加え、案内部または移動体の少なくとも一方は断面円形に形成されるので、両者の接触面積を小さくして、摺動抵抗を抑えることができる。よって、本体部の回動動作に伴って案内部が下降傾斜された場合には、途中で止まらせることなく、下降傾斜に沿って移動体を確実に移動させることができると共に、移動体の移動（重心位置の変化）を迅速に行うことができる。その結果、移動体の移動に伴う重心位置の変化を利用して、本体部を本来あるべき姿勢（第１角度位置または第２角度位置）に確実に維持することができる。
【０４８４】
遊技機２６において、前記案内部は、前記第１受け部および第２受け部を繋ぐ方向に沿って延設される通路状に形成され、前記移動体は、前記案内部を転動する球状または円柱状に形成されることを特徴とする遊技機３１。
【０４８５】
遊技機３１によれば、遊技機２６の奏する効果に加え、案内部が、第１受け部および第２受け部を繋ぐ方向に沿って延設される通路状に形成され、その案内部を転動する球状または円柱状に移動体が形成されるので、本体部の回動動作に伴って案内部が下降傾斜された場合には、その案内部の下降傾斜に沿って移動体を確実かつ迅速に移動させることができる。
【０４８６】
例えば、案内部を移動体が摺動する構造では、摺動抵抗が大きいため、案内部の下降傾斜に沿って移動する移動体が途中で止まることがあり、また、移動速度が遅いため、移動体の移動（重心位置の変化）が間に合わないことがある。これに対し、遊技機３１のように、移動体が球状または円柱状に形成され、案内部を転動する構造であれば、下降傾斜端まで移動体を確実に移動させることができると共に、移動体の移動（重心位置の変化）を迅速に行うことができる。その結果、移動体の移動に伴う重心位置の変化を利用して、本体部を本来あるべき姿勢（第１角度位置または第２角度位置）に確実に維持することができる。
【０４８７】
遊技機２７において、前記案内部は、一面側が開放される箱体と、その箱体の一面側に取着される蓋体とを備え、それら箱体および蓋体の間に形成される内部空間に前記移動体が収納されることを特徴とする遊技機３２。
【０４８８】
遊技機３２によれば、遊技機２７の奏する効果に加え、案内部は、一面側が開放される箱体と、その箱体の一面側に取着される蓋体とを備え、それら箱体および蓋体の間に形成される内部空間に移動体が収納されるので、移動体を案内部に案内可能に保持させる作業を容易として、組み立て工数の削減を図ることができる。
【０４８９】
遊技機３２において、前記箱体および蓋体は、樹脂材料から構成されると共に、前記蓋体は、金属材料から構成される締結ねじにより前記箱体に締結固定され、前記締結ねじが締結される被締結部分が、前記第１受け部および第２受け部を繋ぐ方向に沿って延設される前記内部空間の一端側および他端側にそれぞれ形成されることを特徴とする遊技機３３。
【０４９０】
遊技機３３によれば、遊技機３２の奏する効果に加え、箱体および蓋体が、樹脂材料から構成されると共に、蓋体が、金属材料から構成される締結ねじにより箱体に締結固定され、締結ねじが締結される被締結部分が、第１受け部および第２受け部を繋ぐ方向に沿って延設される内部空間の一端側および他端側にそれぞれ形成されるので、本体部の回動動作に伴って案内部が下降傾斜された際に下降傾斜端となる部分に締結ねじ及び被締結部分を位置させることができる。よって、下降傾斜端となる部分を補強して、移動体の衝突により破損することを抑制できる。また、箱体と蓋体とを締結固定するための構成を、移動体が衝突する部分（下降傾斜端となる部分）を補強する構成としても兼用できるので、補強のための部材を別途設けることを不要として、その分、製品コストの削減を図ることができる。
【０４９１】
遊技機２７から３３のいずれかにおいて、前記案内部は、前記第１受け部および第２受け部を繋ぐ方向の一端側および他端側を下方に窪ませて形成される窪み部を備えることを特徴とする遊技機３４。
【０４９２】
遊技機３４によれば、遊技機２７から３３のいずれかの奏する効果に加え、案内部は、第１受け部および第２受け部を繋ぐ方向の一端側および他端側を下方に窪ませて形成される窪み部を備えるので、本体部の回動動作に伴って案内部が下降傾斜され、その下降傾斜に沿って移動体が一端側または他端側へ移動する際には、その移動体を窪み部に嵌り込ませて、上昇傾斜側へ跳ね返ることを抑制できる。
【０４９３】
遊技機２７から３０のいずれかにおいて、前記案内部は、前記第１受け部および第２受け部を繋ぐ方向の一端側および他端側よりも中央部が下方となるように湾曲した円弧状に形成されることを特徴とする遊技機３５。
【０４９４】
遊技機３５によれば、遊技機２７から３０のいずれかの奏する効果に加え、案内部は、第１受け部および第２受け部を繋ぐ方向の一端側および他端側よりも中央部が下方となるように湾曲した円弧状に形成されるので、本体部の回動動作に伴って案内部が下降傾斜された状態では、上昇傾斜側の勾配を大とすることができる。よって、本体部の回動動作に伴って案内部の上昇傾斜側に位置することとなった移動体の移動を確実かつ速やかに行わせることができる。特に、棒状の案内部を環状の移動体が摺動する構成では、摩擦抵抗が大きいため、上昇傾斜側に位置することとなった移動体の移動が開始されないおそれがあり、このような構成に対して、遊技機３５は特に有効となる。
【０４９５】
遊技機２６から３５のいずれかにおいて、前記本体部および案内部が樹脂材料から構成されると共に、前記移動体が金属材料から構成されることを特徴とする遊技機３６。
【０４９６】
遊技機３６によれば、遊技機２６から３５のいずれかにおいて、本体部および案内部が樹脂材料から構成されると共に、移動体が金属材料から構成されるので、移動体の移動に伴う重心位置の変化を顕著とすることができる。その結果、本体部を本来あるべき姿勢（第１角度位置または第２角度位置）に維持しやすくすることができる。
【０４９７】
遊技機１又は２において、前記振分部材は、前記遊技領域を流下する遊技球が入球する入球口と、第１受け部および第２受け部を有すると共に第１受け部および第２受け部の間を中心として回動可能に軸支される本体部と、その本体部の回動動作に伴い重心位置を移動させる重心位置移動手段と、を備え、前記入球口に入球した遊技球を前記本体部の第１受け部で受けると、その遊技球の重さで、第１受け部が第２受け部よりも下方となる第１角度位置まで前記本体部が回動することで、前記第１受け部で受けた遊技球を第１位置へ排球すると共に、前記入球口から入球した遊技球を受けることが可能な位置に前記第２受け部が配置され、前記入球口に入球した遊技球を前記本体部の第２受け部で受けると、その遊技球の重さで、第２受け部が第１受け部よりも下方となる第２角度位置まで前記本体部が回動することで、前記第２受け部で受けた遊技球を第２位置へ排球すると共に、前記入球口から入球した遊技球を受けることが可能な位置に前記第１受け部が配置され、前記重心位置移動手段は、前記本体部の第１受け部側および第２受け部側にそれぞれ回動可能に垂下される一対の垂下体と、前記第１角度位置または第２角度位置まで前記本体部が回動される際に、上方側に位置する垂下体を前記本体部に近接させる近接手段および上方側に位置していた垂下体への前記近接手段による本体部への近接を解除して垂下させる解除手段とを備えることを特徴とする遊技機３７。
【０４９８】
遊技機３７によれば、遊技機１又は２の奏する効果に加え、遊技領域を流下する遊技球が入球する入球口と、第１受け部および第２受け部を有すると共に第１受け部および第２受け部の間を中心として回動可能に軸支される本体部とを備え、入球口に入球した遊技球を本体部の第１受け部で受けると、その遊技球の重さで、第１受け部が第２受け部よりも下方となる第１角度位置まで本体部が回動することで、第１受け部で受けた遊技球を第１位置へ排球すると共に、入球口から入球した遊技球を受けることが可能な位置に第２受け部が配置され、入球口に入球した遊技球を本体部の第２受け部で受けると、その遊技球の重さで、第２受け部が第１受け部よりも下方となる第２角度位置まで本体部が回動することで、第２受け部で受けた遊技球を第２位置へ排球すると共に、入球口から入球した遊技球を受けることが可能な位置に第１受け部が配置されるので、遊技球を第１位置および第２位置に交互に振り分けることができる。また、振り分ける動作を、遊技球の重さを利用して、機械的な構成により実行できるので、その動作のための動力を不要とできる。
【０４９９】
このように、例えば、本体部が第１角度位置にあると、遊技球を第２受け部で受け、その遊技球の重さを利用して、第１角度位置から第２角度位置へ本体部が回動動作され、遊技球を第２位置へ排球すると共に、次の遊技球を第１受け部で受ける姿勢（第２角度位置）に設定される。
【０５００】
しかしながら、遊技球を受ける位置、遊技球の落下方向、或いは、第１受け部から遊技球が排球される方向などには、その都度ばらつきがあり、そのばらつきの状態や、振動などの外乱を本体部が受けるタイミングによっては、第１角度位置から第２角度位置へ回動された際に、第２角度位置に維持されるべき本体部が、遊技球の排球動作時の反発力によって跳ね上げられ、第１角度位置に逆戻りすることがある。この場合には、次の遊技球を、先の遊技球と同様に、第２受け部により受けることとなり、第２位置へ連続して排球することになる。そのため、遊技球を第１位置および第２位置へ交互に振り分けることができない。
【０５０１】
これに対し、遊技機３７によれば、本体部の第１受け部側および第２受け部側にそれぞれ回動可能に垂下される一対の垂下体と、第１角度位置または第２角度位置まで本体部が回動される際に、上方側に位置する垂下体を本体部に近接させる近接手段および上方側に位置していた垂下体への近接手段による本体部への近接を解除して垂下させる解除手段とを有する重心位置移動手段を備えるので、本体部の回動動作に伴い重心位置を移動させることができ、これにより本体部を本来あるべき姿勢（第１角度位置または第２角度位置）に維持することができる。
【０５０２】
例えば、第１角度位置にある本体部が、遊技球を第２受け部で受け、その遊技球の重さを利用して、第１角度位置から第２角度位置へ回動動作される（第２位置が下方に位置される）場合には、上方側（第１受け部側）に位置する垂下体が本体部に近接されると共に、下方側（第２受け部側）に位置する垂下体が垂下されるので、全体としての重心位置を第２受け部側に変化させる（即ち、下方に位置する第２受け部側をより重くする）ことができる。その結果、本体部が引き戻されて、第１角度位置に逆戻りすることを抑制し、第２角度位置に維持できる。第２角度位置にある本体部が、遊技球を第１受け部で受ける場合も同様であり、第１角度位置へ回動動作されると、上方側（第１受け部側）に位置する垂下体が本体部へ近接されると共に、下方側（第２受け部側）に位置する垂下体が垂下されることで、本体部を第１角度位置に維持できる。
【０５０３】
遊技機３７において、前記振分部材は、前記一対の垂下体の間において前記本体部に配設され磁石として構成される本体側磁石と、その本体側磁石に引き合う磁極の向きで前記垂下体に配設されると共に磁石として構成される垂下側磁石と、を備え、前記近接手段は、前記本体側磁石に垂下側磁石が磁着されることで、前記上方側に位置する垂下体を前記本体部に近接した状態に維持することを特徴とする遊技機３８。
【０５０４】
遊技機３８によれば、遊技機３７において、近接手段は、本体側磁石と垂下側磁石との磁着を利用して、上方側に位置する垂下体を本体部に近接した状態に維持するので、例えば、２部材の機械的な係合を利用して、近接した状態に維持する構成の場合と比較して、構造の簡素化を図ることができると共に、近接およびその解除動作の信頼性の向上を図ることができる。
【０５０５】
遊技機３７において、前記振分部材は、前記一対の垂下体の間において前記本体部に配設され磁石として構成される本体側磁石を備えると共に、前記一対の垂下体が磁性材料から構成され、前記近接手段は、前記本体側磁石に前記垂下体が磁着されることで、前記上方側に位置する垂下体を前記本体部に近接した状態に維持することを特徴とする遊技機３９。
【０５０６】
遊技機３９によれば、遊技機３７において、近接手段は、本体側磁石と垂下体との磁着を利用して、上方側に位置する垂下体を本体部に近接した状態に維持するので、例えば、２部材の機械的な係合を利用して、近接した状態に維持する構成の場合と比較して、構造の簡素化を図ることができると共に、近接およびその解除動作の信頼性の向上を図ることができる。
【０５０７】
また、一対の垂下体が磁性材料から構成されることで、本体部のみに磁石を配設すれば良い。よって、本体部と垂下体とのそれぞれに磁石を配設する構成の場合と比較して、垂下体に配設する磁石を不要とできる分、部品点数を削減して、製品コストの削減を図ることができる。
【０５０８】
さらに、垂下体が磁性材料から構成されることで、その重量を嵩ませることができ、その分、垂下体の変位（本体部への近接および解除（垂下））に伴う重心位置の下方側への移動量を大きくできる。その結果、本体部を本来あるべき姿勢（第１角度位置または第２角度位置）に維持しやすくできる。
【０５０９】
遊技機３８又は３９において、前記振分部材は、前記本体部を回動可能に軸支する基板部材と、その基板部材から前記本体部へ向けて突出される近接用突起部と、を備えると共に、前記垂下体は、前記垂下体から延設されると共に前記本体部の回動に伴い上方側へ位置する際に前記近接用突起部に係止可能とされる延設片を備え、前記近接手段は、前記本体部の回動に伴い下方側から上方側へ移動する垂下体の延設片が前記近接用突起に係止されることで、前記垂下体が前記本体部へ近接され、前記本体側磁石に、前記垂下側磁石または前記磁性材料から構成される垂下体が磁着されることを特徴とする遊技機４０。
【０５１０】
遊技機４０によれば、遊技機３８又は３９の奏する効果に加え、振分部材は、本体部を回動可能に軸支する基板部材と、その基板部材から本体部へ向けて突出される近接用突起部と、を備えると共に、垂下体は、その垂下体から延設されると共に本体部の回動に伴い上方側へ位置する際に近接用突起部に係止可能とされる延設片を備えるので、本体部の回動に伴い下方側から上方側へ移動する垂下体の延設片が近接用突起に係止されることで、垂下体を本体部へ近接させ、本体側磁石に垂下側磁石または磁性材料から構成される垂下体を磁着させることができる。これにより、上方側に位置する垂下体を本体部に確実に近接させることができる。また、このように、近接用突起部への延設片の係止により、垂下体を本体部に近接させることができる、即ち、本体側磁石への垂下側磁石または垂下体の磁着を補助できるので、これら本体側磁石および垂下側磁石の磁力を弱くすることができ、その分、部品コストの削減を図ることができると共に、垂下体が下方側に位置する際に、近接状態の解除を確実化することができる。
【０５１１】
遊技機３８から４０のいずれかにおいて、前記振分部材は、前記本体部を回動可能に軸支する基板部材と、その基板部材から前記本体部へ向けて突出される解除用突起部と、を備えると共に、前記垂下体は、前記垂下体から延設されると共に前記本体部の回動に伴い下方側へ位置する際に前記解除用突起部に係止可能とされる延設片を備え、前記近接手段は、前記本体部の回動に伴い上方側から下方側へ移動する垂下体の延設片が前記解除用突起に係止されることで、前記垂下体が前記本体部から離間され、前記本体側磁石と垂下側磁石または磁性材料からなる垂下体との磁着による前記垂下体の本体部への近接が解除されることを特徴とする遊技機４１。
【０５１２】
遊技機４１によれば、遊技機３８から４０のいずれかの奏する効果に加え、振分部材は、本体部を回動可能に軸支する基板部材と、その基板部材から前記本体部へ向けて突出される解除用突起部とを備えると共に、垂下体は、その垂下体から延設されると共に本体部の回動に伴い下方側へ位置する際に解除用突起部に係止可能とされる延設片を備えるので、本体部の回動に伴い上方側から下方側へ移動する垂下体の延設片が解除用突起に係止されることで、垂下体を本体部から離間させ、本体側磁石および垂下側磁石の磁着（垂下体の本体部への近接）を解除することができる。これにより、下方側に位置する垂下体を垂下させ、全体としての重心位置を確実に移動させることができる。
【０５１３】
なお、一の延設片が、遊技機４０における延設片と遊技機４１における延設片とを兼用する（即ち、近接用突起部および解除用突起部の両者に係止可能とされる）ように構成することが好ましい。これにより、近接用突起部に係止されるための延設片と、解除用突起部垂下体に係止されるための延設片とを垂下体に設ける必要がなく、その分、製品コストを削減できる。
【０５１４】
遊技機３８から４１のいずれかにおいて、前記一対の垂下体は、前記本体部に回動可能に軸支される回動軸から先端までの長さ寸法が、前記回動軸から前記本体部の中心までの長さ寸法よりも大きくされ、前記本体部に配設される少なくとも１の前記本体側磁石が、前記一対の垂下体の一方および他方を前記本体部に近接した状態に維持するための磁石として兼用可能とされることを特徴とする遊技機４２。
【０５１５】
遊技機４２によれば、遊技機３８から４１のいずれかの奏する効果に加え、一対の垂下体は、本体部に回動可能に軸支される回動軸から先端までの長さ寸法が、回動軸から本体部の中心までの長さ寸法よりも大きくされるので、本体部に配設される少なくとも１の本体側磁石を、一対の垂下体の一方および他方を本体部に近接した状態に維持するための磁石として兼用することができる。よって、その兼用の分、部品点数を削減して、製品コストの削減を図ることができる。また、このように、垂下体の長さ寸法を、回動軸から本体部の中心までの長さ寸法よりも大きくすることで、その垂下体の変位（本体部への近接および解除（垂下））に伴う重心位置の下方側への移動量を大きくでき、その結果、本体部を本来あるべき姿勢（第１角度位置または第２角度位置）に維持しやすくできる。
【０５１６】
遊技機３７から４２のいずれかにおいて、前記一対の垂下体は、前記本体部に回動可能に軸支される回動軸から先端までの長さ方向中央よりも先端側に重心位置が配置されることを特徴とする遊技機４３。
【０５１７】
遊技機４３によれば、遊技機３７から４２のいずれかにおいて、一対の垂下体は、本体部に回動可能に軸支される回動軸から先端までの長さ方向中央よりも先端側に重心位置が配置されるので、垂下体の変位（本体部への近接および解除（垂下））に伴う重心位置の下方側への移動量を大きくでき、その結果、本体部を本来あるべき姿勢（第１角度位置または第２角度位置）に維持しやすくできる。
【０５１８】
遊技機１から４３のいずれかにおいて、前記遊技機はスロットマシンであることを特徴とする遊技機Ａ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０５１９】
遊技機１から４３のいずれかにおいて、前記遊技機はパチンコ遊技機であることを特徴とする遊技機Ａ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０５２０】
遊技機１から４３のいずれかにおいて、前記遊技機はパチンコ遊技機とスロットマシンとを融合させたものであることを特徴とする遊技機Ａ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０５２１】
１０          パチンコ機（遊技機）
６３ａ        第１始動口
６３ｂ        第２始動口
１０００，３０００，１００００  振分装置（振分部材）
１１１０Ｌ    左誘導通路（第１誘導部または第２誘導部）
１１１０Ｒ    右誘導通路（第２誘導部または第１誘導部）
１２２０      対面壁部材
１２２１      入球口
１２２２Ｌ    左排球口（第１排球口または第２排球口）
１２２２Ｒ    右排球口（第２排球口または第１排球口）
１３００      円板部材
１３１０Ｌ    左受け部（第１受け部または第２受け部）
１３１０Ｒ    右受け部（第２受け部または第１受け部）
１３１１      底面（受け面）
１３２０      押込板（押込部）
１２２３Ｌ    左溝（第１溝または第２溝）
１２２３Ｒ    右溝（第２溝または第１溝）
１２２６      対面側磁石
１３３０      ワンウェイクラッチ
３１２０Ｌ    左連通孔（第１誘導部または第２誘導部の一部）
３１２０Ｒ    右連通孔（第２誘導部または第１誘導部の一部）
３２２０ａ，３２２０ｂ，３２２０ｃ  壁部材（第１誘導部または第２誘導部の一部）
３３００，４３００，５３００，８３００，９３００，１０３００，１１３００  支持板部材（本体部）
２２３０      収納部
２２４０      制動部材
２２４１      軸部
２２４２      突出片
２２４３      対面片
２２４４      弾性部材
３３３０      中央板（第１受け部または第２受け部の一部）
３３４０Ｌ    左受け板（第１受け部または第２受け部の一部）
３３４０Ｒ    右受け板（第２受け部または第１受け部の一部）
３３５０，４３５０，５３５０  案内部
５３５０ａ，９３５０ａ        窪み部
３４００，６４００，７４００，８４００  重り部材（移動体）
８３５０，９３５０    箱体（案内部の一部）
８３５１      被締結孔（被締結部分の一部）
８３６０      蓋体（案内部の一部）
８３７０      締結ねじ
１０１００    基板部材
１０１４１    上突起（近接用突起部、近接手段の一部）
１０１４２    下突起（解除用突起部、解除手段の一部）
１０３６０Ｌ，１１３６０Ｌ  左重り部材（垂下体、近接手段の一部、重心位置移動手段の一部）
１０３６０Ｒ，１１３６０Ｒ  右重り部材（垂下体、近接手段の一部、重心位置移動手段の一部）
１０３７０Ｌ  左係止片（延設片、近接手段および解除手段の一部）
１０３７０Ｒ  右係止片（延設片、近接手段および解除手段の一部）
１０３８０    磁石（本体側磁石、近接手段の一部）
【図１】
2014061103.tif 000003
【図２】
2014061103.tif 000004
【図３】
2014061103.tif 000005
【図４】
2014061103.tif 000006
【図５】
2014061103.tif 000007
【図６】
2014061103.tif 000008
【図７】
2014061103.tif 000009
【図８】
2014061103.tif 000010
【図９】
2014061103.tif 000011
【図１０】
2014061103.tif 000012
【図１１】
2014061103.tif 000013
【図１２】
2014061103.tif 000014
【図１３】
2014061103.tif 000015
【図１４】
2014061103.tif 000016
【図１５】
2014061103.tif 000017
【図１６】
2014061103.tif 000018
【図１７】
2014061103.tif 000019
【図１８】
2014061103.tif 000020
【図１９】
2014061103.tif 000021
【図２０】
2014061103.tif 000022
【図２１】
2014061103.tif 000023
【図２２】
2014061103.tif 000024
【図２３】
2014061103.tif 000025
【図２４】
2014061103.tif 000026
【図２５】
2014061103.tif 000027
【図２６】
2014061103.tif 000028
【図２７】
2014061103.tif 000029
【図２８】
2014061103.tif 000030
【図２９】
2014061103.tif 000031
【図３０】
2014061103.tif 000032
【図３１】
2014061103.tif 000033
【図３２】
2014061103.tif 000034
【図３３】
2014061103.tif 000035
【図３４】
2014061103.tif 000036
【図３５】
2014061103.tif 000037
【図３６】
2014061103.tif 000038
【図３７】
2014061103.tif 000039
【図３８】
2014061103.tif 000040
【図３９】
2014061103.tif 000041
【図４０】
2014061103.tif 000042
【図４１】
2014061103.tif 000043
【図４２】
2014061103.tif 000044
【図４３】
2014061103.tif 000045
【図４４】
2014061103.tif 000046